(57)【要約】  本発明の実施形態は、移動性管理の方法、ユーザ機器および基地局を開示する。移動性管理の方法は、接続モードのユーザ機器ＵＥが、ＵＥのソース識別子を第１基地局から受信する段階であって、ソース識別子は、第１基地局においてＵＥを一意に識別するために使用される、段階と、ＵＥが、低オーバーヘッドアクティベーション条件が満たされた後に、低オーバーヘッド状態に入る段階であって、ＵＥは低オーバーヘッド状態において、接続モードのＵＥの接続コンテキストを記憶し、移動中にセル再選択基準に従ってセルにキャンプオンする、段階と、第１事前設定条件が満たされたとき、ＵＥが、第２セルが属する第２基地局へソース識別子を報告する段階であって、第２セルは、ＵＥが現在キャンプオンしているサービングセルである、段階とを備え得る。本発明によれば、ＵＥが低オーバーヘッド状態に入った後に、ＵＥはセル再選択に基づく移動性を自律的に実行し、ＵＥの位置変更情報のみを報告し、これにより、ハンドオーバ手順を簡潔化し、ネットワークデバイスの通信リソースを低減する。
2019500804.tif 000002
【特許請求の範囲】
【請求項１】
第１セルが属する第１基地局が、前記第１セルにおける接続モードの端末にソース識別子を割り当てる段階であって、前記ソース識別子は、前記第１基地局において前記端末を識別する第１端末識別子を含む、段階と、
前記端末が低オーバーヘッド状態に入ったと決定された後に、前記接続モードの前記端末の接続コンテキストを記憶する段階であって、前記端末は、事前設定アクティベーション条件が満たされたときに前記低オーバーヘッド状態に入り、前記低オーバーヘッド状態において、前記端末は前記接続コンテキストを記憶し、移動中にセル再選択基準に従ってセルにキャンプオンする、段階と
を備える移動性管理の方法。
【請求項２】
前記ソース識別子は、前記第１セルを識別する第１セル識別子と、前記第１セルにおいて前記端末を一意に識別する前記第１端末識別子とを含み、前記第１セル識別子は、セルグローバル識別子ＥＣＧＩ、物理セル識別子ＰＣＩ、もしくは、エリアの識別子と前記エリアにおける前記第１セルの識別子とを含むセル識別子のうちの少なくとも１つを含み、または、
前記ソース識別子は、前記第１基地局を一意に識別する第１基地局識別子と、前記第１基地局において前記端末を一意に識別する前記第１端末識別子とを含む、
請求項１に記載の方法。
【請求項３】
第１セルが属する第１基地局が、前記第１セルにおける接続モードの端末にソース識別子を割り当てる前記段階は、
前記第１セルが属する前記第１基地局が、セルブロードキャストメッセージもしくは専用メッセージを使用することによって、または、ランダムアクセスチャネルＲＡＣＨ手順において、前記第１セルにおける前記接続モードの前記端末に前記ソース識別子を割り当てる段階を含む、
請求項１または２に記載の方法。
【請求項４】
前記事前設定アクティベーション条件は、
前記第１基地局が、前記低オーバーヘッド状態に入るように前記端末に命令するために使用される制御命令を前記端末へ送信すること、
第１事前設定期間内に前記第１基地局と前記端末との間でデータが伝送されなかったこと、
前記第１基地局が、前記端末のタイミングアドバンスタイマであるＴＡタイマが満了したと決定するか、もしくは、前記第１基地局が、前記端末のＴＡタイマが満了したと決定し、かつ、前記ＴＡタイマが第２事前設定期間内に再度作動しなかったと決定すること、または、
前記第１基地局が、前記端末が間欠受信ＤＲＸ状態に入り、かつ、第３事前設定期間内に前記ＤＲＸ状態から出なかったと決定すること
のうちの少なくとも１つの条件を含む、請求項１から３のいずれか一項に記載の方法。
【請求項５】
第１セルが属する第１基地局が、前記第１セルにおける接続モードの端末にソース識別子を割り当てる前記段階はさらに、
前記第１セルが属する前記第１基地局が、前記第１セルにおける前記接続モードの前記端末に短いソース識別子および長いソース識別子を割り当てる段階を含む、
請求項１から３のいずれか一項に記載の方法。
【請求項６】
前記第１基地局が、前記端末が前記低オーバーヘッド状態において使用するための無線リソース制御ＲＲＣ構成情報を前記端末へ送信する段階をさらに備える、請求項１から３のいずれか一項に記載の方法。
【請求項７】
前記ＲＲＣ構成情報は、ＲＲＣ構成インデックスを含み、前記構成インデックスは、前記ＲＲＣ構成情報を示すために使用される、請求項６に記載の方法。
【請求項８】
前記第１基地局が、前記低オーバーヘッド状態の前記端末のアクセスが許可されるという指示を前記端末へ送信する段階、または、
前記第１基地局が、前記低オーバーヘッド状態の前記端末が報告することを許可されているソース識別子の種類を前記端末へ送信する段階であって、前記ソース識別子の種類は、前記短いソース識別子もしくは前記長いソース識別子を含む、段階
をさらに備える、請求項１から７のいずれか一項に記載の方法。
【請求項９】
前記端末が低オーバーヘッド状態に入ったと決定した後に、さらに、
前記端末のダウンリンクデータが前記第１基地局に到達したとき、または、コアネットワークからの第１ページングメッセージが受信された後に、前記第１基地局が、第２ページングメッセージを第３基地局へ送信する段階であって、前記第３基地局および前記第１基地局は同一のページングエリアに属する、段階を備える、
請求項１から７のいずれか一項に記載の方法。
【請求項１０】
前記端末の前記ダウンリンクデータが前記第１基地局に到達するか、または、前記コアネットワークからの前記ページングメッセージが受信される前に、さらに、
前記コアネットワークによって送信された、ページングパラメータについての情報を受信する段階であって、前記ページングパラメータは、前記端末のページングインデックス、または、前記端末のＤＲＸサイクルを含み、前記ページングは、前記端末のページングオフセットを計算するために使用される、段階を備える、
請求項９に記載の方法。
【請求項１１】
前記第２ページングメッセージは、ページングパラメータ、ＴＭＳＩ、および／または、前記端末の前記ソース識別子を含み、前記ページングパラメータは、前記端末のページングインデックス、および／または、前記端末のＤＲＸサイクルを含む、請求項９に記載の方法。
【請求項１２】
前記第１基地局が第２ページングメッセージを第３基地局へ送信する前記段階の後に、さらに、
前記第３基地局によって送信されたページング応答メッセージを受信し、前記ページング応答メッセージに従って、前記端末が現在、前記第３基地局に所在すると決定する段階を備える、
請求項１１に記載の方法。
【請求項１３】
前記端末が低オーバーヘッド状態に入ったと決定した後に、さらに、
前記第１基地局が、前記第２セルが属する第２基地局によって送信された通知メッセージを受信する段階であって、前記通知メッセージは、前記端末の前記ソース識別子、および、前記端末が現在所在している前記第２セルの第２セル識別子を保持し、前記第２セルは、前記端末が現在キャンプオンしているサービングセルである、段階と、
前記第１基地局が、前記ソース識別子および前記第２セル識別子に従って、前記端末が現在キャンプオンしている前記サービングセルが前記第２セルであると決定する段階と
を備える、請求項１から７のいずれか一項に記載の方法。
【請求項１４】
前記第１基地局が、前記ソース識別子および前記第２セル識別子に従って、前記端末が現在キャンプオンしている前記サービングセルが前記第２セルであると決定した後に、さらに、
前記端末のダウンリンクデータが前記第１基地局に到達したときに、前記第１基地局が、前記接続コンテキストと、前記端末の前記ソース識別子とを前記第２基地局へ送信する段階であって、前記第２基地局は、前記第２セルが属する基地局である、段階を備える、
請求項１３に記載の方法。
【請求項１５】
前記通知メッセージは、前記端末の検証情報を保持し、前記検証情報は、前記ソース識別子、および、前記接続コンテキストに含まれる鍵に従って前記端末によって生成される身元認証情報であり、
前記第１基地局が、第２基地局によって送信された通知メッセージを受信する前記段階の後に、前記方法はさらに、前記第１基地局が、前記ソース識別子および前記検証情報に従って、前記端末が有効な端末かどうかを決定する段階を備える、請求項１３または１４に記載の方法。
【請求項１６】
前記端末が低オーバーヘッド状態に入ったと決定した後に、さらに、
前記第２セルが属する前記第２基地局によって送信された、前記接続コンテキストについての転送要求を受信する段階であって、前記転送要求は、前記端末の前記ソース識別子を保持し、前記第２セルは、前記端末が現在キャンプオンしている前記セルである、段階と、
前記転送要求に保持される前記ソース識別子に従って、前記接続コンテキストを前記第２基地局へ送信する段階と
を備える、請求項１から１５のいずれか一項に記載の方法。
【請求項１７】
第１セルにおける接続モードの端末が、前記第１セルが属する第１基地局によって割り当てられたソース識別子を受信する段階であって、前記ソース識別子は、前記第１基地局のセルにおいて前記端末を一意に識別する第１端末識別子を含む、段階と、
事前設定アクティベーション条件が満たされたときに、前記端末が低オーバーヘッド状態に入る段階であって、前記端末は、前記低オーバーヘッド状態において、前記接続モードの前記端末の接続コンテキストを記憶し、移動中にセル再選択基準に従って、セルにキャンプオンする、段階と、
第１事前設定条件が満たされたとき、前記端末が、第２セルが属する第２基地局へ前記ソース識別子を報告する段階であって、前記第２セルは、前記端末が現在キャンプオンしているサービングセルである、段階と
を備える移動性管理の方法。
【請求項１８】
前記ソース識別子は、前記第１セルを識別する第１セル識別子と、前記第１セルにおいて前記端末を一意に識別する前記第１端末識別子とを含み、前記第１セル識別子は、セルグローバル識別子ＥＣＧＩ、物理セル識別子ＰＣＩ、もしくは、エリアの識別子と前記エリアにおける前記第１セルの識別子とを含むセル識別子のうちの少なくとも１つを含み、または、
前記ソース識別子は、前記第１基地局を一意に識別する第１基地局識別子と、前記第１基地局において前記端末を一意に識別する前記第１端末識別子とを含む、
請求項１７に記載の方法。
【請求項１９】
前記事前設定アクティベーション条件は、
前記端末が、前記低オーバーヘッド状態に入るように命令するために使用される制御命令を前記第１基地局から受信すること、
前記端末が前記第１セルから去ること、
第１事前設定期間内に前記端末と前記第１基地局との間でデータが伝送されなかったこと、
前記端末のタイミングアドバンスタイマであるＴＡタイマが満了するか、もしくは、前記端末のＴＡタイマが満了し、かつ、前記ＴＡタイマが第２事前設定期間内に再度作動しなかったこと、または、
前記端末が間欠受信ＤＲＸ状態に入り、かつ、第３事前設定期間内に前記ＤＲＸ状態から出なかったこと
のうちの少なくとも１つの条件を含む、請求項１７または１８に記載の方法。
【請求項２０】
事前設定アクティベーション条件が満たされたときに前記端末が低オーバーヘッド状態に入る前記段階の後に、前記方法はさらに、
第２事前設定条件が満たされたとき、前記端末が前記低オーバーヘッド状態から出る段階
を備え、前記第２事前設定条件は、
前記端末が現在キャンプオンしている前記サービングセルが変化すること、または、
前記端末が現在キャンプオンしている前記サービングセルが、指定されたセルの組の範囲を超えたこと、または、
前記端末が現在キャンプオンしている前記サービングセル、および、前記第１セルが、同一の事前設定エリアもしくは同一の基地局に属さないこと、または、
前記端末が、前記ソース識別子を前記第２基地局へ送信し、前記ソース識別子についてのアクセス拒否指示を前記第２基地局から受信すること、または、
前記端末が、前記第２セルのシステム情報ブロードキャストを読み取り、前記システム情報ブロードキャストは、前記低オーバーヘッド状態の前記端末のアクセスが許可されるという指示を保持しないこと、または、
前記端末はアップリンクデータを送信する必要があること
を含む、請求項１７から１９のいずれか一項に記載の方法。
【請求項２１】
第２事前設定条件が満たされたときに前記端末が前記低オーバーヘッド状態から出る前記段階は、前記第２事前設定条件が満たされたときに前記端末が前記接続コンテキストを消去し、アイドルモードに入る段階を含む、請求項２０に記載の方法。
【請求項２２】
前記第１事前設定条件は、前記端末が現在キャンプオンしている前記サービングセルが変化すること、または、
前記端末が現在キャンプオンしている前記第２セルが、前記指定されたセルの組の範囲を超えること、または、
前記端末が現在キャンプオンしている前記第２セル、および、前記第１セルが、同一の事前設定エリアもしくは同一の基地局に属さないこと、または、
前記端末が、アップリンクデータを送信する必要があること
を含む、請求項１７から２１のいずれか一項に記載の方法。
【請求項２３】
第１事前設定条件が満たされたときに、前記端末が、第２セルが属する第２基地局へ前記ソース識別子を報告する前記段階の前に、
前記端末が、前記第２セルのシステム情報ブロードキャストを受信して読み取る段階と、
前記システム情報ブロードキャストが、前記低オーバーヘッド状態の前記端末のアクセスが許可されるという指示を保持する場合、前記端末が、前記アクセスの指示に従って、前記ソース識別子を前記第２基地局へ送信することを決定する段階と
を備える、請求項１７から２２のいずれか一項に記載の方法。
【請求項２４】
第１セルにおける接続モードの端末が、前記第１セルが属する第１基地局によって割り当てられたソース識別子を受信する前記段階は、
前記端末が、前記第１セルが属する前記第１基地局によって割り当てられた短いソース識別子および長いソース識別子を受信する段階
を含む、
請求項１７から２２のいずれか一項に記載の方法。
【請求項２５】
第１事前設定条件が満たされたときに、前記端末が、第２セルが属する第２基地局へ前記ソース識別子を報告する前記段階の前に、
前記端末が、前記第２基地局によって送信された指示情報に従って、長いソース識別子または短いソース識別子を報告することを決定する段階
を備え、
前記長いソース識別子および前記短いソース識別子は、２つの独立したソース識別子であり得るか、または、前記短いソース識別子は、前記長いソース識別子の部分情報である、
請求項１７から２２のいずれか一項に記載の方法。
【請求項２６】
前記第２基地局の前記指示情報は、システムブロードキャストを使用することによって構成される指示情報であるか、もしくは、承認コマンドを使用することによって前記端末へ送信される承認情報であり、前記端末が、前記第２基地局の指示情報に従って、長いソース識別子もしくは短いソース識別子を報告することを決定する前記段階は、
前記端末が、前記システムブロードキャストを使用することによって構成された前記指示情報における指示に従って、前記ソース識別子を報告するために使用されるソース識別子の種類を決定する段階、または、
前記端末が、前記承認情報に従って、伝送できるメッセージのサイズを決定し、伝送できる前記メッセージの前記サイズに従って、前記長いソース識別子もしくは前記短いソース識別子を使用することを選択する段階
を含む、請求項２５に記載の方法。
【請求項２７】
第１事前設定条件が満たされたときに前記端末が、第２セルが属する第２基地局へ前記ソース識別子を報告する前記段階の前に、さらに、
前記端末が、事前設定範囲内のランダムアクセスプリアンブルを前記第２基地局へ送信する段階であって、前記事前設定範囲内の前記ランダムアクセスプリアンブルは、前記ソース識別子が前記第２基地局へ送信される必要があること、または、事前設定された長さの閾値より大きい長さのメッセージが前記第２基地局へ送信される必要があることを示すために使用される、段階と、
前記第２基地局によって割り当てられた、前記ソース識別子を伝送するために使用される事前設定サイズ伝送リソースを受信する段階と、
前記伝送リソースを使用することによって、前記ソース識別子を前記第２基地局へ送信する段階と
を備える、請求項１７から２３のいずれか一項に記載の方法。
【請求項２８】
前記事前設定範囲内の前記ランダムアクセスプリアンブルは、予め定義されたプリアンブルであるか、または、前記第２基地局によって構成された、受信されたプリアンブルである、請求項２７に記載の方法。
【請求項２９】
前記端末が、第２セルが属する第２基地局へ前記ソース識別子を報告する前記段階は、
前記端末がランダムアクセスプリアンブルを前記第２基地局へ送信する段階と、
前記第２基地局によって送信された専用端末識別子と、前記第２基地局によって送信された、前記ランダムアクセスプリアンブルに従って割り当てられた、前記ソース識別子を伝送するために使用される伝送リソースとを受信する段階であって、前記専用端末識別子は、前記第２セルにおいて前記端末を一意に識別する識別子である、段階と、
前記伝送リソースを使用することによって、前記ソース識別子を前記第２基地局へ送信する段階と、
前記第２基地局によって送信された、前記ソース識別子を含む肯定応答情報を受信する段階と、
前記肯定応答情報に従って、前記専用端末識別子を適用するかどうかを決定する段階と
を備える、請求項１７から２８のいずれか一項に記載の方法。
【請求項３０】
前記肯定応答情報に従って、前記専用端末識別子を適用するかどうかを決定する前記段階は、
前記端末が、前記肯定応答情報に従って前記専用端末識別子を適用することを省略する段階、または、
前記端末が、前記肯定応答情報に従って前記専用端末識別子を適用し、前記低オーバーヘッド状態から出る段階、または、
前記端末が、前記肯定応答情報に従って前記専用端末識別子を適用し、前記低オーバーヘッド状態に留まる段階、または、
前記端末が、前記低オーバーヘッド状態から出るように前記端末に命令するために使用される、前記肯定応答情報に保持される命令に従って、前記専用端末識別子を適用し、前記低オーバーヘッド状態から出る段階
を含む、請求項２９に記載の方法。
【請求項３１】
前記端末が前記専用端末識別子を適用する前記段階の後に、
現在キャンプオンしている前記サービングセルのセル識別子に従って、前記接続コンテキストにおける鍵を更新する段階を備える、請求項２０に記載の方法。
【請求項３２】
前記ソース識別子はさらに、検証情報を含み、前記検証情報は、前記ソース識別子および更新された鍵に従って、前記端末によって生成される身元認証情報である、請求項３１に記載の方法。
【請求項３３】
事前設定アクティベーション条件が満たされたときに前記端末が低オーバーヘッド状態に入る前記段階の後に、さらに、
前記端末が、前記ソース識別子を使用することによって、ページングのリッスンを実行する段階を備える、請求項１７から２９のいずれか一項に記載の方法。
【請求項３４】
前記第１基地局によって送信された無線リソース制御ＲＲＣ構成情報を受信する段階であって、前記ＲＲＣ構成情報はＲＲＣ構成インデックスを含み、前記構成インデックスは、前記ＲＲＣ構成情報を示すために使用される、段階と、
前記端末が、前記低オーバーヘッド状態において、前記ＲＲＣ構成情報を使用する段階と
をさらに備える、請求項１７から３３のいずれか一項に記載の方法。
【請求項３５】
第１事前設定条件が満たされたとき、前記端末が、第２セルが属する第２基地局へ前記ソース識別子を報告する前記段階は、
前記端末が、前記ＲＲＣ構成インデックスを含む前記ソース識別子を、前記第２セルが属する前記第２基地局へ報告する段階であって、前記第２基地局が、前記ＲＲＣ構成インデックスに従って、前記端末によって使用される前記ＲＲＣ構成情報を決定する、段階を含む、請求項３４に記載の方法。
【請求項３６】
前記第１事前設定条件は、前記端末がアップリンクデータを送信する必要があることであり、前記端末が、第２セルが属する第２基地局へ前記ソース識別子を報告する前記段階は、さらに、前記ソース識別子を報告するとき、または後に、前記端末が、前記第２セルが属する前記第２基地局へアップリンクデータ指示を報告する段階を含む、請求項１７から３５のいずれか一項に記載の方法。
【請求項３７】
第２セルが属する第２基地局が、低オーバーヘッド状態の端末によって報告されたソース識別子を受信する段階であって、前記端末は、前記低オーバーヘッド状態において、接続モードの前記端末の接続コンテキストを記憶し、移動中にセル再選択基準に従ってセルにキャンプオンし、前記第１セルは、前記端末が前記低オーバーヘッド状態に入ったときのサービングセルであり、前記第２セルは、前記端末の現在のサービングセルであり、前記ソース識別子は、前記第１セルが属する第１基地局において、前記端末を識別する第１端末識別子を含む、段階と、
前記ソース識別子に従って、前記第１端末識別子を前記第１基地局へ送信し、前記端末の前記現在のサービングセルが前記第２セルであることを前記第１基地局に通知する段階と
を備える移動性管理の方法。
【請求項３８】
前記ソース識別子は、前記第１セルを識別する第１セル識別子と、前記第１セルにおいて前記端末を一意に識別する前記第１端末識別子とを含み、前記第１セル識別子は、セルグローバル識別子ＥＣＧＩ、物理セル識別子ＰＣＩ、もしくは、エリアの識別子と前記エリアにおける前記第１セルの識別子とを含むセル識別子のうちの少なくとも１つを含み、または、
前記ソース識別子は、前記第１基地局を一意に識別する第１基地局識別子と、前記第１基地局において前記端末を一意に識別する前記第１端末識別子とを含む、
請求項３７に記載の方法。
【請求項３９】
前記ソース識別子はさらに、指示情報を含み、前記指示情報は、前記端末が前記低オーバーヘッド状態にあることを前記第２基地局に通知するために使用される、請求項３７または３８に記載の方法。
【請求項４０】
第２セルが属する第２基地局が、低オーバーヘッド状態の端末によって報告されたソース識別子を受信する前記段階の前に、
前記第２基地局がシステム情報ブロードキャストを送信する段階であって、前記システム情報は、前記低オーバーヘッド状態における前記端末のアクセスが許可されるという指示を保持し、前記端末は、前記アクセスの指示に従って、前記ソース識別子を前記第２基地局へ送信するかどうかを決定する、段階を備える、請求項３７から３９のいずれか一項に記載の方法。
【請求項４１】
第２セルが属する第２基地局が、低オーバーヘッド状態の端末によって報告されたソース識別子を受信する前記段階の前に、さらに、
前記端末によって送信されたランダムアクセスプリアンブルを受信する段階と、
前記ランダムアクセスプリアンブルが事前設定範囲内に属するとき、事前設定サイズ伝送リソースを前記端末に割り当てる段階であって、前記端末は、前記伝送リソースを使用することによって前記ソース識別子を送信する、段階と
を備える、請求項３７から４０のいずれか一項に記載の方法。
【請求項４２】
前記事前設定範囲内の前記ランダムアクセスプリアンブルは、予め定義されたプリアンブルであるか、または、前記第２基地局によって構成された、受信されたプリアンブルである、請求項４１に記載の方法。
【請求項４３】
第２セルが属する第２基地局が、低オーバーヘッド状態の端末によって報告されたソース識別子を受信する前記段階は、
前記第２セルが属する前記第２基地局が、前記低オーバーヘッド状態における前記端末によって送信されたランダムアクセスプリアンブルを受信する段階と、
前記ランダムアクセスプリアンブルに従って、専用端末識別子と、前記ソース識別子を伝送するために使用される伝送リソースとを前記端末に割り当てる段階であって、前記専用端末識別子は、前記第２セルにおいて、前記端末を一意に識別する識別子である、段階と、
前記伝送リソースを使用することによって前記ソース識別子を受信する段階と、
前記ソース識別子を含む肯定応答情報を前記端末へ送信する段階と
を備える、請求項３７から４０のいずれか一項に記載の方法。
【請求項４４】
前記ソース識別子を含む肯定応答情報を前記端末へ送信する前記段階は、
前記低オーバーヘッド状態から出るように前記端末に命令するために使用される命令を保持する、前記ソース識別子を含む肯定応答メッセージを前記端末へ送信する段階であって、前記端末は前記命令に従って、前記専用端末識別子を適用し、前記低オーバーヘッド状態から出る、段階を含む、請求項４３に記載の方法。
【請求項４５】
前記ソース識別子に従って、前記第１端末識別子を前記第１基地局へ送信する前記段階は、
前記ソース識別子に従って、通知メッセージを前記第１基地局へ送信する段階であって、前記通知メッセージは、前記端末の前記ソース識別子、および、前記端末が現在所在する前記第２セルの第２セル識別子を保持し、前記第１基地局は、前記ソース識別子、および、前記第２セル識別子に従って、前記端末が現在キャンプオンしている前記サービングセルが前記第２セルであると決定する、段階を含む、請求項３７から４４のいずれか一項に記載の方法。
【請求項４６】
前記ソース識別子に従って、前記第１端末識別子を前記第１基地局へ送信する前記段階の後に、さらに、
前記端末によって送信された、前記ソース識別子を含むアップリンクデータ指示を受信する段階と、
前記第２基地局が、前記接続コンテキストのための転送要求を前記第１基地局へ送信する段階であって、前記接続コンテキストは、前記端末が前記低オーバーヘッド状態に入るときに前記第１基地局によって記憶される、前記接続モードの前記端末の接続コンテキストであり、前記コンテキスト転送要求は、前記端末の前記ソース識別子を保持する、段階と、
前記第１基地局によって転送された前記接続コンテキストを受信し、前記接続コンテキストに従って、前記端末との接続を確立する段階と
を備える、請求項３７から４３のいずれか一項に記載の方法。
【請求項４７】
前記第１基地局によって転送された前記接続コンテキストを受信する前記段階の後に、さらに、
再割り当てされたソース識別子を前記端末へ送信する段階であって、前記再割り当てされたソース識別子は、前記第２基地局において前記端末を識別する第２端末識別子を含む、段階と、
命令を前記端末へ送信し、前記低オーバーヘッド状態から出るように前記端末に命令する段階と
を備える、請求項３７に記載の方法。
【請求項４８】
前記ソース識別子に従って、前記第１端末識別子を前記第１基地局へ送信する前記段階の後に、さらに、
前記第１基地局によって送信された、前記接続コンテキストと、前記端末の前記ソース識別子とを受信する段階と、
受信された前記接続コンテキストおよび前記ソース識別子に従って、前記端末の構成情報を決定し、前記ソース識別子に従って、前記端末のアップリンクアクセスを引き起こす段階と、
を備える、請求項３７から４７のいずれか一項に記載の方法。
【請求項４９】
前記ソース識別子に従って前記端末のアップリンクアクセスを引き起こす前記段階は、
前記ソース識別子を使用することによって前記端末をページングする段階、または、
前記ソース識別子に従って、前記端末の前記専用端末識別子を決定し、前記専用端末識別子を使用することによって、前記端末へアップリンクアクセスコマンドを送信する段階、または、
前記ソース識別子に従って、前記端末の前記専用端末識別子を決定し、前記専用端末識別子を使用することによって、前記端末をページングする段階
を含む、請求項４８に記載の方法。
【請求項５０】
前記ソース識別子はさらに、無線リソース制御ＲＲＣ構成インデックスを含み、第２セルが属する第２基地局が、低オーバーヘッド状態の端末によって報告されたソース識別子を受信する前記段階の後に、前記方法はさらに、
前記第２基地局が前記ＲＲＣ構成インデックスに従って、前記端末によって使用されるＲＲＣ構成情報を決定する段階を備える、請求項３７から４９のいずれか一項に記載の方法。
【請求項５１】
前記ソース識別子に従って、前記第１端末識別子を前記第１基地局へ送信する前記段階は、
前記第２基地局と前記第１基地局との間のインタフェースを使用することによって、前記ソース識別子に従って、前記ソース識別子を前記第１基地局へ送信する段階、または、
コアネットワークを使用することによって、前記ソース識別子に従って、前記ソース識別子を前記第１基地局へ送信する段階
を含む、請求項３７から５０のいずれか一項に記載の方法。
【請求項５２】
基地局であって、
前記基地局は第１基地局であり、前記第１基地局は、出力ユニット、記憶ユニットおよび処理ユニットを備え、
前記記憶ユニットは、プログラムコードを記憶するように構成され、前記処理ユニットは、前記記憶ユニットに記憶されている前記プログラムコードを呼び出して、
前記出力ユニットを使用することによって、前記第１セルにおける接続モードの端末にソース識別子を割り当てるステップであって、前記ソース識別子は、前記第１基地局において前記端末を識別する第１端末識別子を含む、ステップと、
前記端末が低オーバーヘッド状態に入ったと決定した後に、前記接続モードの前記端末の接続コンテキストを記憶するステップであって、前記端末は、事前設定アクティベーション条件が満たされたときに前記低オーバーヘッド状態に入り、前記低オーバーヘッド状態において、前記端末は前記接続コンテキストを記憶し、移動中にセル再選択基準に従ってセルにキャンプオンする、ステップと
を実行するように構成されている、
基地局。
【請求項５３】
前記ソース識別子は、前記第１セルを識別する第１セル識別子と、前記第１セルにおいて前記端末を一意に識別する前記第１端末識別子とを含み、前記第１セル識別子は、セルグローバル識別子ＥＣＧＩ、物理セル識別子ＰＣＩ、もしくは、エリアの識別子と前記エリアにおける前記第１セルの識別子とを含むセル識別子のうちの少なくとも１つを含み、
または、前記ソース識別子は、前記第１基地局を一意に識別する第１基地局識別子、および、前記第１基地局において前記端末を一意に識別する前記第１端末識別子を含む、
請求項５２に記載の基地局。
【請求項５４】
前記処理ユニットが、前記出力ユニットを使用することによって、前記第１セルにおける接続モードの端末にソース識別子を割り当てるように構成されていることは、具体的には、
前記出力ユニットによって出力された、セルブロードキャストメッセージもしくは専用メッセージを使用することによって、または、ランダムアクセスチャネルＲＡＣＨ手順において、前記第１セルにおける前記接続モードの前記端末に前記ソース識別子を割り当てることを含む、
請求項５２または５３に記載の基地局。
【請求項５５】
前記事前設定アクティベーション条件は、
前記第１基地局が、前記低オーバーヘッド状態に入るように前記端末に命令するために使用される制御命令を前記端末へ送信すること、
第１事前設定期間内に前記第１基地局と前記端末との間でデータが伝送されなかったこと、
前記第１基地局が、前記端末のタイミングアドバンスタイマであるＴＡタイマが満了したと決定するか、もしくは、前記第１基地局が、前記端末のＴＡタイマが満了し、かつ、前記ＴＡタイマが第２事前設定期間内に再度作動しなかったと決定すること、または、
前記第１基地局が、前記端末が間欠受信ＤＲＸ状態に入り、かつ、第３事前設定期間内に前記ＤＲＸ状態から出なかったと決定すること
のうちの少なくとも１つの条件を含む、請求項５２から５４のいずれか一項に記載の基地局。
【請求項５６】
前記処理ユニットが、前記出力ユニットを使用することによって、前記第１セルにおける接続モードの端末にソース識別子を割り当てるように構成されていることは、具体的には、
前記第１セルにおける前記接続モードの前記端末へ短いソース識別子および長いソース識別子を割り当てることである、請求項５２から５５のいずれか一項に記載の基地局。
【請求項５７】
前記処理ユニットはさらに、前記端末が前記低オーバーヘッド状態に入ったと決定した後に、
前記出力ユニットを使用することによって、前記端末が前記低オーバーヘッド状態において使用する、無線リソース制御ＲＲＣ構成情報を前記端末へ送信するように構成されている、請求項５２から５５のいずれか一項に記載の基地局。
【請求項５８】
前記ＲＲＣ構成情報は、ＲＲＣ構成インデックスを含み、前記構成インデックスは、前記ＲＲＣ構成情報を示すために使用される、請求項５７に記載の基地局。
【請求項５９】
前記処理ユニットはさらに、
前記低オーバーヘッド状態の前記端末のアクセスが許可されるという指示を前記端末へ送信すること、または、
前記低オーバーヘッド状態の前記端末が報告することを許可されているソース識別子の種類を前記端末へ送信することであって、前記ソース識別子の種類は、前記短いソース識別子もしくは前記長いソース識別子を含む、こと
を行うように構成されている、請求項５２から５８のいずれか一項に記載の方法。
【請求項６０】
前記端末が前記低オーバーヘッド状態に入ったと決定した後に、前記処理ユニットはさらに、
前記端末のダウンリンクデータが前記第１基地局に到達したとき、または、コアネットワークからの第１ページングメッセージが受信された後に、第２ページングメッセージを第３基地局へ送信するように構成されている、請求項５２から５８のいずれか一項に記載の方法。
【請求項６１】
前記端末の前記ダウンリンクデータが前記第１基地局に到達するか、または、前記コアネットワークからの前記ページングメッセージが受信される前に、前記処理ユニットはさらに、
前記コアネットワークによって送信された、ページングパラメータについての情報を受信することであって、前記ページングパラメータは、前記端末のページングインデックス、または、前記端末のＤＲＸサイクルを含み、前記ページングは、前記端末のページングオフセットを計算するために使用される、ことを行うように構成されている、請求項６０に記載の方法。
【請求項６２】
前記基地局は入力ユニットを備え、前記処理ユニットはさらに、
前記端末が前記低オーバーヘッド状態に入ったと決定した後に、前記入力ユニットを使用することによって、前記第２セルが属する第２基地局によって送信された通知メッセージを受信することであって、前記通知メッセージは、前記端末の前記ソース識別子、および、前記端末が現在所在する前記第２セルの第２セル識別子を保持し、前記第２セルは、前記端末が現在キャンプオンしているサービングセルである、こと、ならびに、
前記ソース識別子および前記第２セル識別子に従って、前記端末が現在キャンプオンしている前記サービングセルが前記第２セルであると決定すること
を行うように構成されている、請求項５２から５７のいずれか一項に記載の基地局。
【請求項６３】
前記処理ユニットはさらに、
前記ソース識別子および前記第２セル識別子に従って、前記端末が現在キャンプオンしている前記サービングセルが前記第２セルであると決定した後に、前記端末のダウンリンクデータが前記第１基地局に到達したときに、前記出力ユニットを使用することによって、前記接続コンテキスト、および、前記端末の前記ソース識別子を前記第２基地局へ送信することであって、前記第２基地局は、前記第２セルが属する基地局である、ことを行うように構成されている、請求項６２に記載の基地局。
【請求項６４】
前記基地局はさらに、前記入力ユニットを備え、前記通知メッセージは、前記端末の検証情報を保持し、前記検証情報は、前記ソース識別子、および、前記接続コンテキストに含まれる鍵に従って、前記端末によって生成される身元認証情報であり、
前記処理ユニットはさらに、
前記入力ユニットを使用することによって、前記第２基地局によって送信された前記通知メッセージを受信した後に、前記ソース識別子および前記検証情報に従って、前記端末が有効な端末かどうかを決定するように構成されている、請求項６２または６３に記載の基地局。
【請求項６５】
前記基地局はさらに、前記入力ユニットを備え、前記処理ユニットはさらに、
前記端末が前記低オーバーヘッド状態に入ったと決定した後に、前記入力ユニットを使用することによって、前記第２セルが属する前記第２基地局によって送信された、前記接続コンテキストのための転送要求を受信することであって、前記転送要求は、前記端末の前記ソース識別子を保持し、前記第２セルは、前記端末が現在キャンプオンしている前記セルである、こと、および、
前記出力ユニットを使用することによって、前記転送要求に保持される前記ソース識別子に従って、前記接続コンテキストを前記第２基地局へ送信すること
を行うように構成されている、請求項５２から５７のいずれか一項に記載の基地局。
【請求項６６】
入力ユニット、出力ユニット、記憶ユニットおよび処理ユニットを備えるユーザ機器端末であって、
前記記憶ユニットは、プログラムコードを記憶するように構成され、前記処理ユニットは、前記記憶ユニットに記憶されている前記プログラムコードを呼び出して、
前記入力ユニットを使用することによって、前記第１セルが属する第１基地局によって割り当てられたソース識別子を受信するステップであって、前記ソース識別子は、前記第１基地局のセルにおいて前記端末を一意に識別する第１端末識別子を含む、ステップと、
事前設定アクティベーション条件が満たされたとき、前記端末が低オーバーヘッド状態に入ることを可能にするステップであって、前記端末は、前記低オーバーヘッド状態において、接続モードの前記端末の接続コンテキストを記憶し、移動中にセル再選択基準に従って、セルにキャンプオンする、ステップと、
第１事前設定条件が満たされたとき、前記出力ユニットを使用することによって、第２セルが属する第２基地局へ前記ソース識別子を報告するステップであって、前記第２セルは、前記端末が現在キャンプオンしているサービングセルである、ステップと
を実行するように構成されている、
ユーザ機器端末。
【請求項６７】
前記ソース識別子は、前記第１セルを識別する第１セル識別子と、前記第１セルにおいて前記端末を一意に識別する前記第１端末識別子とを含み、前記第１セル識別子は、セルグローバル識別子ＥＣＧＩ、物理セル識別子ＰＣＩ、もしくは、エリアの識別子と前記エリアにおける前記第１セルの識別子とを含むセル識別子のうちの少なくとも１つを含み、
または、前記ソース識別子は、前記第１基地局を一意に識別する第１基地局識別子、および、前記第１基地局において前記端末を一意に識別する前記第１端末識別子を含む、
請求項６６に記載のユーザ機器。
【請求項６８】
前記事前設定アクティベーション条件は、
前記端末が、前記低オーバーヘッド状態に入るように命令するために使用される制御命令を前記第１基地局から受信すること、
前記端末が前記第１セルから去ること、
第１事前設定期間内に前記端末と前記第１基地局との間でデータが伝送されなかったこと、
前記端末のタイミングアドバンスタイマであるＴＡタイマが満了するか、もしくは、前記端末のＴＡタイマが満了し、かつ、前記ＴＡタイマが第２事前設定期間内に再度作動しなかったこと、または、
前記端末が間欠受信ＤＲＸ状態に入り、かつ、第３事前設定期間内に前記ＤＲＸ状態から出なかったこと
のうちの少なくとも１つの条件を含む、請求項６６または６７に記載のユーザ機器。
【請求項６９】
前記処理ユニットはさらに、前記事前設定アクティベーション条件が満たされたときに前記端末が前記低オーバーヘッド状態に入った後に、第２事前設定条件が満たされたときに前記端末が前記低オーバーヘッド状態から出ることを可能にするように構成され、
前記第２事前設定条件は、
前記端末が現在キャンプオンしている前記サービングセルが変化したこと、または、
前記端末が現在キャンプオンしている前記サービングセルが、指定されたセルの組の範囲を超えたこと、または、
前記端末が現在キャンプオンしている前記サービングセル、および、前記第１セルが、同一の事前設定エリアもしくは同一の基地局に属さないこと、または、
前記端末が、前記ソース識別子を前記第２基地局へ送信し、前記ソース識別子についてのアクセス拒否指示を前記第２基地局から受信すること、または、
前記端末が、前記第２セルのシステム情報ブロードキャストを読み取り、前記システム情報ブロードキャストは、前記低オーバーヘッド状態の前記端末のアクセスが許可されるという指示を保持しないこと、または、
前記端末はアップリンクデータを送信する必要があること
を含む、
請求項６６から６８のいずれか一項に記載のユーザ機器。
【請求項７０】
前記処理ユニットが、第２事前設定条件が満たされたとき、前記端末が前記低オーバーヘッド状態から出ることを可能にするように構成されていることは、具体的には、前記第２事前設定条件が満たされたとき、前記接続コンテキストを消去し、前記端末がアイドルモードに入ることを可能にすることを含む、請求項６９に記載のユーザ機器。
【請求項７１】
前記処理ユニットはさらに、
前記第１セルが属する前記第１基地局によって割り当てられた短いソース識別子および長いソース識別子を受信するように構成されている、請求項６６から６９のいずれか一項に記載のユーザ機器。
【請求項７２】
前記端末が、前記第２セルが属する前記第２基地局へ前記ソース識別子を報告する前に、前記処理ユニットはさらに、
前記第２基地局によって送信された指示情報に従って、長いソース識別子または短いソース識別子を報告することを決定するように構成されている、請求項６６から６９のいずれか一項に記載のユーザ機器。
【請求項７３】
前記第１事前設定条件は、前記端末が現在キャンプオンしている前記サービングセルが変化すること、または、
前記端末が現在キャンプオンしている前記第２セルが、前記指定されたセルの組の範囲を超えること、または、
前記端末が現在キャンプオンしている前記第２セル、および、前記第１セルが、同一の事前設定エリアもしくは同一の基地局に属さないこと、または、
前記端末がアップリンクデータを送信する必要があること
を含む、請求項６６から７２のいずれか一項に記載のユーザ機器。
【請求項７４】
前記処理ユニットはさらに、
前記第１事前設定条件が満たされたときに、前記出力ユニットを使用することによって、前記第２セルが属する前記第２基地局へ前記ソース識別子を報告する前に、前記入力ユニットを使用することによって、前記第２セルのシステム情報ブロードキャストを受信して読み取り、前記システム情報ブロードキャストが、前記低オーバーヘッド状態の前記端末のアクセスが許可されるという指示を保持している場合、前記出力ユニットを使用することによって、前記アクセスの指示に従って、前記ソース識別子を前記第２基地局へ送信することを決定するように構成されている、請求項６６から７３のいずれか一項に記載のユーザ機器。
【請求項７５】
前記処理ユニットはさらに、前記第１事前設定条件が満たされたとき、前記出力ユニットを使用することによって、前記第２セルが属する前記第２基地局へ前記ソース識別子を報告する前に、
前記出力ユニットを使用することによって、事前設定範囲内のランダムアクセスプリアンブルを前記第２基地局へ送信することであって、前記事前設定範囲内の前記ランダムアクセスプリアンブルは、前記ソース識別子が前記第２基地局へ送信される必要があること、または、事前設定された長さの閾値より大きい長さのメッセージが前記第２基地局へ送信される必要があることを示すために使用される、こと、
前記入力ユニットを使用することによって、前記第２基地局によって割り当てられた、前記ソース識別子を伝送するために使用される事前設定サイズ伝送リソースを受信すること、および、
前記出力ユニットを使用することによって、前記伝送リソースを使用することによって前記ソース識別子を前記第２基地局へ送信すること
を行うように構成されている、請求項６６から７４のいずれか一項に記載のユーザ機器。
【請求項７６】
前記事前設定範囲内の前記ランダムアクセスプリアンブルは、予め定義されたプリアンブルであるか、または、前記第２基地局によって構成された、受信されたプリアンブルである、請求項７５に記載のユーザ機器。
【請求項７７】
前記処理ユニットが、第２セルが属する第２基地局へ前記ソース識別子を報告するように構成されていることは、具体的には、
前記出力ユニットを使用することによって、ランダムアクセスプリアンブルを前記第２基地局へ送信すること、
前記入力ユニットを使用することによって、前記第２基地局によって送信された専用端末識別子と、前記第２基地局によって送信された、前記ランダムアクセスプリアンブルに従って割り当てられた、前記ソース識別子を伝送するために使用される伝送リソースとを受信することであって、前記専用端末識別子は、前記第２セルにおいて前記端末を一意に識別する識別子である、こと、
前記出力ユニットを使用することによって、前記伝送リソースを使用することによって前記ソース識別子を前記第２基地局へ送信すること、
前記入力ユニットを使用することによって、前記第２基地局によって送信された、前記ソース識別子を含む肯定応答情報を受信すること、および、
前記肯定応答情報に従って、前記専用端末識別子を適用するかどうかを決定すること
である、請求項６６から７６のいずれか一項に記載のユーザ機器。
【請求項７８】
前記処理ユニットが、前記肯定応答情報に従って、前記専用端末識別子を適用するかどうかを決定するように構成されていることは、具体的には、
前記処理ユニットが、前記肯定応答情報に従って前記専用端末識別子を適用することを省略すること、または、
前記処理ユニットが、前記肯定応答情報に従って、前記専用端末識別子を適用し、前記低オーバーヘッド状態から出ること、または、
前記処理ユニットが、前記肯定応答情報に従って、前記専用端末識別子を適用し、前記低オーバーヘッド状態に留まること、または、
前記処理ユニットが、前記低オーバーヘッド状態から出るように前記端末に命令するために使用される、前記肯定応答情報に保持される命令に従って、前記専用端末識別子を適用し、前記低オーバーヘッド状態から出ること
である、請求項７７に記載のユーザ機器。
【請求項７９】
前記処理ユニットはさらに、
前記端末が前記専用端末識別子を適用した後に、現在キャンプオンしている前記サービングセルのセル識別子に従って、前記接続コンテキストにおける鍵を更新するように構成されている、請求項７８に記載のユーザ機器。
【請求項８０】
前記ソース識別子はさらに、検証情報を含み、前記検証情報は、前記ソース識別子および更新された鍵に従って、前記端末によって生成される身元認証情報である、請求項７９に記載のユーザ機器。
【請求項８１】
前記処理ユニットはさらに、
前記事前設定アクティベーション条件が満たされたときに前記端末が前記低オーバーヘッド状態に入った後に、前記ソース識別子を使用することによって、ページングのリッスンを実行するように構成されている、請求項６６から８０のいずれか一項に記載のユーザ機器。
【請求項８２】
前記処理ユニットはさらに、
前記事前設定アクティベーション条件が満たされたときに前記端末が前記低オーバーヘッド状態に入った後に、前記入力ユニットを使用することによって、前記第１基地局によって送信された無線リソース制御ＲＲＣ構成情報を受信することであって、前記ＲＲＣ構成情報は、ＲＲＣ構成インデックスを含み、前記構成インデックスは、前記ＲＲＣ構成情報を示すために使用される、こと、および、
前記端末が前記低オーバーヘッド状態において前記ＲＲＣ構成情報を使用することを可能にすること
を行うように構成されている、請求項６６から８０のいずれか一項に記載のユーザ機器。
【請求項８３】
前記処理ユニットが、第１事前設定条件が満たされたとき、第２セルが属する第２基地局へ前記ソース識別子を報告するように構成されていることは、具体的には、
前記出力ユニットを使用することによって、前記ＲＲＣ構成インデックスを含む前記ソース識別子を、前記第２セルが属する前記第２基地局へ報告し、前記第２基地局が、前記ＲＲＣ構成インデックスに従って、前記端末によって使用される前記ＲＲＣ構成情報を決定することである、請求項８２に記載のユーザ機器。
【請求項８４】
基地局であって、
前記基地局は第２基地局であり、前記第２基地局は、入力ユニット、出力ユニット、記憶ユニットおよび処理ユニットを備え、
前記記憶ユニットは、プログラムコードを記憶するように構成され、前記処理ユニットは、前記記憶ユニットに記憶された前記プログラムコードを呼び出して、
前記入力ユニットを使用することによって、低オーバーヘッド状態の端末によって報告されたソース識別子を受信するステップであって、前記端末は、前記低オーバーヘッド状態において、接続モードの前記端末の接続コンテキストを記憶し、移動中にセル再選択基準に従って、セルにキャンプオンし、前記第１セルは、前記端末が前記低オーバーヘッド状態に入ったときのサービングセルであり、第２セルは、前記端末の現在のサービングセルであり、前記ソース識別子は、前記第１セルが属する第１基地局において前記端末を識別する第１端末識別子を含む、ステップと、
前記出力ユニットを使用することによって、前記ソース識別子に従って、前記第１端末識別子を前記第１基地局へ送信し、前記端末の前記現在のサービングセルが前記第２セルであると前記第１基地局に通知するステップと
を実行するように構成されている、
基地局。
【請求項８５】
前記ソース識別子は、前記第１セルを識別する第１セル識別子と、前記第１セルにおいて前記端末を一意に識別する前記第１端末識別子とを含み、前記第１セル識別子は、セルグローバル識別子ＥＣＧＩ、物理セル識別子ＰＣＩ、もしくは、エリアの識別子と前記エリアにおける前記第１セルの識別子とを含むセル識別子のうちの少なくとも１つを含み、または、
前記ソース識別子は、前記第１基地局を一意に識別する第１基地局識別子、および、前記第１基地局において前記端末を一意に識別する前記第１端末識別子を含む、
請求項８４に記載の基地局。
【請求項８６】
前記ソース識別子はさらに、指示情報を含み、前記指示情報は、前記端末が前記低オーバーヘッド状態にあることを前記第２基地局に通知するために使用される、請求項８４または８５に記載の基地局。
【請求項８７】
前記処理ユニットはさらに、前記入力ユニットを使用することによって、前記低オーバーヘッド状態の前記端末によって報告された前記ソース識別子を受信する前に、前記出力ユニットを使用することによって、システム情報ブロードキャストを送信することであって、前記システム情報は、前記低オーバーヘッド状態の前記端末のアクセスが許可されるという指示を保持し、前記端末は、前記アクセスの指示に従って、前記ソース識別子を前記第２基地局へ送信するかどうかを決定する、ことを行うように構成されている、請求項８４から８６のいずれか一項に記載の基地局。
【請求項８８】
前記処理ユニットはさらに、
前記入力ユニットを使用することによって、前記低オーバーヘッド状態の前記端末によって報告された前記ソース識別子を受信する前に、前記出力ユニットを使用することによって、システム情報ブロードキャストを送信することであって、前記システム情報は、前記低オーバーヘッド状態の前記端末が報告することを許可されているソース識別子の種類を保持し、前記端末は、前記ソース識別子の種類に従って、短いソース識別子もしくは長いソース識別子を使用することを決定すること、または、
前記入力ユニットを使用することによって、前記低オーバーヘッド状態の前記端末によって報告された前記ソース識別子を受信する前に、前記出力ユニットを使用することによって、短いソース識別子および長いソース識別子を前記端末に割り当てること
を行うように構成されている、請求項８４から８６のいずれか一項に記載の基地局。
【請求項８９】
前記処理ユニットはさらに、
前記入力ユニットを使用することによって受信されるダウンリンクデータが前記第１基地局に到達したとき、または、前記入力ユニットを使用することによってコアネットワークからの第１ページングメッセージが受信された後に、前記出力ユニットを使用することによって、第２ページングメッセージを第３基地局へ送信するように構成され、前記第３基地局および前記第１基地局は同一のページングエリアに属する、請求項８４から８６のいずれか一項に記載の基地局。
【請求項９０】
前記処理ユニットはさらに、
前記入力ユニットを使用することによって受信された前記ダウンリンクデータが前記第１基地局に到達する前に、前記入力ユニットを使用することによって、前記コアネットワークによって送信された、ページングパラメータについての情報を受信することであって、前記ページングパラメータは、前記端末のページングインデックス、または、前記端末のＤＲＸサイクルを含み、前記ページングは、前記端末のページングオフセットを計算するために使用される、ことを行うように構成されている、請求項８９に記載の基地局。
【請求項９１】
前記処理ユニットはさらに、前記入力ユニットを使用することによって、前記低オーバーヘッド状態の前記端末によって報告された前記ソース識別子を受信する前に、
前記入力ユニットを使用することによって、前記端末によって送信されたランダムアクセスプリアンブルを受信すること、および、
前記ランダムアクセスプリアンブルが事前設定範囲内に属するとき、前記出力ユニットを使用することによって、事前設定サイズ伝送リソースを前記端末に割り当てることであって、前記端末が前記伝送リソースを使用することによって前記ソース識別子を送信する、こと
を行うように構成されている、請求項８４から８７のいずれか一項に記載の基地局。
【請求項９２】
前記事前設定範囲内の前記ランダムアクセスプリアンブルは、予め定義されたプリアンブル、または、前記第２基地局によって構成された、受信されたプリアンブルである、請求項９１に記載の方法。
【請求項９３】
前記処理ユニットが、前記入力ユニットを使用することによって、低オーバーヘッド状態の端末によって報告されたソース識別子を受信するように構成されていることは、具体的には、
前記入力ユニットを使用することによって、前記低オーバーヘッド状態の前記端末によって送信されたランダムアクセスプリアンブルを受信すること、
前記出力ユニットを使用することによって、前記ランダムアクセスプリアンブルに従って、専用端末識別子と、前記ソース識別子を伝送するために使用される伝送リソースとを前記端末に割り当てることであって、前記専用端末識別子は、前記第２セルにおいて前記端末を一意に識別する識別子である、こと、
前記入力ユニットを使用することによって、前記伝送リソースを使用することによって前記ソース識別子を受信すること、および、
前記出力ユニットを使用することによって、前記ソース識別子を含む肯定応答情報を前記端末へ送信すること
である、請求項８４から８７のいずれか一項に記載の基地局。
【請求項９４】
前記処理ユニットが前記出力ユニットを使用することによって、前記ソース識別子を含む肯定応答情報を前記端末へ送信することは、具体的には、
前記出力ユニットを使用することによって、前記低オーバーヘッド状態から出るように前記端末に命令するために使用される命令を保持する、前記ソース識別子を含む肯定応答メッセージを前記端末へ送信することであって、前記端末は、前記命令に従って、前記専用端末識別子を適用し、前記低オーバーヘッド状態から出る、ことを含む、請求項９３に記載の基地局。
【請求項９５】
前記処理ユニットが前記出力ユニットを使用することによって、前記ソース識別子に従って、前記第１端末識別子を前記第１基地局へ送信することは、具体的には、
前記出力ユニットを使用することによって、前記ソース識別子に従って、通知メッセージを前記第１基地局へ送信することであって、前記通知メッセージは、前記端末の前記ソース識別子、および、前記端末が現在所在する前記第２セルの第２セル識別子を保持し、前記第１基地局は、前記ソース識別子および前記第２セル識別子に従って、前記端末が現在キャンプオンしている前記サービングセルが前記第２セルであると決定する、ことである、請求項８４から９４のいずれか一項に記載の基地局。
【請求項９６】
前記処理ユニットはさらに、
前記出力ユニットを使用することによって、前記ソース識別子に従って前記第１端末識別子を前記第１基地局へ送信した後に、前記端末によって送信された、前記ソース識別子を含むアップリンクデータ指示を受信すること、
前記出力ユニットを使用することによって、前記接続コンテキストのための転送要求を前記第１基地局へ送信することであって、前記接続コンテキストは、前記端末が前記低オーバーヘッド状態に入ったときに前記第１基地局によって記憶される、前記接続モードの前記端末の接続コンテキストであり、前記コンテキスト転送要求は、前記端末の前記ソース識別子を保持する、こと、および、
前記入力ユニットを使用することによって、前記第１基地局によって転送された前記接続コンテキストを受信し、前記接続コンテキストに従って、前記端末との接続を確立すること
を行うように構成されている、請求項８４から９５のいずれか一項に記載の基地局。
【請求項９７】
前記処理ユニットはさらに、前記入力ユニットを使用することによって、前記第１基地局によって転送された前記接続コンテキストを受信した後に、
前記出力ユニットを使用することによって、再割り当てされたソース識別子を前記端末へ送信することであって、前記再割り当てされたソース識別子は、前記第２基地局において前記端末を識別する第２端末識別子を含む、こと、および、
前記出力ユニットを使用することによって、命令を前記端末へ送信し、前記低オーバーヘッド状態から出るように前記端末に命令する、こと
を行うように構成されている、請求項９６に記載の基地局。
【請求項９８】
前記処理ユニットはさらに、
前記出力ユニットを使用することによって、前記ソース識別子に従って、前記第１端末識別子を前記第１基地局へ送信した後に、前記出力ユニットを使用することによって、前記第１基地局によって送信された、前記接続コンテキスト、および、前記端末の前記ソース識別子を受信すること、ならびに、
受信された前記接続コンテキストおよび前記ソース識別子に従って、前記端末の構成情報を決定し、前記ソース識別子に従って、前記端末のアップリンクアクセスを引き起こすこと
を行うように構成されている、請求項８４から９７のいずれか一項に記載の基地局。
【請求項９９】
前記処理ユニットが、前記ソース識別子に従って、前記端末のアップリンクアクセスを引き起こすように構成されていることは、具体的には、
前記ソース識別子を使用することによって前記端末をページングすること、または、
前記ソース識別子に従って、前記端末の前記専用端末識別子を決定し、前記専用端末識別子を使用することによって、前記端末へアップリンクアクセスコマンドを送信すること、または、
前記ソース識別子に従って、前記端末の前記専用端末識別子を決定し、前記専用端末識別子を使用することによって、前記端末をページングすること
である、請求項９８に記載の基地局。
【請求項１００】
前記ソース識別子はさらに、無線リソース制御ＲＲＣ構成インデックスを含み、前記処理ユニットはさらに、
前記出力ユニットを使用することによって、前記低オーバーヘッド状態の前記端末によって報告された前記ソース識別子を受信した後に、前記ＲＲＣ構成インデックスに従って、前記端末によって使用されるＲＲＣ構成情報を決定するように構成されている、請求項８４から９９のいずれか一項に記載の基地局。
【請求項１０１】
前記処理ユニットが、前記出力ユニットを使用することによって、前記ソース識別子に従って、前記第１端末識別子を前記第１基地局へ送信するように構成されていることは、具体的には、
前記出力ユニットを使用することによって、前記第２基地局と前記第１基地局の間のインタフェースを使用することによって、前記ソース識別子に従って、前記ソース識別子を前記第１基地局へ送信すること、または、
前記出力ユニットを使用することによって、コアネットワークを使用することによって、前記ソース識別子に従って、前記ソース識別子を前記第１基地局へ送信すること
である、請求項８４から１００のいずれか一項に記載の基地局。
【発明の詳細な説明】
【技術分野】
【０００１】
本願は、２０１５年１２月３１日に国際事務局に出願された、「移動性管理の方法、ユーザ機器および基地局」と題する国際特許出願第ＰＣＴ／ＣＮ２０１５／１００３３６号の優先権を主張するものであり、その全体は、参照により本明細書に組み込まれる。
【０００２】
本発明の実施形態は、通信分野に関し、より具体的には、移動性管理の方法、端末および基地局に関する。
【背景技術】
【０００３】
移動性管理は、無線モバイル通信システムにおいて重要である。移動性管理は概して、ユーザ機器（Ｕｓｅｒ  Ｅｑｕｉｐｍｅｎｔ、ＵＥ）のモバイルネットワークハンドオーバおよびセル再選択などを含み得る。
【０００４】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）のロングタームエボリューション（Ｌｏｎｇ  Ｔｅｒｍ  Ｅｖｏｌｕｔｉｏｎ、ＬＴＥ）／ＬＴＥアドバンスト（ＬＴＥ−Ａｄｖａｎｃｅｄ、ＬＴＥ−Ａ）システムにおいて、ＵＥは、アイドル（Ｉｄｌｅ）モードのＵＥと、接続モードのＵＥとを含む。アイドルモードのＵＥは、基地局に接続されず、データを送信できず、移動中にセル再選択を実行する。このモードのＵＥがデータを送信する必要がある場合、ＵＥは最初に、接続モードに切り替える必要がある。アイドルモードのＵＥは、無線リソース制御（Ｒａｄｉｏ  Ｒｅｓｏｕｒｃｅ  Ｃｏｎｔｒｏｌ、ＲＲＣ）接続確立手順を使用することによって接続コンテキストおよび専用のセル内ＵＥ識別子を取得した後に接続モードに入り得る。接続モードのＵＥは、基地局に接続され、データを送信でき、移動中にハンドオーバ（ｈａｎｄｏｖｅｒ）を実行する。接続モードのＵＥは、ＲＲＣ接続解除手順を使用することによってアイドルモードに入り得る。
【０００５】
接続モードのＵＥの典型的なハンドオーバ手順は、以下の主要なステップを含み得る。ソース基地局、すなわち、ＵＥの現在のサービング基地局がＵＥの測定パラメータを構成する。ＵＥは測定を実行し、測定結果をソース基地局へ報告する。ソース基地局はハンドオーバ要求をターゲット基地局へ送信し、ターゲット基地局からの肯定応答を受信した後に、ハンドオーバコマンドをＵＥへ送信する。ＵＥはターゲット基地局にアクセスし、アップリンク同期を実現し、ハンドオーバ完了メッセージなどを送信する。
【０００６】
将来のネットワークの進歩において、ネットワークは、ヘテロジニアスネットワーク、多地点協調（ＣｏＭＰ）伝送、スモールセルネットワーキング、および、高密度スモールセルネットワーキングなど、より多くの形式で配備される。これらのネットワーク配備形式は、ＵＥ移動性管理に新しい課題をもたらす。現在のハンドオーバ手順が引き続き使用される場合、ＵＥは、常に測定および報告を実行する必要があり、膨大なハンドオーバシグナリングのオーバーヘッド、および、無線リソースの浪費につながる。
【発明の概要】
【０００７】
上述の技術的問題を解決するべく、本発明の実施形態は、移動性管理の方法、端末および基地局を提供し、これにより、データを伝送する必要が無い、接続モードのＵＥの頻繁なハンドオーバによって移動中に発生するハンドオーバシグナリングのオーバーヘッドおよび無線リソースの浪費という従来技術の問題を解決する。
【０００８】
第１態様によれば、本発明の実施形態は、移動性管理の方法を提供し、方法は、第１セルが属する第１基地局が、第１セルにおける接続モードの端末にソース識別子を割り当てる段階であって、ソース識別子は、第１基地局において端末を識別する第１端末識別子を含む、段階と、端末が低オーバーヘッド状態に入ったと決定された後に、接続モードの端末の接続コンテキストを記憶する段階であって、端末は、事前設定アクティベーション条件が満たされたときに低オーバーヘッド状態に入り、低オーバーヘッド状態において、端末は接続コンテキストを記憶し、移動中にセル再選択基準に従ってセルにキャンプオンする、段階とを備え得る。
【０００９】
この実施形態における移動性管理の方法によれば、端末が低オーバーヘッド状態に入った後、第１基地局は、端末の移動中に、頻繁にハンドオーバ手順に関与する必要がなく、端末の接続コンテキストを記憶し、その結果、端末がデータを伝送する必要があるときはいつでも接続コンテキストを転送でき、これにより、ネットワークデバイスの通信リソースを低減し、ネットワーク通信効率を改善する。
【００１０】
可能な設計において、第１セルが属する第１基地局が、第１セルにおける接続モードの端末にソース識別子を割り当てる段階は、第１セルが属する第１基地局が、セルブロードキャストメッセージもしくは専用メッセージを使用することによって、または、ランダムアクセスチャネルＲＡＣＨ手順において、第１セルにおける接続モードの端末にソース識別子を割り当てる段階を含む。
【００１１】
可能な設計において、事前設定アクティベーション条件は、第１基地局が、低オーバーヘッド状態に入るように端末に命令するために使用される制御命令を端末へ送信すること、第１事前設定期間内に第１基地局と端末との間でデータが伝送されなかったこと、第１基地局が、端末のタイミングアドバンスタイマであるＴＡタイマが満了したと決定するか、もしくは、第１基地局が、端末のＴＡタイマが満了し、かつ、ＴＡタイマが第２事前設定期間内に再度作動しなかったと決定すること、または、第１基地局が、端末が間欠受信ＤＲＸ状態に入り、かつ、第３事前設定期間内にＤＲＸ状態から出なかったと決定することのうちの少なくとも１つの条件を含む。
【００１２】
可能な設計において、端末が低オーバーヘッド状態に入ったと決定した後に、方法はさらに、第１基地局によって、端末が低オーバーヘッド状態において使用するための無線リソース制御ＲＲＣ構成情報を端末へ送信する段階を備える。
【００１３】
可能な設計において、ＲＲＣ構成情報は、ＲＲＣ構成インデックスを含み、構成インデックスは、ＲＲＣ構成情報を示すために使用される。
【００１４】
可能な設計において、端末が低オーバーヘッド状態に入ったと決定した後に、方法はさらに、第１基地局が、第２セルが属する第２基地局によって送信された通知メッセージを受信する段階であって、通知メッセージは、端末のソース識別子、および、端末が現在所在する第２セルの第２セル識別子を保持し、第２セルは、端末が現在キャンプオンしているサービングセルである、段階と、第１基地局が、ソース識別子および第２セル識別子に従って、端末が現在キャンプオンしているサービングセルが第２セルであると決定する段階とを備える。
【００１５】
可能な設計において、第１基地局が、ソース識別子および第２セル識別子に従って、端末が現在キャンプオンしているサービングセルが第２セルであると決定した後に、方法はさらに、端末のダウンリンクデータが第１基地局に到達したときに、第１基地局が、接続コンテキストと、端末のソース識別子とを第２基地局へ送信する段階であって、第２基地局は、第２セルが属する基地局である、段階を備える。
【００１６】
この実施形態における移動性管理の方法によれば、端末が低オーバーヘッド状態に入った後に、第１基地局は、端末の移動中、ハンドオーバ手順に頻繁に関与する必要がなく、これにより、ネットワークデバイスの通信リソースを低減する。基地局がダウンリンクデータを端末へ送信する必要があるとき、基地局は能動的に、端末によってネットワークへ報告された位置情報に従って、端末が現在所在する基地局へ端末のコンテキストをハンドオーバでき、これにより、データ伝送効率を保証する。
【００１７】
可能な設計において、通知メッセージは、端末の検証情報を保持し、検証情報は、ソース識別子、および、接続コンテキストに含まれる鍵に従って端末によって生成される身元認証情報であり、第１基地局が、第２基地局によって送信された通知メッセージを受信する段階の後に、方法はさらに、第１基地局が、ソース識別子および検証情報に従って、端末が有効な端末かどうかを決定する段階を備える。
【００１８】
可能な設計において、端末が低オーバーヘッド状態に入ったと決定した後に、方法はさらに、第２セルが属する第２基地局によって送信された、接続コンテキストについての転送要求を受信する段階であって、転送要求は、端末のソース識別子を保持し、第２セルは、端末が現在キャンプオンしているセルである、段階と、転送要求に保持されるソース識別子に従って、接続コンテキストを第２基地局へ送信する段階とを備える。
【００１９】
可能な設計において、端末が低オーバーヘッド状態に入ったと決定した後に、方法はさらに、端末のダウンリンクデータが第１基地局に到達したとき、または、コアネットワークからの第１ページングメッセージが受信された後に、第１基地局が、第２ページングメッセージを第３基地局へ送信する段階であって、第３基地局および第１基地局は同一のページングエリアに属する、段階を備える。
【００２０】
可能な設計において、端末のダウンリンクデータが第１基地局に到達するとき、または、コアネットワークからの第１ページングメッセージが受信される前に、方法はさらに、コアネットワークによって送信された、ページングパラメータについての情報を受信する段階であって、ページングパラメータは、端末のページングインデックス、または、端末のＤＲＸサイクルを含み、ページングは、端末のページングオフセットを計算するために使用される、段階を備える。
【００２１】
可能な設計において、方法はさらに、第２ページングメッセージが、ページングパラメータ、ＴＭＳＩ、および／または、端末のソース識別子を含むことを含み、ページングパラメータは、端末のページングインデックス、および／または、端末のＤＲＸサイクルを含む。
【００２２】
可能な設計において、方法はさらに、第１基地局が第２ページングメッセージを第３基地局へ送信する段階の後に、第３基地局によって送信されたページング応答メッセージを受信し、ページング応答メッセージに従って、端末が現在は第３基地局に所在すると決定する段階を備える。
【００２３】
可能な設計において、方法はさらに、第１基地局が、低オーバーヘッド状態の端末のアクセスが許可されるという指示を端末へ送信する段階、または、第１基地局が、低オーバーヘッド状態の端末が報告することを許可されているソース識別子の種類を端末へ送信する段階であって、ソース識別子の種類は、短いソース識別子もしくは長いソース識別子を含む、段階、または、第１セルが属する第１基地局が、第１セルにおける接続モードの端末へ短いソース識別子および長いソース識別子を割り当てる段階を備える。
【００２４】
この実施形態における移動性管理の方法によれば、端末が低オーバーヘッド状態に入った後に、第１基地局は、端末の移動中、ハンドオーバ手順に頻繁に関与する必要がなく、これにより、ネットワークデバイスの通信リソースを低減する。端末がアップリンクデータを現在のサービング基地局へ送信する必要があるとき、端末は、端末によってネットワークへ報告されたソース識別子に従って、端末が現在所在する基地局へ端末のコンテキストをハンドオーバするように要求でき、これにより、データ伝送効率を保証する。
【００２５】
第２態様によれば、本発明の実施形態は移動性管理の方法を提供し、方法は、第１セルにおける接続モードの端末が、第１セルが属する第１基地局によって割り当てられたソース識別子を受信する段階であって、ソース識別子は、第１基地局のセルにおいて端末を一意に識別する第１端末識別子を含む、段階と、事前設定アクティベーション条件が満たされたときに、端末が低オーバーヘッド状態に入る段階であって、端末は、低オーバーヘッド状態において、接続モードの端末の接続コンテキストを記憶し、移動中にセル再選択基準に従って、セルにキャンプオンする、段階と、第１事前設定条件が満たされたとき、端末が、第２セルが属する第２基地局へソース識別子を報告する段階であって、第２セルは、端末が現在キャンプオンしているサービングセルである、段階とを備え得る。
【００２６】
この実施形態における移動性管理の方法によれば、端末が低オーバーヘッド状態に入った後に、端末はセル再選択に基づく移動性を自律的に実行し、端末の位置変更情報のみを報告し、これにより、ハンドオーバ手順を簡潔化し、ネットワークデバイスの通信リソースを低減する。端末がネットワークデバイスとのデータ通信を実行する必要があるとき、端末は通知をネットワークへ送信し得て、その結果、ネットワークは、端末が現在所在する第１基地局へ端末のコンテキストをハンドオーバし、これにより、データ伝送効率を保証する。
【００２７】
可能な設計において、事前設定アクティベーション条件は、端末が、低オーバーヘッド状態に入るように命令するために使用される制御命令を第１基地局から受信すること、端末が第１セルから去ること、第１事前設定期間内に端末と第１基地局との間でデータが伝送されなかったこと、端末のタイミングアドバンスタイマであるＴＡタイマが満了するか、もしくは、端末のＴＡタイマが満了し、かつ、ＴＡタイマが第２事前設定期間内に再度作動しなかったこと、または、端末が間欠受信ＤＲＸ状態に入り、かつ、第３事前設定期間内にＤＲＸ状態から出なかったことのうちの少なくとも１つの条件を含む。
【００２８】
可能な設計において、事前設定アクティベーション条件が満たされたときに端末が低オーバーヘッド状態に入る段階の後に、方法はさらに、第２事前設定条件が満たされたとき、端末が低オーバーヘッド状態から出る段階を備え、第２事前設定条件は、端末が現在キャンプオンしているサービングセルが変化すること、または、端末が現在キャンプオンしているサービングセルが、指定されたセルの組の範囲を超えたこと、または、端末が現在キャンプオンしているサービングセル、および、第１セルが、同一の事前設定エリアもしくは同一の基地局に属さないこと、または、端末が、ソース識別子を第２基地局へ送信し、ソース識別子についてのアクセス拒否指示を第２基地局から受信すること、または、端末が、第２セルのシステム情報ブロードキャストを読み取り、システム情報ブロードキャストは、低オーバーヘッド状態の端末のアクセスが許可されるという指示を保持しないこと、または、端末はアップリンクデータを送信する必要があることを含む。
【００２９】
可能な設計において、第２事前設定条件が満たされたときに端末が低オーバーヘッド状態から出る段階は、第２事前設定条件が満たされたときに端末が接続コンテキストを消去し、アイドルモードに入る段階を含む。
【００３０】
可能な設計において、第１事前設定条件は、端末が現在キャンプオンしているサービングセルが変化すること、または、端末が現在キャンプオンしている第２セルが、指定されたセルの組の範囲を超えること、または、端末が現在キャンプオンしている第２セル、および、第１セルが、同一の事前設定エリアもしくは同一の基地局に属さないこと、または、端末が、アップリンクデータを送信する必要があることを含む。
【００３１】
可能な設計において、第１事前設定条件が満たされたとき、端末が、第２セルが属する第２基地局へソース識別子を報告する前に、方法は、端末が第２セルのシステム情報ブロードキャストを受信して読み取る段階、システム情報ブロードキャストが、低オーバーヘッド状態の端末のアクセスが許可されているという指示を保持している場合、端末が、アクセスの指示に従って、ソース識別子を第２基地局へ送信することを決定する段階、または、端末が、第２基地局によって送信された指示情報に従って、長いソース識別子もしくは短いソース識別子を報告することを決定する段階であって、長いソース識別子および短いソース識別子は、２つの独立したソース識別子であり得るか、もしくは、短いソース識別子が長いソース識別子の部分情報である、段階を備える。
【００３２】
可能な設計において、第１事前設定条件が満たされたとき、第２基地局の指示情報は、システムブロードキャストを使用することによって構成される指示情報であるか、または、承認コマンドを使用することによって端末へ送信される承認情報であり、端末が、第２基地局によって送信された指示情報に従って、長いソース識別子もしくは短いソース識別子を報告することを決定する段階は、端末が、システムブロードキャストを使用することによって構成された指示情報における指示に従って、ソース識別子を報告するために使用されるソース識別子の種類を決定する段階、または、端末が、承認情報に従って、伝送できるメッセージのサイズを決定し、伝送できるメッセージのサイズに従って、長いソース識別子もしくは短いソース識別子を使用することを選択する段階を含む。
【００３３】
可能な設計において、第１事前設定条件が満たされたときに端末が、第２セルが属する第２基地局へソース識別子を報告する段階の前に、方法はさらに、端末が、事前設定範囲内のランダムアクセスプリアンブルを第２基地局へ送信する段階であって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、段階と、第２基地局によって割り当てられた、ソース識別子を伝送するために使用される事前設定サイズ伝送リソースを受信する段階と、伝送リソースを使用することによって、ソース識別子を第２基地局へ送信する段階とを備える。
【００３４】
可能な設計において、事前設定範囲内のランダムアクセスプリアンブルは、予め定義されたプリアンブル、または、第２基地局によって構成された、受信されたプリアンブルである。
【００３５】
可能な設計において、端末が、第２セルが属する第２基地局へソース識別子を報告する段階は、端末がランダムアクセスプリアンブルを第２基地局へ送信する段階と、第２基地局によって送信された専用端末識別子と、第２基地局によって送信された、ランダムアクセスプリアンブルに従って割り当てられた、ソース識別子を伝送するために使用される伝送リソースとを受信する段階であって、専用端末識別子は、第２セルにおいて端末を一意に識別する識別子である、段階と、伝送リソースを使用することによって、ソース識別子を第２基地局へ送信する段階と、第２基地局によって送信された、ソース識別子を含む肯定応答情報を受信する段階と、肯定応答情報に従って、専用端末識別子を適用するかどうかを決定する段階とを備える。
【００３６】
可能な設計において、肯定応答情報に従って、専用端末識別子を適用するかどうかを決定する段階は、端末が、肯定応答情報に従って専用端末識別子を適用することを省略する段階、または、端末が、肯定応答情報に従って、専用端末識別子を適用し、低オーバーヘッド状態から出る段階、または、端末が、肯定応答情報に従って、専用端末識別子を適用し、低オーバーヘッド状態に留まる段階、または、端末が、低オーバーヘッド状態から出るように端末に命令するために使用される、肯定応答情報に保持される命令に従って、専用端末識別子を適用し、低オーバーヘッド状態から出る段階を含む。
【００３７】
可能な設計において、端末が専用端末識別子を適用した後に、方法は、現在キャンプオンしているサービングセルのセル識別子に従って、接続コンテキストにおける鍵を更新する段階を備える。
【００３８】
可能な設計において、ソース識別子はさらに、検証情報を含み、検証情報は、ソース識別子および更新された鍵に従って端末によって生成される身元認証情報である。
【００３９】
可能な設計において、事前設定アクティベーション条件が満たされたときに端末が低オーバーヘッド状態に入る段階の後に、方法はさらに、端末が、ソース識別子を使用することによって、ページングのリッスンを実行する段階を備える。
【００４０】
可能な設計において、事前設定アクティベーション条件が満たされたときに端末が低オーバーヘッド状態に入った後に、方法はさらに、第１基地局によって送信された無線リソース制御ＲＲＣ構成情報を受信する段階であって、ＲＲＣ構成情報はＲＲＣ構成インデックスを含み、構成インデックスは、ＲＲＣ構成情報を示すために使用される、段階と、端末が、低オーバーヘッド状態においてＲＲＣ構成情報を使用する段階とを備える。
【００４１】
可能な設計において、第１事前設定条件が満たされたとき、端末が、第２セルが属する第２基地局へソース識別子を報告する段階は、端末が、ＲＲＣ構成インデックスを含むソース識別子を、第２セルが属する第２基地局へ報告し、その結果、第２基地局が、ＲＲＣ構成インデックスに従って、端末によって使用されるＲＲＣ構成情報を決定する段階を含む。
【００４２】
可能な設計において、第１事前設定条件は、端末がアップリンクデータを送信する必要があることであり、端末が、第２セルが属する第２基地局へソース識別子を報告する段階は、さらに、ソース識別子を報告するとき、または後に、端末が、第２セルが属する第２基地局へアップリンクデータ指示を報告する段階を含む。
【００４３】
第３態様によれば、本発明の実施形態は、移動性管理の方法を提供し、方法は、第２セルが属する第２基地局が、低オーバーヘッド状態の端末によって報告されたソース識別子を受信する段階であって、端末は、低オーバーヘッド状態において、接続モードの端末の接続コンテキストを記憶し、移動中にセル再選択基準に従ってセルにキャンプオンし、第１セルは、端末が低オーバーヘッド状態に入ったときのサービングセルであり、第２セルは、端末の現在のサービングセルであり、ソース識別子は、第１セルが属する第１基地局において端末を識別する第１端末識別子を含む、段階と、ソース識別子に従って、第１端末識別子を第１基地局へ送信し、端末の現在のサービングセルが第２セルであることを第１基地局に通知する段階とを備え得る。
【００４４】
この実施形態における移動性管理の方法によれば、端末が低オーバーヘッド状態に入った後に、ネットワークデバイスは、端末の移動中、ハンドオーバ手順に頻繁に関与する必要がなく、これにより、ネットワークデバイスの通信リソースを低減する。ネットワークデバイスが、端末とのデータ通信を実行する必要があるとき、ネットワークデバイスは、端末によってネットワークへ報告された位置情報に従って、端末が現在所在する第１基地局へ、端末のコンテキストをハンドオーバし、これにより、データ伝送効率を保証する。
【００４５】
可能な設計において、ソース識別子はさらに、指示情報を含み、指示情報は、端末が低オーバーヘッド状態にあることを第２基地局に通知するために使用される。
【００４６】
可能な設計において、第２セルが属する第２基地局が、低オーバーヘッド状態の端末によって報告されたソース識別子を受信する段階の前に、方法は、第２基地局がシステム情報ブロードキャストを送信する段階であって、システム情報は、低オーバーヘッド状態の端末のアクセスが許可されるという指示を保持し、その結果、端末は、アクセスの指示に従って、ソース識別子を第２基地局へ送信するかどうかを決定する、段階を備える。
【００４７】
可能な設計において、第２セルが属する第２基地局が、低オーバーヘッド状態の端末によって報告されたソース識別子を受信する段階の前に、方法はさらに、端末によって送信されたランダムアクセスプリアンブルを受信する段階と、ランダムアクセスプリアンブルが事前設定範囲内に属するとき、事前設定サイズ伝送リソースを端末に割り当てる段階であって、その結果、端末は、伝送リソースを使用することによってソース識別子を送信する、段階とを備える。
【００４８】
可能な設計において、事前設定範囲内のランダムアクセスプリアンブルは、予め定義されたプリアンブル、または、第２基地局によって構成された、受信されたプリアンブルである。
【００４９】
可能な設計において、第２セルが属する第２基地局が、低オーバーヘッド状態の端末によって報告されたソース識別子を受信する段階は、第２セルが属する第２基地局が、低オーバーヘッド状態の端末によって送信されたランダムアクセスプリアンブルを受信する段階と、ランダムアクセスプリアンブルに従って、専用端末識別子と、ソース識別子を伝送するために使用される伝送リソースとを端末に割り当てる段階であって、専用端末識別子は、第２セルにおいて、端末を一意に識別する識別子である、段階と、伝送リソースを使用することによってソース識別子を受信する段階と、ソース識別子を含む肯定応答情報を端末へ送信する段階とを備える。
【００５０】
可能な設計において、ソース識別子を含む肯定応答情報を端末へ送信する段階は、低オーバーヘッド状態から出るように端末に命令するために使用される命令を保持する、ソース識別子を含む肯定応答メッセージを端末へ送信する段階であって、その結果、端末は命令に従って、専用端末識別子を適用し、低オーバーヘッド状態から出る、段階を含む。
【００５１】
可能な設計において、ソース識別子に従って、第１端末識別子を第１基地局へ送信する段階は、ソース識別子に従って、通知メッセージを第１基地局へ送信する段階であって、通知メッセージは、端末のソース識別子、および、端末が現在所在する第２セルの第２セル識別子を保持し、その結果、第１基地局は、ソース識別子、および、第２セル識別子に従って、端末が現在キャンプオンしているサービングセルが第２セルであると決定する、段階を含む。
【００５２】
可能な設計において、ソース識別子に従って、第１端末識別子を第１基地局へ送信する段階の後に、方法はさらに、端末によって送信された、ソース識別子を含むアップリンクデータ指示を受信する段階と、第２基地局が、接続コンテキストのための転送要求を第１基地局へ送信する段階であって、接続コンテキストは、端末が低オーバーヘッド状態に入るときに第１基地局によって記憶される、接続モードの端末の接続コンテキストであり、コンテキスト転送要求は、端末のソース識別子を保持する、段階と、第１基地局によって転送された接続コンテキストを受信し、接続コンテキストに従って、端末との接続を確立する段階とを備える。
【００５３】
可能な設計において、第１基地局によって転送された接続コンテキストを受信する段階の後に、方法はさらに、再割り当てされたソース識別子を端末へ送信する段階であって、再割り当てされたソース識別子は、第２基地局において端末を識別する第２端末識別子を含む、段階と、命令を端末へ送信し、低オーバーヘッド状態から出るように端末に命令する段階とを備える。
【００５４】
可能な設計において、ソース識別子に従って、第１端末識別子を第１基地局へ送信する段階の後に、方法はさらに、第１基地局によって送信された、接続コンテキストと、端末のソース識別子とを受信する段階と、受信された接続コンテキストおよびソース識別子に従って、端末の構成情報を決定し、ソース識別子に従って、端末のアップリンクアクセスを引き起こす段階とを備える。
【００５５】
可能な設計において、ソース識別子に従って端末のアップリンクアクセスを引き起こす段階は、ソース識別子を使用することによって端末をページングする段階、または、ソース識別子に従って、端末の専用端末識別子を決定し、専用端末識別子を使用することによって、端末へアップリンクアクセスコマンドを送信する段階、または、ソース識別子に従って、端末の専用端末識別子を決定し、専用端末識別子を使用することによって、端末をページングする段階を含む。
【００５６】
可能な設計において、ソース識別子はさらに、無線リソース制御ＲＲＣ構成インデックスを含み、第２セルが属する第２基地局が、低オーバーヘッド状態の端末によって報告されたソース識別子を受信する段階の後に、方法はさらに、第２基地局がＲＲＣ構成インデックスに従って、端末によって使用されるＲＲＣ構成情報を決定する段階を備える。
【００５７】
可能な設計において、ソース識別子に従って、第１端末識別子を第１基地局へ送信する段階は、第２基地局と第１基地局との間のインタフェースを使用することによって、ソース識別子に従って、ソース識別子を第１基地局へ送信する段階、または、コアネットワークを使用することによって、ソース識別子に従って、ソース識別子を第１基地局へ送信する段階を含む。
【００５８】
第４態様によれば、本発明の実施形態は基地局を提供し、基地局は、第１基地局であり、第１基地局は、出力ユニット、記憶ユニットおよび処理ユニットを備え得て、記憶ユニットは、プログラムコードを記憶するように構成され、処理ユニットは、記憶ユニットに記憶されているプログラムコードを呼び出して、出力ユニットを使用することによって、第１セルにおける接続モードの端末にソース識別子を割り当てるステップであって、ソース識別子は、第１基地局において端末を識別する第１端末識別子を含む、ステップと、端末が低オーバーヘッド状態に入ったと決定した後に、接続モードの端末の接続コンテキストを記憶するステップであって、端末は、事前設定アクティベーション条件が満たされたときに低オーバーヘッド状態に入り、低オーバーヘッド状態において、端末は接続コンテキストを記憶し、移動中にセル再選択基準に従ってセルにキャンプオンする、ステップとを実行するように構成されている。
【００５９】
可能な設計において、処理ユニットが、出力ユニットを使用することによって、第１セルにおける接続モードの端末にソース識別子を割り当てるように構成されていることは、具体的には、出力ユニットによって出力された、セルブロードキャストメッセージもしくは専用メッセージを使用することによって、または、ランダムアクセスチャネルＲＡＣＨ手順において、第１セルにおける接続モードの端末にソース識別子を割り当てることである。
【００６０】
可能な設計において、事前設定アクティベーション条件は、第１基地局が、低オーバーヘッド状態に入るように端末に命令するために使用される制御命令を端末へ送信すること、第１事前設定期間内に第１基地局と端末との間でデータが伝送されなかったこと、第１基地局が、端末のタイミングアドバンスタイマであるＴＡタイマが満了したと決定するか、もしくは、第１基地局が、端末のＴＡタイマが満了し、かつ、ＴＡタイマが第２事前設定期間内に再度作動しなかったと決定すること、または、第１基地局が、端末が間欠受信ＤＲＸ状態に入り、かつ、第３事前設定期間内にＤＲＸ状態から出なかったと決定することのうちの少なくとも１つの条件を含む。
【００６１】
可能な設計において、処理ユニットはさらに、出力ユニットを使用することによって、端末が低オーバーヘッド状態において使用するための無線リソース制御ＲＲＣ構成情報を端末へ送信するように構成されている。
【００６２】
可能な設計において、ＲＲＣ構成情報は、ＲＲＣ構成インデックスを含み、構成インデックスは、ＲＲＣ構成情報を示すために使用される。
【００６３】
可能な設計において、基地局はさらに、入力ユニットを備え、処理ユニットはさらに、端末が低オーバーヘッド状態に入ったと決定した後に、入力ユニットを使用することによって、第２セルが属する第２基地局によって送信された通知メッセージを受信することであって、通知メッセージは、端末のソース識別子、および、端末が現在所在する第２セルの第２セル識別子を保持し、第２セルは、端末が現在キャンプオンしているサービングセルである、こと、ならびに、ソース識別子および第２セル識別子に従って、端末が現在キャンプオンしているサービングセルが第２セルであると決定することを行うように構成されている。
【００６４】
可能な設計において、処理ユニットはさらに、ソース識別子および第２セル識別子に従って、端末が現在キャンプオンしているサービングセルが第２セルであると決定した後に、端末のダウンリンクデータが第１基地局に到達したときに、出力ユニットを使用することによって、接続コンテキスト、および、端末のソース識別子を第２基地局へ送信することであって、第２基地局は、第２セルが属する基地局である、ことを行うように構成されている。
【００６５】
可能な設計において、基地局はさらに、入力ユニットを備え、通知メッセージは、端末の検証情報を保持し、検証情報は、ソース識別子、および、接続コンテキストに含まれる鍵に従って、端末によって生成される身元認証情報であり、処理ユニットはさらに、入力ユニットを使用することによって、第２基地局によって送信された通知メッセージを受信した後に、ソース識別子および検証情報に従って、端末が有効な端末かどうかを決定するように構成されている。
【００６６】
可能な設計において、基地局はさらに、入力ユニットを備え、処理ユニットはさらに、端末が低オーバーヘッド状態に入ったと決定した後に、入力ユニットを使用することによって、第２セルが属する第２基地局によって送信された、接続コンテキストのための転送要求を受信することであって、転送要求は、端末のソース識別子を保持し、第２セルは、端末が現在キャンプオンしているセルである、こと、および、出力ユニットを使用することによって、転送要求に保持されるソース識別子に従って、接続コンテキストを第２基地局へ送信することを行うように構成されている。
【００６７】
可能な設計において、基地局はさらに、処理ユニットを備え、処理ユニットはさらに、入力ユニットを使用することによって、低オーバーヘッド状態の端末によって報告されたソース識別子を受信する前に、出力ユニットを使用することによって、システム情報ブロードキャストを送信することであって、システム情報は、低オーバーヘッド状態の端末が報告することを許可されているソース識別子の種類を保持し、その結果、端末は、ソース識別子の種類に従って短いソース識別子もしくは長いソース識別子を使用することを決定する、こと、または、入力ユニットを使用することによって、低オーバーヘッド状態の端末によって報告されたソース識別子を受信する前に、出力ユニットを使用することによって、短いソース識別子および長いソース識別子を端末に割り当てること、または、入力ユニットを使用することによって受信されたダウンリンクデータが第１基地局に到達したとき、もしくは、入力ユニットを使用することによって、コアネットワークからの第１ページングメッセージが受信された後に、出力ユニットを使用することによって、第２ページングメッセージを第３基地局へ送信することであって、第３基地局および第１基地局は同一のページングエリアに属する、こと、または、入力ユニットを使用することによって受信されたダウンリンクデータが第１基地局に到達する前に、入力ユニットを使用することによって、コアネットワークによって送信された、ページングパラメータについての情報を受信することであって、ページングパラメータは、端末のページングインデックス、もしくは、端末のＤＲＸサイクルを含み、ページングは、端末のページングオフセットを計算するために使用される、ことを行うように構成されている。
【００６８】
第５態様によれば、本発明の実施形態は端末を提供し、端末は、入力ユニット、出力ユニット、記憶ユニットおよび処理ユニットを備え得て、記憶ユニットは、プログラムコードを記憶するように構成され、処理ユニットは、記憶ユニットに記憶されているプログラムコードを呼び出して、入力ユニットを使用することによって、第１セルが属する第１基地局によって割り当てられたソース識別子を受信するステップであって、ソース識別子は、第１基地局のセルにおいて端末を一意に識別する第１端末識別子を含む、ステップと、事前設定アクティベーション条件が満たされたとき、端末が低オーバーヘッド状態に入ることを可能にするステップであって、端末は、低オーバーヘッド状態において、接続モードの端末の接続コンテキストを記憶し、移動中にセル再選択基準に従って、セルにキャンプオンする、ステップと、第１事前設定条件が満たされたとき、出力ユニットを使用することによって、第２セルが属する第２基地局へソース識別子を報告するステップであって、第２セルは、端末が現在キャンプオンしているサービングセルである、ステップとを実行するように構成されている。
【００６９】
可能な設計において、事前設定アクティベーション条件は、端末が、低オーバーヘッド状態に入るように命令するために使用される制御命令を第１基地局から受信すること、端末が第１セルから去ること、第１事前設定期間内に端末と第１基地局との間でデータが伝送されなかったこと、端末のタイミングアドバンスタイマであるＴＡタイマが満了するか、もしくは、端末のＴＡタイマが満了し、かつ、ＴＡタイマが第２事前設定期間内に再度作動しなかったこと、または、端末が間欠受信ＤＲＸ状態に入り、かつ、第３事前設定期間内にＤＲＸ状態から出なかったことのうちの少なくとも１つの条件を含む。
【００７０】
可能な設計において、処理ユニットはさらに、事前設定アクティベーション条件が満たされたときに端末が低オーバーヘッド状態に入った後に、第２事前設定条件が満たされたときに端末が低オーバーヘッド状態から出ることを可能にするように構成され、第２事前設定条件は、端末が現在キャンプオンしているサービングセルが変化したこと、または、端末が現在キャンプオンしているサービングセルが、指定されたセルの組の範囲を超えたこと、または、端末が現在キャンプオンしているサービングセル、および、第１セルが、同一の事前設定エリアもしくは同一の基地局に属さないこと、または、端末が、ソース識別子を第２基地局へ送信し、ソース識別子についてのアクセス拒否指示を第２基地局から受信すること、または、端末が、第２セルのシステム情報ブロードキャストを読み取り、システム情報ブロードキャストは、低オーバーヘッド状態の端末のアクセスが許可されるという指示を保持しないこと、または、端末はアップリンクデータを送信する必要があることを含む。
【００７１】
可能な設計において、処理ユニットが、第２事前設定条件が満たされたとき、端末が低オーバーヘッド状態から出ることを可能にするように構成されていることは、具体的には、第２事前設定条件が満たされたときに接続コンテキストを消去し、端末がアイドルモードに入ることを可能にすることである。
【００７２】
可能な設計において、第１事前設定条件は、端末が現在キャンプオンしているサービングセルが変化すること、または、端末が現在キャンプオンしている第２セルが、指定されたセルの組の範囲を超えること、または、端末が現在キャンプオンしている第２セル、および、第１セルが、同一の事前設定エリアもしくは同一の基地局に属さないこと、または、端末が、アップリンクデータを送信する必要があることを含む。
【００７３】
可能な設計において、処理ユニットはさらに、第１事前設定条件が満たされたときに、出力ユニットを使用することによって、第２セルが属する第２基地局へソース識別子を報告する前に、入力ユニットを使用することによって、第２セルのシステム情報ブロードキャストを受信して読み取り、システム情報ブロードキャストが、低オーバーヘッド状態の端末のアクセスが許可されるという指示を保持している場合、出力ユニットを使用することによって、アクセスの指示に従って、ソース識別子を第２基地局へ送信することを決定するように構成されている。
【００７４】
可能な設計において、処理ユニットはさらに、第１事前設定条件が満たされたとき、出力ユニットを使用することによって、第２セルが属する第２基地局へソース識別子を報告する前に、出力ユニットを使用することによって、事前設定範囲内のランダムアクセスプリアンブルを第２基地局へ送信することであって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、こと、入力ユニットを使用することによって、第２基地局によって割り当てられた、ソース識別子を伝送するために使用される事前設定サイズ伝送リソースを受信すること、および、出力ユニットを使用することによって、伝送リソースを使用することによってソース識別子を第２基地局へ送信することを行うように構成されている。
【００７５】
可能な設計において、事前設定範囲内のランダムアクセスプリアンブルは、予め定義されたプリアンブル、または、第２基地局によって構成された、受信されたプリアンブルである。
【００７６】
可能な設計において、処理ユニットが、第２セルが属する第２基地局へソース識別子を報告するように構成されていることは、具体的には、出力ユニットを使用することによって、ランダムアクセスプリアンブルを第２基地局へ送信すること、入力ユニットを使用することによって、第２基地局によって送信された専用端末識別子と、第２基地局によって送信された、ランダムアクセスプリアンブルに従って割り当てられた、ソース識別子を伝送するために使用される伝送リソースとを受信することであって、専用端末識別子は、第２セルにおいて端末を一意に識別する識別子である、こと、出力ユニットを使用することによって、伝送リソースを使用することによってソース識別子を第２基地局へ送信すること、入力ユニットを使用することによって、第２基地局によって送信された、ソース識別子を含む肯定応答情報を受信すること、および、肯定応答情報に従って、専用端末識別子を適用するかどうかを決定することである。
【００７７】
可能な設計において、処理ユニットが、肯定応答情報に従って、専用端末識別子を適用するかどうかを決定するように構成されていることは、具体的には、処理ユニットが、肯定応答情報に従って専用端末識別子を適用することを省略すること、または、処理ユニットが、肯定応答情報に従って、専用端末識別子を適用し、低オーバーヘッド状態から出ること、または、処理ユニットが、肯定応答情報に従って、専用端末識別子を適用し、低オーバーヘッド状態に留まること、または、処理ユニットが、低オーバーヘッド状態から出るように端末に命令するために使用される、肯定応答情報に保持される命令に従って、専用端末識別子を適用し、低オーバーヘッド状態から出ることである。
【００７８】
可能な設計において、処理ユニットはさらに、端末が専用端末識別子を適用した後に、現在キャンプオンしているサービングセルのセル識別子に従って、接続コンテキストにおける鍵を更新するように構成されている。
【００７９】
可能な設計において、ソース識別子はさらに、検証情報を含み、検証情報は、ソース識別子および更新された鍵に従って端末によって生成される身元認証情報である。
【００８０】
可能な設計において、処理ユニットはさらに、事前設定アクティベーション条件が満たされたときに端末が低オーバーヘッド状態に入った後に、ソース識別子を使用することによって、ページングのリッスンを実行するように構成されている。
【００８１】
可能な設計において、処理ユニットはさらに、事前設定アクティベーション条件が満たされたとき、端末が低オーバーヘッド状態に入った後に、入力ユニットを使用することによって、第１基地局によって送信された無線リソース制御ＲＲＣ構成情報を受信することであって、ＲＲＣ構成情報は、ＲＲＣ構成インデックスを含み、構成インデックスは、ＲＲＣ構成情報を示すために使用される、こと、および、端末が低オーバーヘッド状態においてＲＲＣ構成情報を使用することを可能にすることを行うように構成されている。
【００８２】
可能な設計において、処理ユニットが、第１事前設定条件が満たされたとき、第２セルが属する第２基地局へソース識別子を報告するように構成されていることは、具体的には、出力ユニットを使用することによって、ＲＲＣ構成インデックスを含むソース識別子を、第２セルが属する第２基地局へ報告し、その結果、第２基地局が、ＲＲＣ構成インデックスに従って、端末によって使用されるＲＲＣ構成情報を決定することである。
【００８３】
可能な設計において、第１事前設定条件は、端末がアップリンクデータを送信する必要があることであり、処理ユニットが、第２セルが属する第２基地局へソース識別子を報告するように構成されていることは、具体的には、出力ユニットを使用することによって、第２セルが属する第２基地局へ、ソース識別子を含むアップリンクデータ指示を報告することである。
【００８４】
可能な設計において、処理ユニットは、第１事前設定条件が満たされたときに出力ユニットを使用することによって、第２セルが属する第２基地局へソース識別子を報告する前に、入力ユニットを使用することによって、第２基地局によって送信された指示情報を受信して読み取り、指示情報に従って、出力ユニットを使用することによって第２基地局へ送信される予定のソース識別子の種類を決定すること、ならびに／または、第１事前設定条件が満たされたとき、入力ユニットを使用することによって、第１セルが属する第１基地局によって割り当てられた短いソース識別子および長いソース識別子を受信することを行うように構成されている。
【００８５】
可能な設計において、指示情報は、承認コマンドを使用することによって端末へ送信された承認情報であり、処理ユニットはさらに、承認情報に従って、伝送できるメッセージのサイズを決定すること、および、伝送できるメッセージのサイズに従って、長いソース識別子または短いソース識別子を使用することを選択することを行うように構成されている。
【００８６】
第６態様によれば、本発明の実施形態は基地局を提供し、基地局は第２基地局であり、第２基地局は、入力ユニット、出力ユニット、記憶ユニットおよび処理ユニットを備え得て、記憶ユニットは、プログラムコードを記憶するように構成され、処理ユニットは、記憶ユニットに記憶されたプログラムコードを呼び出して、入力ユニットを使用することによって、低オーバーヘッド状態の端末によって報告されたソース識別子を受信するステップであって、端末は、低オーバーヘッド状態において、接続モードの端末の接続コンテキストを記憶し、移動中にセル再選択基準に従って、セルにキャンプオンし、第１セルは、端末が低オーバーヘッド状態に入ったときのサービングセルであり、第２セルは、端末の現在のサービングセルであり、ソース識別子は、第１セルが属する第１基地局において端末を識別する第１端末識別子を含む、ステップと、出力ユニットを使用することによって、ソース識別子に従って、第１端末識別子を第１基地局へ送信し、端末の現在のサービングセルが第２セルであると第１基地局に通知するステップとを実行するように構成されている。
【００８７】
可能な設計において、ソース識別子はさらに、指示情報を含み、指示情報は、端末が低オーバーヘッド状態にあることを第２基地局に通知するために使用される。
【００８８】
可能な設計において、処理ユニットはさらに、入力ユニットを使用することによって、低オーバーヘッド状態の端末によって報告されたソース識別子を受信する前に、出力ユニットを使用することによって、システム情報ブロードキャストを送信することであって、システム情報は、低オーバーヘッド状態の端末のアクセスが許可されるという指示を保持し、その結果、端末は、アクセスの指示に従って、ソース識別子を第２基地局へ送信するかどうかを決定する、ことを行うように構成されている。
【００８９】
可能な設計において、処理ユニットはさらに、入力ユニットを使用することによって、低オーバーヘッド状態の端末によって報告されたソース識別子を受信する前に、入力ユニットを使用することによって、端末によって送信されたランダムアクセスプリアンブルを受信すること、および、ランダムアクセスプリアンブルが事前設定範囲内に属するとき、出力ユニットを使用することによって、事前設定サイズ伝送リソースを端末に割り当てることであって、その結果、端末が伝送リソースを使用することによってソース識別子を送信する、ことを行うように構成されている。
【００９０】
可能な設計において、事前設定範囲内のランダムアクセスプリアンブルは、予め定義されたプリアンブル、または、第２基地局によって構成された、受信されたプリアンブルである。
【００９１】
可能な設計において、処理ユニットが、入力ユニットを使用することによって、低オーバーヘッド状態の端末によって報告されたソース識別子を受信するように構成されていることは、具体的には、入力ユニットを使用することによって、低オーバーヘッド状態の端末によって送信されたランダムアクセスプリアンブルを受信すること、出力ユニットを使用することによって、ランダムアクセスプリアンブルに従って、専用端末識別子と、ソース識別子を伝送するために使用される伝送リソースとを端末に割り当てることであって、専用端末識別子は、第２セルにおいて端末を一意に識別する識別子である、こと、入力ユニットを使用することによって、伝送リソースを使用することによってソース識別子を受信すること、および、出力ユニットを使用することによって、ソース識別子を含む肯定応答情報を端末へ送信することである。
【００９２】
可能な設計において、処理ユニットが出力ユニットを使用することによって、ソース識別子を含む肯定応答情報を端末へ送信することは、具体的には、出力ユニットを使用することによって、低オーバーヘッド状態から出るように端末に命令するために使用される命令を保持する、ソース識別子を含む肯定応答メッセージを端末へ送信することであって、その結果、端末は、命令に従って、専用端末識別子を適用し、低オーバーヘッド状態から出る、ことである。
【００９３】
可能な設計において、処理ユニットが出力ユニットを使用することによって、ソース識別子に従って、第１端末識別子を第１基地局へ送信することは、具体的には、出力ユニットを使用することによって、ソース識別子に従って、通知メッセージを第１基地局へ送信することであって、通知メッセージは、端末のソース識別子、および、端末が現在所在する第２セルの第２セル識別子を保持し、その結果、第１基地局は、ソース識別子および第２セル識別子に従って、端末が現在キャンプオンしているサービングセルが第２セルであると決定する、ことである。
【００９４】
可能な設計において、処理ユニットはさらに、出力ユニットを使用することによって、ソース識別子に従って第１端末識別子を第１基地局へ送信した後に、端末によって送信された、ソース識別子を含むアップリンクデータ指示を受信すること、出力ユニットを使用することによって、接続コンテキストのための転送要求を第１基地局へ送信することであって、接続コンテキストは、端末が低オーバーヘッド状態に入ったときに第１基地局によって記憶される、接続モードの端末の接続コンテキストであり、コンテキスト転送要求は、端末のソース識別子を保持する、こと、および、入力ユニットを使用することによって、第１基地局によって転送された接続コンテキストを受信し、接続コンテキストに従って、端末との接続を確立することを行うように構成されている。
【００９５】
可能な設計において、処理ユニットはさらに、入力ユニットを使用することによって、第１基地局によって転送された接続コンテキストを受信した後に、出力ユニットを使用することによって、再割り当てされたソース識別子を端末へ送信することであって、再割り当てされたソース識別子は、第２基地局において端末を識別する第２端末識別子を含む、こと、および、出力ユニットを使用することによって、命令を端末へ送信し、低オーバーヘッド状態から出るように端末に命令することを行うように構成されている。
【００９６】
可能な設計において、処理ユニットはさらに、出力ユニットを使用することによって、ソース識別子に従って、第１端末識別子を第１基地局へ送信した後に、出力ユニットを使用することによって、第１基地局によって送信された、接続コンテキスト、および、端末のソース識別子を受信すること、ならびに、受信された接続コンテキストおよびソース識別子に従って、端末の構成情報を決定し、ソース識別子に従って、端末のアップリンクアクセスを引き起こすことを行うように構成されている。
【００９７】
可能な設計において、処理ユニットが、ソース識別子に従って、端末のアップリンクアクセスを引き起こすように構成されていることは、具体的には、ソース識別子を使用することによって端末をページングすること、または、ソース識別子に従って、端末の専用端末識別子を決定し、専用端末識別子を使用することによって、端末へアップリンクアクセスコマンドを送信すること、または、ソース識別子に従って、端末の専用端末識別子を決定し、専用端末識別子を使用することによって端末をページングすることである。
【００９８】
可能な設計において、ソース識別子はさらに、無線リソース制御ＲＲＣ構成インデックスを含み、処理ユニットはさらに、出力ユニットを使用することによって、低オーバーヘッド状態の端末によって報告されたソース識別子を受信した後に、ＲＲＣ構成インデックスに従って、端末によって使用されるＲＲＣ構成情報を決定するように構成されている。
【００９９】
可能な設計において、処理ユニットが、出力ユニットを使用することによって、ソース識別子に従って、第１端末識別子を第１基地局へ送信するように構成されていることは、具体的には、出力ユニットを使用することによって、第２基地局と第１基地局の間のインタフェースを使用することによって、ソース識別子に従って、ソース識別子を第１基地局へ送信すること、または、出力ユニットを使用することによって、コアネットワークを使用することによって、ソース識別子に従って、ソース識別子を第１基地局へ送信することである。
【０１００】
第１態様、第２態様、第３態様、第４態様、第５態様および第６態様のいくつかの可能な実装において、ソース識別子は、第１セルを識別する第１セル識別子と、第１セルにおいて端末を一意に識別する第１端末識別子とを含み、第１セル識別子は、セルグローバル識別子ＥＣＧＩ、物理セル識別子ＰＣＩ、もしくは、エリアの識別子とエリアにおける第１セルの識別子とを含むセル識別子のうちの少なくとも１つを含み、または、ソース識別子は、第１基地局を一意に識別する第１基地局識別子、および、第１基地局において端末を一意に識別する第１端末識別子を含む。
【０１０１】
本発明の実施形態において、低オーバーヘッド状態が設計され、この状態の端末は、接続モードの端末の接続コンテキストを記憶し、移動中にセル再選択基準に従ってセルにキャンプオンする。加えて、低オーバーヘッド状態の端末は、ソース基地局によって送信されたソース識別子を受信し、特定の条件が満たされたとき、移動中に端末の現在のサービング基地局へソース識別子を報告する。最後に、サービング基地局は、ソース識別子をソース基地局へ送信し、その結果、サービング基地局およびソース基地局の両方は、端末の位置情報を認識できる。すなわち、端末が低オーバーヘッド状態に入った後に、端末はセル再選択に基づく移動性を自律的に実行し、端末の位置変更情報のみを報告し、これにより、ハンドオーバ手順を簡潔化し、ネットワークデバイスの通信リソースを低減する。さらに、端末が低オーバーヘッド状態に入った後に、ソース基地局および端末は両方とも、端末の接続コンテキストを記憶するので、端末がアップリンクまたはダウンリンクデータ通信を実行する必要があるとき、端末の接続コンテキストは、データ伝送のために、端末の現在のサービング基地局へハンドオーバでき、これにより、データ伝送効率を保証する。
【図面の簡単な説明】
【０１０２】
本発明の実施形態における、または従来技術における技術的解決法をより明確に説明すべく、実施形態または従来技術を説明するために必要な添付図面を以下で簡潔に説明する。以下の説明における添付図面は、本発明の一部の実施形態を示しているに過ぎず、当業者ならば、創造的努力なく、これらの添付図面から他の図面をさらに導き出し得ることは明らかである。
【０１０３】
【図１】本発明に係る移動性管理ネットワークアーキテクチャの概略図である。
【０１０４】
【図２】本発明に係る移動性管理の方法の概略的フローチャートである。
【０１０５】
【図３Ａ】本発明に係る別の移動性管理の方法の概略的フローチャートである。
【図３Ｂ】本発明に係る別の移動性管理の方法の概略的フローチャートである。
【０１０６】
【図４Ａ】本発明に係るさらに別の移動性管理の方法の概略的フローチャートである。
【図４Ｂ】本発明に係るさらに別の移動性管理の方法の概略的フローチャートである。
【０１０７】
【図５】本発明に係る第１基地局の概略的構造図である。
【０１０８】
【図６】本発明に係るユーザ機器の概略的構造図である。
【０１０９】
【図７】本発明に係る第２基地局の概略的構造図である。
【０１１０】
【図８Ａ】本発明に係るさらに別の移動性管理の方法の概略的フローチャートである。
【図８Ｂ】本発明に係るさらに別の移動性管理の方法の概略的フローチャートである。
【発明を実施するための形態】
【０１１１】
本発明の実施形態における添付図面に関連して、本発明の実施形態における技術的解決法を以下で明確かつ完全に説明する。説明される実施形態は、本発明の実施形態の一部に過ぎず、すべてではないことは明らかである。当業者によって、創造的努力なく、本発明の実施形態に基づいて取得されるすべての他の実施形態は、本発明の保護範囲に属するものとする。
【０１１２】
本発明の実施形態の技術的解決法は、グローバルシステムフォーモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ（登録商標））システム、ロングタームエボリューション（Ｌｏｎｇ  Ｔｅｒｍ  Ｅｖｏｌｕｔｉｏｎ、ＬＴＥ（登録商標））システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、およびユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ（登録商標））など、様々な通信システムに適用され得ることを理解すべきである。
【０１１３】
本発明の実施形態において、基地局は、ＧＳＭ（登録商標）またはＣＤＭＡシステムにおけるベーストランシーバ基地局（Ｂａｓｅ  Ｔｒａｎｓｃｅｉｖｅｒ  Ｓｔａｔｉｏｎ、ＢＴＳ）であってよく、またはＷＣＤＭＡ（登録商標）システムにおけるノードＢ（ＮｏｄｅＢ）であってよく、またはＬＴＥシステムにおける進化型ノードＢ（Ｅｖｏｌｕｔｉｏｎａｌ  Ｎｏｄｅ  Ｂ、ｅＮＢ、もしくはｅＮｏｄｅＢ）または将来の５Ｇネットワークにおける基地局デバイスであってよいことをさらに理解すべきである。このことは本発明において限定されない。
【０１１４】
本発明の実施形態において、ＵＥは無線アクセスネットワーク（Ｒａｄｉｏ  Ａｃｃｅｓｓ  Ｎｅｔｗｏｒｋ、ＲＡＮ）を使用することによって１または複数のコアネットワーク（Ｃｏｒｅ  Ｎｅｔｗｏｒｋ）と通信し得て、ＵＥはアクセス端末、端末デバイス、加入者ユニット、加入者局、移動局、モバイルコンソール、遠隔局、遠隔端末、モバイルデバイス、ユーザ端末、端末、無線通信デバイス、ユーザエージェントまたはユーザ装置と称され得ることをさらに理解すべきである。ＵＥは、携帯電話、コードレス電話、スマートフォン、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、スマートバンド、スマートウェアラブルデバイス、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、ムービングピクチャエキスパートグループオーディオレイヤ３）プレーヤ、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ、ムービングピクチャエキスパートグループオーディオレイヤ４）プレーヤ、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、無線モデムに接続されているコンピューティングデバイスもしくは別の処理デバイス、車内デバイス、または、将来の５Ｇネットワークにおける端末デバイスなどであり得る。
【０１１５】
本発明の実施形態の理解を助けるべく、以下では最初に、本発明の実施形態の基となる移動性管理ネットワークアーキテクチャを説明する。図１を参照すると、ネットワークアーキテクチャは、基地局、コアネットワークおよびユーザ機器ＵＥを備える。ＵＥは、第１セルから第２セル、そして、第Ｎセルへの移動中に、対応する第１基地局、第２基地局、および、第Ｎ基地局との無線通信によって、データ伝送を実現する。基地局は、ファイバを使用することによってコアネットワークに接続され、データまたはサービスの接続、管理および搬送などを実現する。図１における上述のネットワークアーキテクチャは、本発明の実施形態における好適な実装に過ぎず、本発明の実施形態のネットワークアーキテクチャは、上述のネットワークアーキテクチャを含むが、それに限定されないことを理解されたい。
【０１１６】
図２を参照すると、図２は、本発明の実施形態に係る移動性管理の方法の概略的フローチャートである。以下では、図２を参照しながら、第１基地局、ユーザ機器ＵＥおよび第２基地局の間のインタラクションという観点から、詳細な説明を提供する。図２に示されるように、方法は、以下のステップＳ２０１からステップＳ２０７を備え得る。
【０１１７】
Ｓ２０１：第１セルが属する第１基地局は、第１セルにおける接続モードのユーザ機器ＵＥにソース識別子を割り当て、ソース識別子は、第１基地局においてＵＥを識別する第１ＵＥ識別子を含む。
【０１１８】
具体的には、第１基地局は、セルブロードキャストメッセージもしくは専用のメッセージを使用することによって、または、ランダムアクセスチャネルＲＡＣＨ手順において、第１セルにおける接続モードのＵＥにソース識別子を割り当てる。
【０１１９】
さらに、ソース識別子は、専用のメッセージ、または、無線リソース制御ＲＲＣ（Ｒａｄｉｏ  Ｒｅｓｏｕｒｃｅ  Ｃｏｎｔｒｏｌ、ＲＲＣ）メッセージ、例えば、無線ベアラ再構成メッセージ、無線ベアラ解放メッセージ、または、無線ベアラ再確立メッセージなどを使用することによって割り当てられ得る。ＲＡＣＨ手順においてソース識別子が割り当てられるとき、ソース識別子はプリアンブル応答メッセージにおいて保持され得る。
【０１２０】
さらに、ソース識別子は、第１セルを識別する第１セル識別子と、第１セルにおいてＵＥを一意に識別する第１ＵＥ識別子とを含むか、または、ソース識別子は、第１基地局を一意に識別する第１基地局識別子と、第１基地局においてＵＥを一意に識別する第１ＵＥ識別子とを含む。第１ＵＥ識別子を使用することによって第１セルにおいてＵＥを一意に識別するための方法は、第１ＵＥ識別子を使用することのみによってＵＥを一意に識別することに限定されない。ＵＥは、第１ＵＥ識別子と、認証情報などの他の補助情報とを両方とも使用することによって、一意に識別され得る。認証情報は、ＵＥの鍵に従って生成される。具体的には、例えば、第１セル識別子は、セルグローバル識別子ＥＣＧＩ、物理セル識別子ＰＣＩ、または、エリアの識別子と、エリアにおける第１セルの識別子とを含むセル識別子のうちの少なくとも１つを含む。エリアとは、ネットワークの分割によって得られる特定のセル範囲である。例えば、エリアが２５６セルを含む場合、エリアの識別子は８ビットを有する。エリアにおいて最大で２５６セルがサポートされる場合、エリアにおけるセル識別子は８ビットを有する。対応するセル識別子は１６ビットを含み、最初の８ビットはエリアの識別子であり、最後の８ビットはエリアにおけるセル識別子である。同様に、基地局識別子はまた、エリアの識別子、および、エリアにおける基地局の識別子を含み得る。さらに、ソース識別子は、識別子分割指示情報をさらに含み得て、識別子分割指示情報は、基地局識別子と、基地局においてＵＥを識別する第１ＵＥ識別子とのために分割された、ソース識別子におけるビットを示すために使用される。識別子分割指示情報の異なる値は、異なる分割規則を表す。例えば、ソース識別子は５０ビットを占有し、５０ビットにおける２ビットが識別子分割指示情報である。識別子分割指示情報の値が０であるとき、これは、基地局識別子が２４ビットを占有し、第１ＵＥ識別子が（５０−２４−２＝２４）ビットを占有することを示す。識別子分割指示情報の値が１であるとき、これは、基地局識別子が２０ビットを占有し、第１ＵＥ識別子が（５０−２０−２＝２８）ビットを占有することを示す。同様に、ソース識別子は、識別子分割指示情報をさらに含み得て、識別子分割指示情報は、第１セル識別子と、第１セル識別子においてＵＥを識別する第１ＵＥ識別子とのために分割された、ソース識別子におけるビットを示すために使用される。具体的な方法は、基地局識別子とＵＥ識別子との間の分割と同一である。
【０１２１】
Ｓ２０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０１２２】
具体的には、ＵＥは、セルブロードキャストメッセージ、もしくは、第１セルが属する第１基地局の専用メッセージを使用することによって、または、ランダムアクセスチャネルＲＡＣＨ手順において、ソース識別子を受信する。
【０１２３】
Ｓ２０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０１２４】
具体的には、ＵＥの視点からは、事前設定アクティベーション条件は以下の条件のうちの少なくとも１つを含む。
・ＵＥが、低オーバーヘッド状態に入るように命令するために使用される制御命令を第１基地局から受信する。
・ＵＥが第１セルから去る。
・第１事前設定期間内に、ＵＥと第１基地局との間でデータが伝送されなかった。
・ＵＥのタイミングアドバンスタイマであるＴＡタイマが満了するか、もしくは、ＵＥのＴＡタイマが満了し、かつ、ＴＡタイマが第２事前設定期間内に再び作動しなかった。または、
・ＵＥが間欠受信ＤＲＸ状態に入り、かつ、第３事前設定期間内にＤＲＸ状態から出なかった。
【０１２５】
さらに、ＵＥは、第２事前設定条件が満たされたとき、低オーバーヘッド状態から出る。第２事前設定条件は、以下の条件のうちの少なくとも１つを含む。
・ＵＥが現在キャンプオンしているサービングセルが変化する。または、
・ＵＥが現在キャンプオンしているサービングセルが、指定されたセルの組の範囲を超える。または、
・ＵＥが現在キャンプオンしているサービングセルと第１セルとが同一の事前設定エリアもしくは同一の基地局に属していない。または、
・ＵＥがソース識別子を第２基地局へ送信し、ソース識別子についてのアクセス拒否指示を第２基地局から受信する。または、
・ＵＥが第２セルのシステム情報ブロードキャストを読み取り、システム情報ブロードキャストは、低オーバーヘッド状態のＵＥのアクセスが許可されるという指示を保持しない。または、
・ＵＥがアップリンクデータを送信する必要がある。または、
・ＵＥが参照信号測定結果を取得し、参照信号測定結果と第１の予め定められた閾値との間の比較の結果が事前設定結果と一致する。または、
・ＵＥのＰＬＭＮが変化する。
【０１２６】
ＵＥが現在キャンプオンしているサービングセルと第１セルとが同一の事前設定エリアまたは同一基地局に属さないことは、具体的には、ＵＥが、第１セルおよび現在キャンプオンしているセルのシステム情報ブロードキャストにおいて保持されるエリア識別子に従って、ＵＥが現在キャンプオンしているサービングセルと第１セルとが同一の事前設定エリアに属しているかどうかを決定することであるか、または、ＵＥが、第１セルおよび現在キャンプオンしているセルのシステム情報ブロードキャストにおいて保持される基地局識別子に従って、ＵＥが現在キャンプオンしているサービングセルと第１セルとが同一の事前設定エリアに属しているかどうかを決定することである。
【０１２７】
参照信号測定結果は、経路損失、信号強度または信号品質を含む。予め定められた結果は、「より大きい」、「等しい」、「より小さい」またはそれらの組み合わせである。ＵＥは参照信号測定結果を取得し、参照信号測定結果を第１の予め定められた閾値と比較し、結果が事前設定結果と一致するときに低オーバーヘッド状態から出る。例えば、予め定められた経路損失は、第１閾値より大きい。
【０１２８】
ＵＥのＰＬＭＮ（Ｐｕｂｌｉｃ  Ｌａｎｄ  Ｍｏｂｉｌｅ  Ｎｅｔｗｏｒｋ、公衆陸上移動体ネットワーク）が変化することは、ＵＥによって現在選択されているセルのホームＰＬＭＮが、ＵＥによって現在設定されているＰＬＭＮの組に属さないことを含む。具体的には、現在のホームＰＬＭＮのいずれも、ＵＥによって現在設定されているＰＬＭＮの組に属さない。ＵＥによって現在設定されているＰＬＭＮの組は、ＵＥが現在登録しているＰＬＭＮ、または、ＵＥによって選択されたＰＬＭＮ、または、ＵＥの同等のＰＬＭＮという３事項のうちのいずれか１つまたは組み合わせを含む。
【０１２９】
さらに、第２事前設定条件が満たされたとき、ＵＥは、接続コンテキストを消去し、アイドルモードに入る。さらに、ＵＥは、ＵＥが低オーバーヘッド状態から出たことをＵＥの上位レイヤに通知する。代替的に、ＵＥは、ＵＥが低オーバーヘッド状態から出たことをＵＥの上位レイヤに通知し、ＵＥの上位レイヤがトラッキングエリアの更新を引き起こすか、または、ＵＥがトラッキングエリアの更新を引き起こす。さらに任意で、ＵＥは指示をトラッキングエリア更新メッセージに追加し、指示は、ＵＥが以前に低オーバーヘッド状態であったことをコアネットワークに通知するために使用され、その結果、コアネットワークは、情報に従ってＵＥの接続解除を引き起こす。
【０１３０】
さらに、第２事前設定条件が満たされたとき、ＵＥは低オーバーヘッド状態から出て、低オーバーヘッド状態から出ることは、記憶された接続コンテキストを消去することを含む。
【０１３１】
任意の実装において、接続コンテキストは、第１基地局とＵＥとの間の接続のための構成パラメータを含み、具体的には、ＵＥの無線ベアラ構成およびＵＥの識別情報を含み得る。無線ベアラ構成は、シグナリング無線ベアラ構成および／またはデータ無線ベアラ構成を含む。ＵＥの識別情報は、ＵＥのソース識別子を含み得る。接続コンテキストはさらに、鍵情報を含み得て、鍵情報は、暗号化伝送中、または、ＵＥ検証情報の生成中に使用される。
【０１３２】
任意の実装において、ＵＥは、第１基地局によって送信された無線リソース制御ＲＲＣ構成情報を受信する。ＲＲＣ構成情報は、ＲＲＣ構成インデックスを含み、構成インデックスは、ＲＲＣ構成情報を示すために使用される。事前設定アクティベーション条件が満たされたときにＵＥが低オーバーヘッド状態に入った後に、ＵＥは低オーバーヘッド状態においてＲＲＣ構成情報を使用する。
【０１３３】
任意の実装において、事前設定アクティベーション条件が満たされたときにＵＥが低オーバーヘッド状態に入った後に、ＵＥは、第１セルにおけるＵＥの専用ＵＥ識別子を解放する。
【０１３４】
任意の実装において、事前設定アクティベーション条件が満たされたときにＵＥが低オーバーヘッド状態に入った後に、ＵＥは、ソース識別子を使用することによってページングのリッスンを実行する。
【０１３５】
本発明における低オーバーヘッド状態は、本発明において定義されるＵＥ状態であり、低オーバーヘッド状態の特徴は、接続コンテキストの記憶、および、セル再選択に基づく移動性を含むことが強調されるべきである。低オーバーヘッド状態は、低いシグナリングオーバーヘッド、および、低い電力オーバーヘッドを特徴とし、従って、本発明では、「低オーバーヘッド状態」と名付ける。低オーバーヘッド状態は、接続モードのサブ状態、または、アイドルモードの強化状態であり得る。このことは本発明において限定されない。例えば、低オーバーヘッド状態は、ＵＥがアイドルモードにあり、接続コンテキストが記憶される状態であり得て、低オーバーヘッド状態のＵＥは、コンテキストを消去した後に通常アイドルモードに入る。代替的に、低オーバーヘッド状態は、ＵＥが接続モードにあり、セル再選択に基づく移動性を実行することが許可される状態であり得て、低オーバーヘッド状態のＵＥは、セル再選択に基づく移動性の実行を停止した後に、通常接続モードに入る。
【０１３６】
Ｓ２０４：第１基地局が、ＵＥが低オーバーヘッド状態に入ったと決定した後に、接続モードのＵＥの接続コンテキストを記憶する。
【０１３７】
具体的には、第１基地局の視点から、事前設定アクティベーション条件は、以下の条件のうちの少なくとも１つを含む。
・第１基地局が、低オーバーヘッド状態に入るようにＵＥに命令するために使用される制御命令をＵＥへ送信する。
・第１事前設定期間内に第１基地局とＵＥとの間でデータが伝送されなかった。
・第１基地局が、ＵＥのタイミングアドバンスタイマであるＴＡタイマが満了したと決定するか、もしくは、第１基地局が、ＵＥのＴＡタイマが満了し、かつ、ＴＡタイマが第２事前設定期間内に再度作動しなかったと決定する。または、
・第１基地局が、ＵＥが間欠受信ＤＲＸ状態に入り、かつ、第３事前設定期間内にＤＲＸ状態から出なかったと決定する。
第１基地局によってＵＥへ送信され、低オーバーヘッド状態に入るようにＵＥに命令するために使用される制御命令は、ＲＲＣシグナリングであり得るか、または、ＭＡＣ層シグナリングもしくは物理層シグナリングであり得る。制御命令およびソース識別子は、同一メッセージにおいてＵＥへ送信され得て、または、異なるメッセージにおいてＵＥへ送信され得る。このことは本発明において具体的に限定されない。
【０１３８】
任意の実装において、第１基地局はさらに、ＵＥが低オーバーヘッド状態において使用するための無線リソース制御ＲＲＣ構成情報をＵＥへ送信する。さらに、ＲＲＣ構成情報は、ＲＲＣ構成インデックスを含み、構成インデックスは、ＲＲＣ構成情報を示すために使用される。任意で、ＲＲＣ構成は、低オーバーヘッド状態のＵＥの無線ベアラ構成を含み、無線ベアラ構成は、シグナリング無線ベアラ構成および／またはデータ無線ベアラ構成を含む。さらに任意で、ＲＲＣ構成は、鍵情報をさらに含み得て、鍵情報は暗号化伝送中に使用される。
【０１３９】
Ｓ２０５：第１事前設定条件が満たされたとき、ＵＥが、第２セルが属する第２基地局へソース識別子を報告する。第２セルは、ＵＥが現在キャンプオンしているサービングセルである。
【０１４０】
具体的には、第１事前設定条件は、ＵＥが現在キャンプオンしているサービングセルが変化すること、または、ＵＥが現在キャンプオンしている第２セルが、指定されたセルの組の範囲を超えること、または、ＵＥが現在キャンプオンしている第２セルと第１セルとが同一の事前設定エリアもしくは同一の基地局に属さないこと、または、ＵＥがアップリンクデータを送信する必要があることを含む。
【０１４１】
任意の実装において、第１事前設定条件が満たされたときにＵＥが第２基地局へソース識別子を報告する前に、ＵＥは、第２セルのシステム情報ブロードキャストを受信して読み取る。システム情報ブロードキャストが、低オーバーヘッド状態のＵＥのアクセスが許可されているという指示を保持する場合、ＵＥは、アクセスの指示に従って、ソース識別子を第２基地局へ送信することを決定する。
【０１４２】
任意の実装において、第１事前設定条件が満たされたときにＵＥが第２基地局へソース識別子を報告する前に、ＵＥは参照信号測定結果に従って、ソース識別子を報告することを決定する。参照信号測定結果は、経路損失、信号品質または信号強度を含む。ＵＥは、参照信号測定結果を第１の予め定められた閾値と比較し、比較の結果に従って、識別子を報告するかどうかを決定する。第１の予め定められた閾値は、事前設定された一定値か、または、基地局によってＵＥのために構成された閾値であり得る。例えば、参照信号測定結果が経路損失である場合、ＵＥは、経路損失が第１の予め定められた閾値より小さいときのみにソース識別子を報告できると決定する。そうでない場合、ＵＥは低オーバーヘッド状態から出て、記憶されたコンテキストを消去する。
【０１４３】
任意の実装において、第１事前設定条件が満たされたときにＵＥが第２基地局へソース識別子を報告する前に、ＵＥは、事前設定範囲内のランダムアクセスプリアンブルを第２基地局へ送信することであって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、こと、第２基地局によって割り当てられた、ソース識別子を伝送するために使用される事前設定サイズ伝送リソースを受信すること、および、伝送リソースを使用することによって、ソース識別子を第２基地局へ送信することを行う。さらに、事前設定範囲内のランダムアクセスプリアンブルは、予め定義されたプリアンブル、または、第２基地局によって構成された、受信されたプリアンブルである。
【０１４４】
任意の実装において、ＵＥがソース識別子を第２基地局へ報告することは、具体的には、ＵＥが、ＲＲＣ構成インデックスを含むソース識別子を第２基地局へ報告することであって、その結果、第２基地局が、ＲＲＣ構成インデックスに従って、ＵＥによって使用されるＲＲＣ構成情報を決定する、ことであり得る。
【０１４５】
任意の実装において、ＵＥが、第２基地局へソース識別子を報告することは、具体的には、ＵＥがランダムアクセスプリアンブルを第２基地局へ送信すること、第２基地局によって送信された専用ＵＥ識別子と、第２基地局によって送信された、ランダムアクセスプリアンブルに従って割り当てられた、ソース識別子を伝送するために使用される伝送リソースとを受信することであって、専用ＵＥ識別子は、第２セルにおいてＵＥを一意に識別する識別子である、こと、伝送リソースを使用することによって、ソース識別子を第２基地局へ送信すること、第２基地局によって送信された、ソース識別子を含む肯定応答情報を受信すること、および、肯定応答情報に従って、専用ＵＥ識別子を適用するかどうかを決定することであり得る。さらに、ＵＥが肯定応答情報に従って、専用ＵＥ識別子を適用するかどうかを決定することは、具体的には、ＵＥが、肯定応答情報に従って専用ＵＥ識別子を適用することを省略すること、または、ＵＥが、肯定応答情報に従って、専用ＵＥ識別子を適用し、低オーバーヘッド状態から出ること、または、ＵＥが、肯定応答情報に従って、専用ＵＥ識別子を適用し、低オーバーヘッド状態に留まること、または、ＵＥが、低オーバーヘッド状態から出るようにＵＥに命令するために使用される、肯定応答情報に保持される命令に従って、専用ＵＥ識別子を適用し、低オーバーヘッド状態から出ることを含む。さらに、ＵＥは、専用ＵＥ識別子を適用した後に、現在キャンプオンしているサービングセルのセル識別子に従って、接続コンテキストにおける鍵を更新する。さらに、ＵＥによって第２基地局へ報告されたソース識別子はさらに、検証情報を含み、検証情報は、ソース識別子および更新された鍵に従って、ＵＥによって生成される身元認証情報である。
【０１４６】
任意の実装において、ＵＥによって報告されたソース識別子はさらに、指示情報を含み、指示情報は、ＵＥが低オーバーヘッド状態にあることを第２基地局に通知するために使用される。
【０１４７】
任意の実装において、ソース識別子は、長いソース識別子および短いソース識別子を含み、ＵＥがソース識別子を第２基地局へ報告することは、具体的には、以下の通りであり得る。ＵＥが、第２基地局の指示情報または参照信号測定結果に従って、長いソース識別子または短いソース識別子を報告することを決定する。長いソース識別子および短いソース識別子は、２つの独立したソース識別子であり得るか、または、短いソース識別子が長いソース識別子の部分情報である。例えば、長いソース識別子は、Ｎビットの長さを有し得て、短いソース識別子はＮビットにおけるＭビットであり得て、ＭはＮより小さい。第２基地局の指示情報は、システムブロードキャストを使用することによって構成される指示情報であり得るか、または、承認コマンドを使用することによってＵＥへ送信される承認情報であり得る。具体的には、システムブロードキャストを使用することによって構成される指示情報は、長いソース識別子または短いソース識別子を使用するようにＵＥに命令するために使用される指示であり得て、ＵＥは、指示に従って、ソース識別子を報告するために使用されるソース識別子の種類を決定し得る。代替的に、指示情報は、承認コマンドを使用することによってＵＥへ送信される承認情報であり、ＵＥは、承認情報に従って、伝送できるメッセージのサイズを決定し、伝送できるメッセージのサイズに従って、長いソース識別子または短いソース識別子を使用することを選択する。例えば、承認情報が５６ビットであり、ソース識別子を充填するために使用できる長さが２５ビットである場合、短いソース識別子が選択される。代替的に、承認情報が８８ビットであり、ソース識別子を充填するために使用できる長さが４０ビットである場合、長いソース識別子が選択される。ＵＥが参照信号測定結果に従って、長いソース識別子または短いソース識別子を報告することを決定することは、以下を含む。参照信号測定結果は、経路損失、信号品質または信号強度を含む。ＵＥは、参照信号測定結果を第１の予め定められた閾値と比較し、比較の結果に従って、長いソース識別子または短いソース識別子を報告することを決定する。第１の予め定められた閾値は、事前設定された一定値か、または、基地局によってＵＥのために構成された閾値であり得る。
【０１４８】
任意の実装において、ソース識別子は、長いソース識別子および短いソース識別子を含み、ＵＥがソース識別子を第２基地局へ報告することは、具体的には、以下の通りであり得る。ＵＥは、最初に短いソース識別子を報告することを決定し、次に、後続のメッセージにおいて、第２基地局の指示に従って、長いソース識別子、または、長いソース識別子における短いソース識別子以外の内容を報告する。第２基地局は、短いソース識別子を受信した後に、短いソース識別子に従って、第１基地局を決定し、コンテキスト転送要求を第１基地局へ送信する。コンテキストを取得できない場合、第２基地局はさらに、長いソース識別子、または、長いソース識別子における短いソース識別子以外の内容を報告するようにＵＥに命令する。このようにして、長いソース識別子が最初に報告されることが防止される。短いソース識別子は、長いソース識別子の部分情報である。例えば、長いソース識別子はＮビットの長さを有し、短いソース識別子は、ＮビットにおけるＭビットであり得る。例えば、短いソース識別子は、長いソース識別子の最下位のＮビットであり得るか、または、長いソース識別子の最上位のＮビットであり得る。ＭはＮより小さい。
【０１４９】
強調されるべきこととして、ＵＥが低オーバーヘッド状態に入った後にセル再選択手順が開始されるかどうかは、ＵＥが移動するかどうかに依存するので、第１事前設定条件が満たされたときのＵＥのサービングセルは、引き続き第１セルであり得るか、または第１セル以外のセルであり得る。従って、第２セルおよび第１セルは、同一セルであり得るか、または、異なるセルであり得る。
【０１５０】
Ｓ２０６：第２セルが属する第２基地局が、低オーバーヘッド状態のユーザ機器ＵＥによって報告されたソース識別子を受信する。
【０１５１】
具体的には、ＵＥが低オーバーヘッド状態に入るとき、第１セルはサービングセルであり、第２セルはＵＥの現在のサービングセルであり、ソース識別子は、第１セルが属する第１基地局においてＵＥを識別する第１ＵＥ識別子を含む。
【０１５２】
任意の実装において、第２基地局が、低オーバーヘッド状態のユーザ機器ＵＥによって報告されたソース識別子を受信する前に、第２基地局はシステム情報ブロードキャストを送信する。システム情報は、低オーバーヘッド状態のＵＥのアクセスが許可されるという指示を保持し、その結果、ＵＥは、アクセスの指示に従って、ソース識別子を第２基地局へ送信するかどうかを決定する。具体的には、第２基地局は、システム情報ブロードキャストを使用することによって、低オーバーヘッド状態におけるＵＥのアクセスが許可されるかどうかを制御する。従って、ＵＥは、ブロードキャストにおいて保持される指示を決定することによって、ソース識別子を報告できるかどうかを決定する。
【０１５３】
任意の実装において、第２基地局は、低オーバーヘッド状態のユーザ機器ＵＥによって報告されたソース識別子を受信する前に、ＵＥによって送信されたランダムアクセスプリアンブルを受信し、ランダムアクセスプリアンブルが事前設定範囲内に属するときに事前設定サイズ伝送リソースをＵＥに割り当て、その結果、ＵＥが伝送リソースを使用することによってソース識別子を送信する。さらに、事前設定範囲内のランダムアクセスプリアンブルは、予め定義されたプリアンブル、または、第２基地局によって構成された、受信されたプリアンブルである。
【０１５４】
任意の実装において、第２基地局が、低オーバーヘッド状態のユーザ機器ＵＥによって報告されたソース識別子を受信することは、具体的には、第２セルが属する第２基地局が、低オーバーヘッド状態のユーザ機器ＵＥによって送信されたランダムアクセスプリアンブルを受信すること、ランダムアクセスプリアンブルに従って、専用ＵＥ識別子、および、ソース識別子を伝送するために使用される伝送リソースをＵＥに割り当てることであって、専用ＵＥ識別子は、第２セルにおけるＵＥを一意に識別する識別子である、こと、伝送リソースを使用することによってソース識別子を受信すること、ならびに、ソース識別子を含む肯定応答情報をＵＥへ送信することである。さらに、第２基地局が、ソース識別子を含む肯定応答情報をＵＥへ送信することは、具体的には、第２基地局が、低オーバーヘッド状態から出るようにＵＥに命令するために使用される命令を保持する、ソース識別子を含む肯定応答メッセージをＵＥへ送信することであって、その結果、ＵＥが、命令に従って、専用ＵＥ識別子を適用し、低オーバーヘッド状態から出る、ことである。
【０１５５】
任意の実装において、ＵＥによって報告され、第２基地局によって受信されるソース識別子はさらに、無線リソース制御ＲＲＣ構成インデックスを含み、第２基地局は、低オーバーヘッド状態のＵＥによって報告されたソース識別子を受信した後に、ＲＲＣ構成インデックスに従って、ＵＥによって使用されるＲＲＣ構成情報を決定する。
【０１５６】
Ｓ２０７：第２基地局が、ソース識別子に従って、第１ＵＥ識別子を第１基地局へ送信し、ＵＥの現在のサービングセルが第２セルであることを第１基地局に通知する。
【０１５７】
具体的には、第２基地局は、第２基地局と第１基地局との間のインタフェースを使用することによって、ソース識別子に従って、ソース識別子を第１基地局へ送信するか、または、コアネットワークを使用することによって、ソース識別子に従って、ソース識別子を第１基地局へ送信する。
【０１５８】
任意の実装において、第２基地局は、ソース識別子に従って通知メッセージを第１基地局へ送信する。通知メッセージは、ＵＥのソース識別子と、ＵＥが現在所在する第２セルの第２セル識別子とを保持し、第２セルは、ＵＥが現在キャンプオンしているサービングセルである。第１基地局は、第２基地局によって送信された通知メッセージを受信し、ソース識別子および第２セル識別子に従って、ＵＥが現在キャンプオンしているサービングセルが第２セルであると決定する。さらに、通知メッセージは、ＵＥの検証情報を保持し、検証情報は、ソース識別子、および、接続コンテキストに含まれる鍵に従って、ＵＥによって生成される身元認証情報である。第１基地局は、ソース識別子および検証情報に従って、ＵＥが有効なＵＥかどうかを決定する。
【０１５９】
任意の実装において、ソース識別子に従って、第１ＵＥ識別子を第１基地局へ送信した後に、第２基地局は、第１基地局によって送信された、接続コンテキストと、ＵＥのソース識別子とを受信し、受信された接続コンテキストおよびソース識別子に従って、ＵＥの構成情報を決定し、ソース識別子に従って、ＵＥのアップリンクアクセスを引き起こす。
【０１６０】
本発明のこの実施形態において、本発明において実装されるインタラクション手順は、すべてのステップを同時に実行することに限定されない。すなわち、ＵＥ、第１基地局および第２基地局の処理ステップは、ＵＥ、第１基地局および第２基地局において独立に実行され得る。ＵＥ、第１基地局または第２基地局を含む任意のデバイスの個別の実装は、本発明のこの実施形態の保護範囲内に属する。
【０１６１】
本発明のこの実施形態において、低オーバーヘッド状態が設計され、この状態のＵＥは、接続モードのＵＥの接続コンテキストを記憶し、移動中にセル再選択基準に従ってセルにキャンプオンする。加えて、低オーバーヘッド状態のＵＥは、ソース基地局によって送信されたソース識別子を受信し、特定の条件が満たされたとき、移動中にＵＥの現在のサービング基地局へソース識別子を報告する。最後に、サービング基地局は、ソース識別子をソース基地局へ送信し、その結果、サービング基地局およびソース基地局の両方は、ＵＥの位置情報を認識できる。すなわち、ＵＥが低オーバーヘッド状態に入った後に、ＵＥはセル再選択に基づく移動性を自律的に実行し、ＵＥの位置変更情報のみを報告し、これにより、ハンドオーバ手順を簡潔化し、ネットワークデバイスの通信リソースを低減する。
【０１６２】
図３Ａおよび図３Ｂを参照すると、図３Ａおよび図３Ｂは、本発明の実施形態に係る別の移動性管理の方法の概略的フローチャートである。以下では、第１基地局、ＵＥおよび第２基地局の間のインタラクションという観点から、図３Ａおよび図３Ｂを参照しながら、説明を提供する。図３Ａおよび図３Ｂに示されるように、方法は、以下のステップＳ３０１からステップＳ３１３を備え得る。
【０１６３】
ステップＳ３０１：第１セルが属する第１基地局が、セルブロードキャストメッセージもしくは専用メッセージを使用することによって、または、ランダムアクセスチャネルＲＡＣＨ手順において、第１セルにおける接続モードのＵＥにソース識別子を割り当てる。
【０１６４】
ステップＳ３０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０１６５】
ステップＳ３０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０１６６】
ステップＳ３０４：第１基地局が、ＵＥが低オーバーヘッド状態に入ったと決定した後に、接続モードのＵＥの接続コンテキストを記憶する。事前設定アクティベーション条件が満たされたとき、ＵＥが低オーバーヘッド状態に入る。ＵＥは、低オーバーヘッド状態において、ＵＥの接続コンテキストを記憶し、移動中にセル再選択基準に従ってセルにキャンプオンする。
【０１６７】
具体的には、ステップＳ３０１からステップＳ３０４については、図２の実施形態におけるステップＳ２０１からステップＳ２０４を対応させて参照されたい。詳細はここでは再度説明しない。
【０１６８】
ステップＳ３０５：このステップは、第１事前設定条件が、ＵＥがアップリンクデータを送信する必要があることであるときのステップ２０５における処理を含み、ＵＥが、第２セルが属する第２基地局へソース識別子を報告することはさらに、ソース識別子を報告するとき、または後に、ＵＥが、第２セルが属する第２基地局へアップリンクデータ指示を報告することを含む。
【０１６９】
具体的には、ソース識別子およびアップリンクデータ指示は、同一の報告メッセージまたは異なる報告メッセージにおいて保持され得て、報告メッセージは、ＲＲＣメッセージ、ＭＡＣ制御情報要素、または、物理層制御メッセージであり得る。アップリンクデータ指示は、ＵＥのデータが到達したことを示すために使用されるビットであり得るか、または、データ量の指示であり得る。
【０１７０】
ステップＳ３０６：第２基地局が、ＵＥによって送信された、ソース識別子およびアップリンクデータ指示を受信する。
【０１７１】
ステップＳ３０７：第２基地局が、接続コンテキストのための転送要求を第１基地局へ送信する。ここで、接続コンテキストは、ＵＥが低オーバーヘッド状態に入ったときに第１基地局によって記憶される、接続モードのＵＥの接続コンテキストであり、コンテキスト転送要求は、ＵＥのソース識別子を保持する。
【０１７２】
ステップＳ３０８：第１基地局が、第２セルが属する第２基地局によって送信された、接続コンテキストのための転送要求を受信する。ここで、転送要求は、ＵＥのソース識別子を保持し、第２セルは、ＵＥが現在キャンプオンしているセルである。
【０１７３】
ステップＳ３０９：第１基地局が、転送要求に保持されるソース識別子に従って、接続コンテキストを第２基地局へ送信する。
【０１７４】
任意の実装において、第１基地局が接続コンテキストを第２基地局へ送信した後に、第１基地局はさらに、コアネットワークデータ経路のためのハンドオーバ指示を第２基地局へ送信し、その結果、第２基地局は、コアネットワークデータ経路を第２基地局へハンドオーバするかどうかを決定する。
【０１７５】
任意の実装において、第１基地局が接続コンテキストを第２基地局へ送信するとき、前または後に、第１基地局は、ページングパラメータを第２基地局へ送信する。ページングパラメータは、ＵＥのページングインデックス、または、ＵＥのＤＲＸサイクルを含む。第２基地局は、ページングパラメータに従って、ＵＥに対するページングを引き起こし得る。
【０１７６】
ステップＳ３１０：第２基地局が、第１基地局によって転送された接続コンテキストを受信し、接続コンテキストに従ってＵＥとの接続を確立する。
【０１７７】
任意の実装において、第２基地局は、ソース識別子と併せて接続コンテキストに従って、ＵＥの構成情報を決定し、ソース識別子に従ってＵＥのアップリンクアクセスを引き起こす。さらに、ソース識別子に従ってＵＥのアップリンクアクセスを引き起こすことは、具体的には、ソース識別子を使用することによってＵＥをページングすること、または、ソース識別子に従って、ＵＥの専用ＵＥ識別子を決定し、専用ＵＥ識別子を使用することによってアップリンクアクセスコマンドをＵＥへ送信すること、または、ソース識別子に従って、ＵＥの専用ＵＥ識別子を決定し、専用ＵＥ識別子を使用することによってＵＥをページングすることである。
【０１７８】
任意の実装において、第２基地局は、第１基地局によって転送された接続コンテキストを受信した後に、さらに、再割り当てされたソース識別子をＵＥへ送信することであって、再割り当てされたソース識別子は、第２基地局においてＵＥを識別する第２ＵＥ識別子を含む、こと、および、命令をＵＥへ送信して、低オーバーヘッド状態から出るようにＵＥに命令することを含む。
【０１７９】
本発明のこの実施形態において、本発明において実装されるインタラクション手順は、すべてのステップを同時に実行することに限定されない。すなわち、ＵＥ、第１基地局および第２基地局の処理ステップは、ＵＥ、第１基地局および第２基地局において独立に実行され得る。ＵＥ、第１基地局または第２基地局を含む任意のデバイスの別の実装は、本発明のこの実施形態の保護範囲内に属する。
【０１８０】
本発明のこの実施形態において、低オーバーヘッド状態が設計され、この状態のＵＥは、接続モードのＵＥの接続コンテキストを記憶し、移動中にセル再選択基準に従ってセルにキャンプオンする。加えて、低オーバーヘッド状態のＵＥは、ソース基地局によって送信されたソース識別子を受信し、特定の条件が満たされたとき、移動中にＵＥの現在のサービング基地局へソース識別子を報告する。最後に、サービング基地局は、ソース識別子をソース基地局へ送信し、その結果、サービング基地局およびソース基地局の両方は、ＵＥの位置情報を認識できる。すなわち、ＵＥが低オーバーヘッド状態に入った後に、ＵＥはセル再選択に基づく移動性を自律的に実行し、ＵＥの位置変更情報のみを報告し、これにより、ハンドオーバ手順を簡潔化し、ネットワークデバイスの通信リソースを低減する。さらに、ＵＥが低オーバーヘッド状態に入った後に、ソース基地局およびＵＥは両方とも、ＵＥの接続コンテキストを記憶するので、ＵＥがアップリンクまたはダウンリンクデータ通信を実行する必要があるとき、ＵＥの接続コンテキストは、データ伝送のために、ＵＥの現在のサービング基地局へハンドオーバでき、これにより、データ伝送効率を保証する。
【０１８１】
図４Ａおよび図４Ｂを参照すると、図４Ａおよび図４Ｂは、本発明の実施形態に係るさらに別の移動性管理の方法の概略的フローチャートである。以下では、第１基地局、ＵＥおよび第２基地局の間のインタラクションという観点から、図４Ａおよび図４Ｂを参照しながら、説明を提供する。図４Ａおよび図４Ｂに示されるように、方法は、以下のステップＳ４０１およびステップＳ４１０を備え得る。
【０１８２】
ステップＳ４０１：第１セルが属する第１基地局が、セルブロードキャストメッセージもしくは専用メッセージを使用することによって、または、ランダムアクセスチャネルＲＡＣＨ手順において、第１セルにおける接続モードのＵＥにソース識別子を割り当てる。
【０１８３】
ステップＳ４０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０１８４】
ステップＳ４０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０１８５】
ステップＳ４０４：第１基地局が、ＵＥが低オーバーヘッド状態に入ったと決定した後に、接続モードのＵＥの接続コンテキストを記憶する。低オーバーヘッド状態において、ＵＥは接続コンテキストを記憶し、移動中にセル再選択基準に従ってセルにキャンプオンする。
【０１８６】
ステップＳ４０５：第１事前設定条件が満たされたとき、ＵＥが、第２セルが属する第２基地局へソース識別子を報告する。第２セルは、ＵＥが現在キャンプオンしているサービングセルである。
【０１８７】
ステップＳ４０６：第２セルが属する第２基地局が、低オーバーヘッド状態のユーザ機器ＵＥによって報告されたソース識別子を受信する。低オーバーヘッド状態において、ＵＥは、接続モードのＵＥの接続コンテキストを記憶し、移動中にセル再選択基準に従ってセルにキャンプオンし、第１セルは、ＵＥが低オーバーヘッド状態に入ったときのサービングセルであり、第２セルは、ＵＥの現在のサービングセルであり、ソース識別子は、第１セルが属する第１基地局においてＵＥを識別する第１ＵＥ識別子を含む。
【０１８８】
ステップＳ４０７：第２基地局が、ソース識別子に従って、第１ＵＥ識別子を第１基地局へ送信する。
【０１８９】
具体的には、ステップＳ４０１からステップＳ４０７については、図２の実施形態におけるステップＳ２０１からステップＳ２０７を対応させて参照されたい。詳細はここでは再度説明しない。
【０１９０】
ステップＳ４０８：ＵＥのダウンリンクデータが第１基地局に到達したとき、第１基地局が、接続コンテキストと、ＵＥのソース識別子とを第２基地局へ送信する。第２基地局は、第２セルが属する基地局である。
【０１９１】
具体的には、ＵＥのダウンリンクデータが第１基地局に到達したとき、第１基地局は、接続コンテキストと、ＵＥのソース識別子とを第２基地局へ送信し、その結果、第２基地局は、接続コンテキストに従って、ＵＥとのデータ通信を実行する。加えて、第１基地局はさらに、ＵＥのダウンリンクデータを第２基地局へ転送し、その結果、ＵＥの現在のサービング基地局である第２基地局は、ダウンリンクデータをＵＥへ送信できる。
【０１９２】
ステップＳ４０９：第１基地局によって送信された、接続コンテキストと、ＵＥのソース識別子とを受信する。
【０１９３】
ステップＳ４１０：受信された接続コンテキスト、および、ソース識別子に従って、ＵＥの構成情報を決定し、ソース識別子に従って、ＵＥのアップリンクアクセスを引き起こす。
【０１９４】
具体的には、ステップＳ４０９およびステップＳ４１０については、図２の実施形態におけるステップＳ２０７を対応させて参照されたい。詳細はここでは再度説明しない。
【０１９５】
本発明のこの実施形態において、本発明において実装されるインタラクション手順は、すべてのステップを同時に実行することに限定されない。すなわち、ＵＥ、第１基地局および第２基地局の処理ステップは、ＵＥ、第１基地局および第２基地局において独立に実行され得る。ＵＥ、第１基地局または第２基地局を含む任意のデバイスの別の実装は、本発明のこの実施形態の保護範囲内に属する。
【０１９６】
本発明のこの実施形態において、低オーバーヘッド状態が設計され、この状態のＵＥは、接続モードのＵＥの接続コンテキストを記憶し、移動中にセル再選択基準に従ってセルにキャンプオンする。加えて、低オーバーヘッド状態のＵＥは、ソース基地局によって送信されたソース識別子を受信し、特定の条件が満たされたとき、移動中にＵＥの現在のサービング基地局へソース識別子を報告する。最後に、サービング基地局は、ソース識別子をソース基地局へ送信し、その結果、サービング基地局およびソース基地局の両方は、ＵＥの位置情報を認識できる。すなわち、ＵＥが低オーバーヘッド状態に入った後に、ＵＥはセル再選択に基づく移動性を自律的に実行し、ＵＥの位置変更情報のみを報告し、これにより、ハンドオーバ手順を簡潔化し、ネットワークデバイスの通信リソースを低減する。さらに、ＵＥが低オーバーヘッド状態に入った後に、ソース基地局およびＵＥは両方とも、ＵＥの接続コンテキストを記憶するので、ＵＥがアップリンクまたはダウンリンクデータ通信を実行する必要があるとき、ＵＥの接続コンテキストは、データ伝送のために、ＵＥの現在のサービング基地局へハンドオーバでき、これにより、データ伝送効率を保証する。
【０１９７】
図８Ａおよび図８Ｂを参照すると、図８Ａおよび図８Ｂは、本発明の実施形態に係る別の移動性管理の方法の概略的フローチャートである。以下では、第１基地局、ＵＥおよび第２基地局の間のインタラクションという観点から、図８Ａおよび図８Ｂを参照しながら、説明を提供する。図８Ａおよび図８Ｂに示されるように、方法は、以下のステップＳ５０１およびステップＳ５０６を備え得る。
【０１９８】
ステップＳ５０１：第１セルが属する第１基地局が、セルブロードキャストメッセージもしくは専用メッセージを使用することによって、または、ランダムアクセスチャネルＲＡＣＨ手順において、第１セルにおける接続モードのＵＥにソース識別子を割り当てる。
【０１９９】
ステップＳ５０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０２００】
ステップＳ５０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０２０１】
ステップＳ５０４：第１基地局が、ＵＥが低オーバーヘッド状態に入ったと決定した後に、接続モードのＵＥの接続コンテキストを記憶する。低オーバーヘッド状態において、ＵＥは接続コンテキストを記憶し、移動中にセル再選択基準に従ってセルにキャンプオンする。
【０２０２】
ステップＳ５０５：第１事前設定条件が満たされたとき、ＵＥが、第２セルが属する第２基地局へソース識別子を報告する。第２セルは、ＵＥが現在キャンプオンしているサービングセルである。
【０２０３】
具体的には、ステップＳ５０１からステップＳ５０５については、図２の実施形態におけるステップＳ２０１からステップＳ２０５を対応させて参照されたい。詳細はここでは再度説明しない。
【０２０４】
ステップＳ５０６：ＵＥのダウンリンクデータが第１基地局に到達したとき、または、コアネットワークデバイスからの第１ページングメッセージが第１基地局に到達したとき、第１基地局が、第２ページングメッセージを第３基地局へ送信する。ここで、第３基地局および第１基地局は、同一のページングエリア範囲に属する基地局である。
【０２０５】
任意で、低オーバーヘッド状態のＵＥは、構成に従って、基地局に通知することなく特定エリア範囲内において移動し得る。結果として、第１基地局は、ＵＥの正確な位置を認識できず、特定範囲内のみのＵＥにページングできる。具体的には、ステップＳ５０５において、ＵＥが第１事前設定条件を満たすとき、ＵＥは、第２セルが属する第２基地局へソース識別子を報告する。第１事前設定条件は、ＵＥが現在キャンプオンしている第２セルが、指定されたセルの組の範囲を超えること、または、ＵＥが現在キャンプオンしている第２セルと第１セルとが同一の事前設定エリアもしくは同一の基地局に属さないことを含む。従って、ＵＥは、セルの組、または、同一の事前設定エリア内を移動しているとき、ＵＥ識別子を第２基地局へ送信しないことがあり得る。結果として、第１基地局は、セルの組、または、事前設定エリアにおける、ＵＥが所在する特定のセルを認識できない。セルの組、または、事前設定エリアは、ページングエリアとして定義されている。セルの組は、ＵＥが低オーバーヘッド状態に入ったときに基地局によってＵＥのために構成され、事前設定エリアは、ＵＥが低オーバーヘッド状態に入ったときにＵＥのサービングセルが所在するエリアである。従って、第１基地局は、第２ページングメッセージを第３基地局へ送信する必要がある。第３基地局は、第２ページングメッセージに従って、ＵＥをページングする。第３基地局がＵＥのページング応答メッセージを受信した場合、第３基地局は、第２ページング応答メッセージを第１基地局へ返し、その結果、第１基地局は、ＵＥが現在、第３基地局に所在することを認識でき、さらに、ＵＥのコンテキストを第３基地局へ送信することを引き起こすことができる。加えて、第１基地局はまた、ＵＥをページングして、ＵＥが第１基地局に所在するかどうかを決定する。
【０２０６】
具体的には、任意で、基地局は、ダウンリンクデータの到着に従ってページングを引き起こす。ページングを引き起こす前に、基地局は、ＵＥのページングパラメータについての情報をコアネットワークから取得する必要がある。ページングパラメータは、ＵＥのページングインデックスまたはＵＥのＤＲＸサイクルを含む。ページングは、ＵＥのページングオフセットを計算するために使用され、ＤＲＸサイクルは、ＵＥの上位レイヤによって構成されるＤＲＸサイクルである。基地局がコアネットワークから取得する、ＵＥのページングパラメータについての情報の具体的なメッセージは、初期コンテキスト確立メッセージ、または、コンテキスト修正メッセージ、または、Ｅ‐ＲＡＢ確立メッセージ、または、Ｅ‐ＲＡＢ修正メッセージであり得る。
【０２０７】
具体的には、任意で、第１基地局は、コアネットワークデバイスからのページングに従ってページングを引き起こし、第１基地局は、ページングメッセージから、ＵＥのページングパラメータについての情報を取得する。ページングパラメータは、ＵＥのページングインデックスまたはＵＥのＤＲＸサイクルを含む。
【０２０８】
具体的には、任意で、第１基地局によって第３基地局へ送信された第２ページングメッセージは、ページングパラメータを含み、ページングパラメータは、ＵＥのページングインデックスまたはＵＥのＤＲＸサイクルを含む。
【０２０９】
具体的には、任意で、第１基地局によって第３基地局へ送信された第２ページングメッセージは、ページングパラメータを含み、ページングパラメータは、ＵＥのソース識別子を含む。
【０２１０】
本発明のこの実施形態において、本発明において実装されるインタラクション手順は、すべてのステップを同時に実行することに限定されない。すなわち、ＵＥ、第１基地局および第３基地局の処理ステップは、ＵＥ、第１基地局および第２基地局において独立に実行され得る。ＵＥ、第１基地局または第３基地局を含む任意のデバイスの別の実装は、本発明のこの実施形態の保護範囲内に属する。
【０２１１】
本発明のこの実施形態において、低オーバーヘッド状態が設計され、この状態のＵＥは、接続モードのＵＥの接続コンテキストを記憶し、移動中にセル再選択基準に従ってセルにキャンプオンする。すなわち、ＵＥが低オーバーヘッド状態に入った後に、ＵＥはセル再選択に基づく移動性を自律的に実行し、ＵＥの位置エリア変更情報のみを報告し、これにより、ハンドオーバ手順を簡潔化し、ネットワークデバイスの通信リソースを低減する。さらに、ＵＥが低オーバーヘッド状態に入った後に、ソース基地局およびＵＥは両方とも、ＵＥの接続コンテキストを記憶するので、ＵＥがアップリンクまたはダウンリンクデータ通信を実行する必要があるとき、ＵＥの接続コンテキストは、データ伝送のために、ＵＥの現在のサービング基地局へハンドオーバでき、これにより、データ伝送効率を保証する。
【０２１２】
本発明の実施形態における方法の実施形態をより良好に実装するべく、本発明はさらに、方法の実施形態を協働的に実装するように構成されている、関連する基地局およびユーザ機器を提供する。以下では、本発明において提供されている関連する基地局およびユーザ機器の概略図である図５、図６および図７を参照しながら、詳細な説明を提供する。
【０２１３】
図５を参照すると、図５は、本発明の実施形態に係る基地局１０を示す。基地局１０は第１基地局であり、基地局１０は出力ユニット１０２、記憶ユニット１０３および処理ユニット１０４を備える。本発明のいくつかの実施形態において、入力ユニット１０１、記憶ユニット１０３および処理ユニット１０４は、バスを使用することによって、または、別の方式で接続され得る。図５は、例としてのバス接続を示す。処理ユニット１０４は、記憶ユニット１０３におけるプログラムコードを呼び出し、以下の動作を実行する。
・出力ユニット１０２を使用することによって、第１セルにおける、接続モードのユーザ機器ＵＥにソース識別子を割り当てる動作であって、ソース識別子は、第１基地局においてＵＥを識別する第１ＵＥ識別子を含む、動作。
・ＵＥが低オーバーヘッド状態に入ったと決定した後に、接続モードのＵＥの接続コンテキストを記憶する動作であって、事前設定アクティベーション条件が満たされたとき、ＵＥは低オーバーヘッド状態に入り、低オーバーヘッド状態において、ＵＥは、接続コンテキストを記憶し、移動中に、セル再選択基準に従って、セルにキャンプオンする、動作。
【０２１４】
任意の解決法において、ソース識別子は、第１セルを識別する第１セル識別子と、第１セルにおいてＵＥを一意に識別する第１ＵＥ識別子とを含み、第１セル識別子は、セルグローバル識別子ＥＣＧＩ、物理セル識別子ＰＣＩ、または、エリアの識別子とエリアにおける第１セルの識別子とを含むセル識別子のうちの少なくとも１つを含む。または、ソース識別子は、第１基地局を一意に識別する第１基地局識別子と、第１基地局においてＵＥを一意に識別する第１ＵＥ識別子とを含む。
【０２１５】
別の任意の解決法において、処理ユニット１０４が、出力ユニット１０２を使用することによって、第１セルにおける接続モードのユーザ機器ＵＥにソース識別子を割り当てるように構成されていることは、具体的には、出力ユニット１０２によって出力されたセルブロードキャストメッセージもしくは専用メッセージを使用することによって、または、ランダムアクセスチャネルＲＡＣＨ手順において、第１セルにおける接続モードのＵＥにソース識別子を割り当てることである。
【０２１６】
別の任意の解決法において、事前設定アクティベーション条件は、以下の条件のうちの少なくとも１つを含む。
・第１基地局が、低オーバーヘッド状態に入るようにＵＥに命令するために使用される制御命令をＵＥへ送信する。
・第１事前設定期間内に第１基地局とＵＥとの間でデータが伝送されなかった。
・第１基地局が、ＵＥのタイミングアドバンスタイマであるＴＡタイマが満了したと決定するか、もしくは、第１基地局が、ＵＥのＴＡタイマが満了し、かつ、ＴＡタイマが第２事前設定期間内に再度作動しなかったと決定する。または、
・第１基地局が、ＵＥが間欠受信ＤＲＸ状態に入り、かつ、第３事前設定期間内にＤＲＸ状態から出なかったと決定する。
【０２１７】
別の任意の解決法において、処理ユニット１０４はさらに、ＵＥが低オーバーヘッド状態に入ったと決定した後に、出力ユニット１０２を使用することによって、ＵＥが低オーバーヘッド状態において使用するための無線リソース制御ＲＲＣ構成情報をＵＥへ送信するように構成されている。
【０２１８】
別の任意の解決法において、ＲＲＣ構成情報は、ＲＲＣ構成インデックスを含み、構成インデックスは、ＲＲＣ構成情報を示すために使用される。
【０２１９】
別の任意の解決法において、基地局はさらに、入力ユニット１０１を備え、処理ユニット１０４はさらに、ＵＥが低オーバーヘッド状態に入ったと決定した後に、入力ユニット１０１を使用することによって、第２セルが属する第２基地局によって送信された通知メッセージを受信することであって、通知メッセージは、ＵＥのソース識別子と、ＵＥが現在所在する第２セルの第２セル識別子とを保持し、第２セルは、ＵＥが現在キャンプオンしているサービングセルである、こと、ならびに、ソース識別子および第２セル識別子に従って、ＵＥが現在キャンプオンしているサービングセルが第２セルであると決定することを行うように構成されている。
【０２２０】
別の任意の解決法において、処理ユニット１０４はさらに、ソース識別子および第２セル識別子に従って、ＵＥが現在キャンプオンしているサービングセルが第２セルであると決定した後に、ＵＥのダウンリンクデータが第１基地局に到達したときに、出力ユニット１０２を使用することによって、接続コンテキスト、および、ＵＥのソース識別子を第２基地局へ送信することであって、第２基地局は、第２セルが属する基地局である、ことを行うように構成されている。
【０２２１】
別の任意の解決法において、基地局はさらに、入力ユニット１０１を備え、通知メッセージは、ＵＥの検証情報を保持し、検証情報は、ソース識別子、および、接続コンテキストに含まれる鍵に従って、ＵＥによって生成される身元認証情報であり、処理ユニット１０４はさらに、入力ユニット１０１を使用することによって、第２基地局によって送信された通知メッセージを受信した後に、ソース識別子および検証情報に従って、ＵＥが有効なＵＥかどうかを決定するように構成されている。
【０２２２】
別の任意の解決法において、基地局はさらに、入力ユニット１０１を備え、処理ユニット１０４はさらに、ＵＥが低オーバーヘッド状態に入ったと決定した後に、入力ユニット１０１を使用することによって、第２セルが属する第２基地局によって送信された、接続コンテキストのための転送要求を受信することであって、転送要求は、ＵＥのソース識別子を保持し、第２セルは、ＵＥが現在キャンプオンしているセルである、こと、および、出力ユニット１０２を使用することによって、転送要求に保持されるソース識別子に従って、接続コンテキストを第２基地局へ送信することを行うように構成されている。
【０２２３】
別の任意の解決法において、基地局はさらに、入力ユニット１０１を備え、ＵＥのダウンリンクデータが第１基地局に到達したとき、または、コアネットワークデバイスからのページングが第１基地局に到達したとき、処理ユニット１０４はさらに、第１基地局が出力ユニット１０２を使用することによって、ページングメッセージを第３基地局へ送信するように構成され、第３基地局および第１基地局は、同一のページングエリア範囲に属する基地局である。
【０２２４】
入力ユニット１０１は、ＵＥのページング応答メッセージを第３基地局から受信するように構成され、その結果、第１基地局は、ＵＥが現在、第３基地局に所在すると認識できる。
【０２２５】
入力ユニット１０１はさらに、ダウンリンクデータが基地局に到達する前に、基地局が、ＵＥのページングパラメータについての情報をコアネットワークから取得する必要があるように構成されている。ページングパラメータは、ＵＥのページングインデックス、または、ＵＥのＤＲＸサイクルを含む。
【０２２６】
基地局１０におけるユニットの機能については、図２における方法の実施形態における具体的な実装が対応させて参照されることを理解されたい。詳細はここでは再度説明しない。
【０２２７】
図６を参照すると、図６は、本発明の実施形態に係るユーザ機器ＵＥ２０を示す。ＵＥ２０は、入力ユニット２０１、出力ユニット２０２、記憶ユニット２０３および処理ユニット２０４を備え得る。本発明のいくつかの実施形態において、バスは、これらのコンポーネントの間で通信接続を実装するように構成されている。入力ユニット２０１は、具体的には、端末のタッチパネル上における動作命令を検出するように構成されているタッチスクリーンを含む、端末のタッチパネルであり得る。出力ユニット２０２は、画像またはデータを出力および表示するように構成されている、端末のディスプレイ（Ｄｉｓｐｌａｙ）を含み得る。メモリ２０３は、高速ＲＡＭディスプレイであり得るか、または、不揮発性ディスプレイ（ｎｏｎ−ｖｏｌａｔｉｌｅ  ｍｅｍｏｒｙ）、例えば、少なくとも１つの磁気ディスプレイであり得る。任意で、メモリ２０３は、プロセッサ２０１から遠く離れた少なくとも１つのディスプレイ装置であり得る。図６に示されているように、コンピュータディスプレイ媒体としてのメモリ２０３は、オペレーティングシステム、ネットワーク通信モジュール、ユーザインタフェースモジュール、および、データ処理プログラムを含み得る。
【０２２８】
図６におけるＵＥの処理ユニット２０４は、記憶ユニット２０３におけるプログラムコードを呼び出し、以下の動作を実行する。
・入力ユニット２０１を使用することによって、第１セルが属する第１基地局によって割り当てられたソース識別子を受信し、ソース識別子は、第１基地局のセルにおいてＵＥを一意に識別する第１ＵＥ識別子を含む。
・事前設定アクティベーション条件が満たされたとき、ＵＥが低オーバーヘッド状態に入ることを可能にし、低オーバーヘッド状態において、ＵＥは、接続モードのＵＥの接続コンテキストを記憶し、移動中にセル再選択基準に従ってセルにキャンプオンする。
・第１事前設定条件が満たされたとき、出力ユニット２０２を使用することによって、第２セルが属する第２基地局へソース識別子を報告し、第２セルは、ＵＥが現在キャンプオンしているサービングセルである。
【０２２９】
任意の解決法において、ソース識別子は、第１セルを識別する第１セル識別子と、第１セルにおいてＵＥを一意に識別する第１ＵＥ識別子とを含み、第１セル識別子は、セルグローバル識別子ＥＣＧＩ、物理セル識別子ＰＣＩ、または、エリアの識別子とエリアにおける第１セルの識別子とを含むセル識別子のうちの少なくとも１つを含む。または、ソース識別子は、第１基地局を一意に識別する第１基地局識別子と、第１基地局においてＵＥを一意に識別する第１ＵＥ識別子とを含む。
【０２３０】
別の任意の解決法において、事前設定アクティベーション条件は以下の条件のうちの少なくとも１つを含む。
・ＵＥが、低オーバーヘッド状態に入るように命令するために使用される制御命令を第１基地局から受信する。
・ＵＥが第１セルから去る。
・第１事前設定期間内に、ＵＥと第１基地局との間でデータが伝送されなかった。
・ＵＥのタイミングアドバンスタイマであるＴＡタイマが満了するか、もしくは、ＵＥのＴＡタイマが満了し、かつ、ＴＡタイマが第２事前設定期間内に再び作動しなかった。または、
・ＵＥが間欠受信ＤＲＸ状態に入り、かつ、第３事前設定期間内にＤＲＸ状態から出なかった。
【０２３１】
別の任意の解決法において、処理ユニット２０４はさらに、事前設定アクティベーション条件が満たされたときにＵＥが低オーバーヘッド状態に入った後に、第２事前設定条件が満たされたときにＵＥが低オーバーヘッド状態から出ることを可能にするように構成され、第２事前設定条件は、以下を含む。
・ＵＥが現在キャンプオンしているサービングセルが変化する。または、
・ＵＥが現在キャンプオンしているサービングセルが、指定されたセルの組の範囲を超える。または、
・ＵＥが現在キャンプオンしているサービングセルと第１セルとが同一の事前設定エリアもしくは同一の基地局に属していない。または、
・ＵＥがソース識別子を第２基地局へ送信し、ソース識別子についてのアクセス拒否指示を第２基地局から受信する。または、
・ＵＥが第２セルのシステム情報ブロードキャストを読み取り、システム情報ブロードキャストは、低オーバーヘッド状態のＵＥのアクセスが許可されるという指示を保持しない。または、
・ＵＥがアップリンクデータを送信する必要がある。または、
・ＵＥが参照信号測定結果を取得し、参照信号測定結果と第１の予め定められた閾値との間の比較の結果が事前設定結果と一致する。
【０２３２】
別の任意の解決法において、処理ユニット２０４が、第２事前設定条件が満たされたときにＵＥが低オーバーヘッド状態から出ることを可能にするように構成されていることは、具体的には、第２事前設定条件が満たされたときに、接続コンテキストを消去し、ＵＥがアイドルモードに入ることを可能にすることである。
【０２３３】
別の任意の解決法において、第１事前設定条件は、ＵＥが現在キャンプオンしているサービングセルが変化すること、または、ＵＥが現在キャンプオンしている第２セルが、指定されたセルの組の範囲を超えること、または、ＵＥが現在キャンプオンしている第２セルと第１セルとが同一の事前設定エリアもしくは同一の基地局に属さないこと、または、ＵＥがアップリンクデータを送信する必要があることを含む。
【０２３４】
別の任意の解決法において、処理ユニット２０４はさらに、第１事前設定条件が満たされたとき、出力ユニット２０２を使用することによって、第２セルが属する第２基地局へソース識別子を報告する前に、入力ユニット２０１を使用することによって、第２セルのシステム情報ブロードキャストを受信して読み取るように、ならびに、低オーバーヘッド状態のＵＥのアクセスが許可されるという指示をシステム情報ブロードキャストが保持している場合、出力ユニット２０２を使用することによって、アクセスの指示に従って、ソース識別子を第２基地局へ送信することを決定するように構成されている。
【０２３５】
別の任意の実装において、出力ユニット２０２を使用することによって、第２セルが属する第２基地局へソース識別子が報告される前に、入力ユニット２０１を使用することによって参照信号測定結果が取得され、第１の予め定められた閾値と比較され、比較の結果に従って、出力ユニット２０２を使用することによってソース識別子を第２基地局へ送信することが決定される。
【０２３６】
別の任意の解決法において、処理ユニット２０４はさらに、第１事前設定条件が満たされたとき、出力ユニット２０２を使用することによって、第２セルが属する第２基地局へソース識別子を報告する前に、出力ユニット２０２を使用することによって、事前設定範囲内のランダムアクセスプリアンブルを第２基地局へ送信することであって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、こと、入力ユニット２０１を使用することによって、第２基地局によって割り当てられた、ソース識別子を伝送するために使用される事前設定サイズ伝送リソースを受信すること、および、出力ユニット２０２を使用することによって、伝送リソースを使用することによってソース識別子を第２基地局へ送信することを行うように構成されている。
【０２３７】
別の任意の解決法において、事前設定範囲内のランダムアクセスプリアンブルは、予め定義されたプリアンブル、または、第２基地局によって構成された、受信されたプリアンブルである。
【０２３８】
別の任意の解決法において、処理ユニット２０４が、第２セルが属する第２基地局へソース識別子を報告するように構成されていることは、具体的には、出力ユニット２０２を使用することによって、ランダムアクセスプリアンブルを第２基地局へ送信すること、入力ユニット２０１を使用することによって、第２基地局によって送信された専用ＵＥ識別子と、第２基地局によって送信された、ランダムアクセスプリアンブルに従って割り当てられた、ソース識別子を伝送するために使用される伝送リソースとを受信することであって、専用ＵＥ識別子は、第２セルにおいてＵＥを一意に識別する識別子である、こと、出力ユニット２０２を使用することによって、伝送リソースを使用することによってソース識別子を第２基地局へ送信すること、入力ユニット２０１を使用することによって、第２基地局によって送信された、ソース識別子を含む肯定応答情報を受信すること、および、肯定応答情報に従って、専用ＵＥ識別子を適用するかどうかを決定することである。
【０２３９】
別の任意の解決法において、処理ユニット２０４が、肯定応答情報に従って、専用ＵＥ識別子を適用するかどうかを決定するように構成されていることは、具体的には、処理ユニット２０４が、肯定応答情報に従って専用ＵＥ識別子を適用することを省略すること、または、処理ユニット２０４が、肯定応答情報に従って、専用ＵＥ識別子を適用し、低オーバーヘッド状態から出ること、または、処理ユニット２０４が、肯定応答情報に従って、専用ＵＥ識別子を適用し、低オーバーヘッド状態に留まること、または、処理ユニット２０４が、低オーバーヘッド状態から出るようにＵＥに命令するために使用される、肯定応答情報に保持される命令に従って、専用ＵＥ識別子を適用し、低オーバーヘッド状態から出ることである。
【０２４０】
別の任意の解決法において、処理ユニット２０４はさらに、ＵＥが専用ＵＥ識別子を適用した後に、現在キャンプオンしているサービングセルのセル識別子に従って、接続コンテキストにおける鍵を更新するように構成されている。
【０２４１】
別の任意の解決法において、ソース識別子はさらに、検証情報を含み、検証情報は、ソース識別子、および、更新された鍵に従って、ＵＥによって生成される身元認証情報である。
【０２４２】
別の任意の解決法において、処理ユニット２０４はさらに、事前設定アクティベーション条件が満たされたときにＵＥが低オーバーヘッド状態に入った後に、ソース識別子を使用することによって、ページングのリッスンを実行するように構成されている。
【０２４３】
別の任意の解決法において、処理ユニット２０４はさらに、入力ユニット２０１を使用することによって、第１基地局によって送信された無線リソース制御ＲＲＣ構成情報を受信することであって、ＲＲＣ構成情報はＲＲＣ構成インデックスを含み、構成インデックスはＲＲＣ構成情報を示すために使用される、こと、および、低オーバーヘッド状態においてＵＥがＲＲＣ構成情報を使用することを可能にすることを行うように構成されている。
【０２４４】
別の任意の解決法において、処理ユニット２０４が、第１事前設定条件が満たされたとき、第２セルが属する第２基地局へソース識別子を報告するように構成されていることは、具体的には、出力ユニット２０２を使用することによって、ＲＲＣ構成インデックスを含むソース識別子を、第２セルが属する第２基地局へ報告し、その結果、第２基地局が、ＲＲＣ構成インデックスに従って、ＵＥによって使用されるＲＲＣ構成情報を決定することである。
【０２４５】
別の任意の解決法において、第１事前設定条件は、ＵＥがアップリンクデータを送信する必要があることであり、処理ユニット２０４が、第２セルが属する第２基地局へソース識別子を報告するように構成されていることは、具体的には、出力ユニット２０２を使用することによって、第２セルが属する第２基地局へ、ソース識別子を含むアップリンクデータ指示を報告することである。
【０２４６】
別の任意の解決法において、第１事前設定条件は、ＵＥがアップリンクデータを送信する必要があることであり、処理ユニット２０４が、第２セルが属する第２基地局へソース識別子を報告するように構成されていることは、具体的には、出力ユニット２０２を使用することによって、第２基地局の指示情報に従って、第２セルが属する第２基地局へ長いソース識別子または短いソース識別子を報告することである。
【０２４７】
ユーザ機器ＵＥ２０におけるユニットの機能については、図３Ａおよび図３Ｂにおける方法の実施形態における具体的な実装が対応させて参照されることを理解されたい。詳細はここでは再度説明しない。
【０２４８】
図７を参照すると、図７は、本発明の実施形態に係る基地局３０を示す。基地局３０は第２基地局であり、基地局３０は、入力ユニット３０１、出力ユニット３０２、記憶ユニット３０３および処理ユニット３０４を備える。本発明のいくつかの実施形態において、入力ユニット３０１、記憶ユニット３０３および処理ユニット３０４は、バスを使用することによって、または、別の方式で接続され得る。図７は、例としてのバス接続を示す。処理ユニット３０４は、記憶ユニット３０３におけるプログラムコードを呼び出し、以下の動作を実行する。
・入力ユニット３０１を使用することによって、低オーバーヘッド状態のユーザ機器ＵＥによって報告されたソース識別子を受信し、低オーバーヘッド状態において、ＵＥは、接続モードのＵＥの接続コンテキストを記憶し、移動中にセル再選択基準に従ってセルにキャンプオンし、第１セルは、ＵＥが低オーバーヘッド状態に入ったときのサービングセルであり、第２セルは、ＵＥの現在のサービングセルであり、ソース識別子は、第１セルが属する第１基地局においてＵＥを識別する第１ＵＥ識別子を含む。
・出力ユニット３０２を使用することによって、ソース識別子に従って、第１ＵＥ識別子を第１基地局へ送信し、ＵＥの現在のサービングセルが第２セルであることを第１基地局に通知する。
【０２４９】
任意の解決法において、ソース識別子は、第１セルを識別する第１セル識別子と、第１セルにおいてＵＥを一意に識別する第１ＵＥ識別子とを含み、第１セル識別子は、セルグローバル識別子ＥＣＧＩ、物理セル識別子ＰＣＩ、または、エリアの識別子とエリアにおける第１セルの識別子とを含むセル識別子のうちの少なくとも１つを含む。または、ソース識別子は、第１基地局を一意に識別する第１基地局識別子と、第１基地局においてＵＥを一意に識別する第１ＵＥ識別子とを含む。
【０２５０】
別の任意の解決法において、ソース識別子はさらに、指示情報を含み、指示情報は、ＵＥが低オーバーヘッド状態にあることを第２基地局に通知するために使用される。
【０２５１】
別の任意の解決法において、処理ユニット３０４はさらに、入力ユニット３０１を使用することによって、低オーバーヘッド状態のユーザ機器ＵＥによって報告されたソース識別子を受信する前に、出力ユニット３０２を使用することによってシステム情報ブロードキャストを送信し、システム情報は、低オーバーヘッド状態のＵＥのアクセスが許可されるという指示を保持することであって、その結果、ＵＥは、アクセスの指示に従って、ソース識別子を第２基地局へ送信するかどうかを決定する、ことを行うように構成されている。
【０２５２】
別の任意の解決法において、処理ユニット３０４はさらに、入力ユニット３０１を使用することによって、低オーバーヘッド状態のユーザ機器ＵＥによって報告されたソース識別子を受信する前に、入力ユニット３０１を使用することによって、ＵＥによって送信されたランダムアクセスプリアンブルを受信すること、および、ランダムアクセスプリアンブルが事前設定範囲内に属するとき、出力ユニット３０２を使用することによって事前設定サイズ伝送リソースをＵＥに割り当てることであって、その結果、ＵＥは伝送リソースを使用することによってソース識別子を送信する、ことを行うように構成されている。
【０２５３】
別の任意の解決法において、事前設定範囲内のランダムアクセスプリアンブルは、予め定義されたプリアンブル、または、第２基地局によって構成された、受信されたプリアンブルである。
【０２５４】
別の任意の解決法において、処理ユニット３０４が、入力ユニット３０１を使用することによって、低オーバーヘッド状態のユーザ機器ＵＥによって報告されたソース識別子を受信するように構成されていることは、具体的には、入力ユニット３０１を使用することによって、低オーバーヘッド状態のユーザ機器ＵＥによって送信されたランダムアクセスプリアンブルを受信すること、出力ユニット３０２を使用することによって、ランダムアクセスプリアンブルに従って、専用ＵＥ識別子、および、ソース識別子を伝送するために使用される伝送リソースをＵＥに割り当てることであって、専用ＵＥ識別子は、第２セルにおいてＵＥを一意に識別する識別子である、こと、入力ユニット３０１を使用することによって、伝送リソースを使用することによってソース識別子を受信すること、ならびに、出力ユニット３０２を使用することによって、ソース識別子を含む肯定応答情報をＵＥへ送信することである。
【０２５５】
別の任意の解決法において、処理ユニット３０４が、出力ユニット３０２を使用することによって、ソース識別子を含む肯定応答情報をＵＥへ送信することは、具体的には、出力ユニット３０２を使用することによって、低オーバーヘッド状態から出るようにＵＥに命令するために使用される命令を保持する、ソース識別子を含む肯定応答メッセージをＵＥへ送信することであって、その結果、ＵＥは命令に従って、専用ＵＥ識別子を適用し、低オーバーヘッド状態から出る、ことである。
【０２５６】
別の任意の解決法において、処理ユニット３０４が出力ユニット３０２を使用することによって、ソース識別子に従って、第１ＵＥ識別子を第１基地局へ送信することは、具体的には、出力ユニット３０２を使用することによって、ソース識別子に従って、通知メッセージを第１基地局へ送信することであって、通知メッセージは、ＵＥのソース識別子と、ＵＥが現在所在する第２セルの第２セル識別子とを保持し、その結果、第１基地局は、ソース識別子および第２セル識別子に従って、ＵＥが現在キャンプオンしているサービングセルが第２セルであると決定する、ことである。
【０２５７】
別の任意の解決法において、処理ユニット３０４はさらに、出力ユニット３０２を使用することによって、ソース識別子に従って、第１ＵＥ識別子を第１基地局へ送信した後に、ＵＥによって送信された、ソース識別子を含むアップリンクデータ指示を受信すること、出力ユニット３０２を使用することによって、接続コンテキストのための転送要求を第１基地局へ送信することであって、接続コンテキストは、ＵＥが低オーバーヘッド状態に入ったときに第１基地局によって記憶される、接続モードのＵＥの接続コンテキストであり、コンテキスト転送要求は、ＵＥのソース識別子を保持する、こと、および、入力ユニット３０１を使用することによって、第１基地局によって転送された接続コンテキストを受信し、接続コンテキストに従って、ＵＥとの接続を確立することを行うように構成されている。
【０２５８】
別の任意の解決法において、処理ユニット３０４はさらに、入力ユニット３０１を使用することによって、第１基地局によって転送された接続コンテキストを受信した後に、出力ユニット３０２を使用することによって、再割り当てされたソース識別子をＵＥへ送信することであって、再割り当てされたソース識別子は、第２基地局においてＵＥを識別する第２ＵＥ識別子を含む、こと、および、出力ユニット３０２を使用することによって、ＵＥへ命令を送信し、低オーバーヘッド状態から出るようにＵＥに命令することを行うように構成されている。
【０２５９】
別の任意の解決法において、処理ユニット３０４はさらに、出力ユニット３０２を使用することによって、ソース識別子に従って、第１ＵＥ識別子を第１基地局へ送信した後に、出力ユニット３０２を使用することによって、第１基地局によって送信された、接続コンテキスト、および、ＵＥのソース識別子を受信すること、ならびに、受信された接続コンテキストおよびソース識別子に従って、ＵＥの構成情報を決定し、ソース識別子に従って、ＵＥのアップリンクアクセスを引き起こすことを行うように構成されている。
【０２６０】
別の任意の解決法において、処理ユニット３０４が、ソース識別子に従ってＵＥのアップリンクアクセスを引き起こすように構成されていることは、具体的には、ソース識別子を使用することによってＵＥをページングすること、または、ソース識別子に従って、ＵＥの専用ＵＥ識別子を決定し、専用ＵＥ識別子を使用することによってアップリンクアクセスコマンドをＵＥへ送信すること、または、ソース識別子に従って、ＵＥの専用ＵＥ識別子を決定し、専用ＵＥ識別子を使用することによってＵＥをページングすることである。
【０２６１】
別の任意の解決法において、ソース識別子はさらに、無線リソース制御ＲＲＣ構成インデックスを含み、処理ユニット３０４はさらに、出力ユニット３０２を使用することによって、低オーバーヘッド状態のユーザ機器ＵＥによって報告されたソース識別子を受信した後に、ＲＲＣ構成インデックスに従って、ＵＥによって使用されるＲＲＣ構成情報を決定するように構成されている。
【０２６２】
別の任意の解決法において、処理ユニット３０４が、出力ユニット３０２を使用することによって、ソース識別子に従って第１ＵＥ識別子を第１基地局へ送信するように構成されていることは、具体的には、出力ユニット３０２を使用することによって、第２基地局と第１基地局との間のインタフェースを使用することによって、ソース識別子に従ってソース識別子を第１基地局へ送信すること、または、出力ユニット３０２を使用することによって、コアネットワークを使用することによってソース識別子に従ってソース識別子を第１基地局へ送信することである。
【０２６３】
基地局３０におけるユニットの機能については、図４Ａおよび図４Ｂにおける方法の実施形態における具体的な実装が対応させて参照されることを理解されたい。詳細はここでは再度説明しない。
【０２６４】
本発明の上述の方法の実施形態は、プロセッサに適用されてよく、またはプロセッサによって実装されてよいことに留意すべきである。プロセッサは、集積回路チップであってよく、信号処理能力を有する。実装プロセスにおいて、上述の方法の実施形態の各段階は、プロセッサにおけるハードウェア統合論理回路を用いることによって、またはソフトウェア形態の命令を用いることによって、実装されてよい。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートゲートもしくはトランジスタロジックデバイス、またはディスクリートハードウェアコンポーネントであってよい。プロセッサは、本発明の実施形態において開示される方法、ステップおよび概略的な論理ブロック図を実装または実行してよい。汎用プロセッサは、マイクロプロセッサであってよく、または、プロセッサは、任意の通常のプロセッサなどであってよい。本発明の実施形態に関連して開示される方法の段階は、ハードウェアデコードプロセッサを用いることによって直接実行および実現されてよく、または、デコードプロセッサにおけるハードウェアおよびソフトウェアモジュールの組み合わせを用いることによって、実行および実現されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの、当技術分野において成熟した記憶媒体に配置されてよい。記憶媒体は、メモリに配置され、プロセッサは、メモリ内の情報を読み出し、プロセッサのハードウェアとの組み合わせにより、上述の方法の段階を完了させる。
【０２６５】
本発明の実施形態におけるメモリは、揮発性メモリもしくは不揮発性メモリであってよく、または、揮発性メモリおよび不揮発性メモリの両方を含んでよいことが理解されよう。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、またはフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして用いられる。例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、およびダイレクトランバスランダムアクセスメモリ（Ｄｉｒｅｃｔ  Ｒａｍｂｕｓ  ＲＡＭ、ＤＲ  ＲＡＭ）のような多くの形式のＲＡＭが、使用されてよいが、これは、例であって、限定的な説明ではない。本明細書において説明されるシステムおよび方法におけるメモリは、限定されるものではないが、これらのメモリおよび好適な種類の任意の他のメモリを含むことを意図することに留意すべきである。
【０２６６】
当業者であれば認識し得るように、本明細書において開示された実施形態において説明された例と組み合わせて、電子的ハードウェア、またはコンピュータソフトウェアと電子的ハードウェアとの組み合わせによって、ユニットおよびアルゴリズムのステップが実装されてよい。機能がハードウェアまたはソフトウェアのいずれによって実行されるかは、技術的解決法の特定の適用および設計の制約条件に依存する。当業者であれば、異なる方法を用いて、特定の適用の各々について、説明された機能を実装しよう。しかしながら、そのような実装が、本発明の範囲を超えるものとみなされるべきではない。
【０２６７】
当業者ならば明確に理解すると考えられるように、説明を簡便かつ簡潔にする目的で、上述のシステム、装置、およびユニットの詳細な動作プロセスについては、上述の方法の実施形態における対応するプロセスを参照されたい。詳細は再度ここでは説明されない。
【０２６８】
本願において提供されるいくつかの実施形態において、開示されるシステム、装置、および方法は、他の方式で実装されてよいことを理解すべきである。例えば、説明された装置の実施形態は、例に過ぎない。例えば、ユニットの分割は、論理的機能の分割に過ぎず、実際の実装においては他の分割であってよい。例えば、複数のユニットまたはコンポーネントは、別のシステムと組み合わせられまたは統合されてよい。または、いくつかの特徴は、無視されてよく、または、実行されなくてよい。加えて、表示または説明された相互結合または直接的な結合もしくは通信接続は、いくつかのインタフェースを使用することによって実装されてよい。装置間またはユニット間の間接連結または通信接続は、電子的、機械的、または他の形式で、実装されてよい。
【０２６９】
別個の部分として説明されたユニットは、物理的に分かれていてもそうでなくてもよく、また、ユニットとして表示された部分は、物理的なユニットであってもそうでなくてもよく、１箇所に所在していてもよく、または、複数のネットワークユニットにおいて分散されていてもよい。実施形態の解決法の目的を達成するための実際の要件に従って、ユニットの一部または全部が選択されてよい。
【０２７０】
加えて、本発明の実施形態の機能ユニットが１つの処理ユニットに統合されてよく、または、当該ユニットの各々が物理的に単独で存在してよく、または、２またはそれより多くのユニットが１つのユニットに統合される。
【０２７１】
機能がソフトウェア機能ユニットの形態で実装され、単独の製品として販売または使用される場合、機能は、コンピュータ可読記憶媒体に記憶されてよい。そのような理解に基づいて、本質的に本発明の技術的解決法は、または従来技術に寄与する部分は、または技術的解決法のいくつかは、ソフトウェア製品の形態で実装されてよい。コンピュータソフトウェア製品は記憶媒体に記憶され、本発明の実施形態において説明された方法の段階の全部または一部を実行するよう、（パーソナルコンピュータ、サーバ、またはネットワークデバイスであってよい）コンピュータデバイスに命令するためのいくつかの命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶可能なあらゆる媒体を含む。
【０２７２】
上述の説明は、本発明の具体的な実装に過ぎず、本発明の保護範囲を限定することを意図するものではない。本発明において開示される技術的範囲内において当業者により容易に想到されるあらゆる変形または置き換えは、本発明の保護範囲に属するものとする。従って、本発明の保護範囲は、特許請求の範囲の保護範囲によって決まるものとする。
【図１】
2019500804.tif 000003
【図２】
2019500804.tif 000004
【図３Ａ】
2019500804.tif 000005
【図３Ｂ】
2019500804.tif 000006
【図４Ａ】
2019500804.tif 000007
【図４Ｂ】
2019500804.tif 000008
【図５】
2019500804.tif 000009
【図６】
2019500804.tif 000010
【図７】
2019500804.tif 000011
【図８Ａ】
2019500804.tif 000012
【図８Ｂ】
2019500804.tif 000013
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
第１セルが属する第１基地局に適用される移動性管理の方法であって、
前記第１セルにおける接続モードの端末にソース識別子を割り当てる段階であって、前記ソース識別子は、前記第１基地局において前記端末を識別する第１端末識別子を含む、段階と、
前記端末が低オーバーヘッド状態に入ったと決定された後に、前記接続モードの前記端末の接続コンテキストを記憶する段階であって、前記端末は、事前設定アクティベーション条件が満たされたときに前記低オーバーヘッド状態に入り、前記低オーバーヘッド状態において、前記端末は前記接続コンテキストを記憶し、移動中にセル再選択基準に従ってセルにキャンプオンする、段階と
を備える方法。
【請求項２】
前記ソース識別子は、前記第１基地局を一意に識別する第１基地局識別子と、前記第１基地局において前記端末を一意に識別する前記第１端末識別子とを含む、請求項１に記載の方法。
【請求項３】
前記事前設定アクティベーション条件は、前記低オーバーヘッド状態に入るように前記端末に命令するために使用される制御命令を前記端末へ送信することを含む、請求項１または２に記載の方法。
【請求項４】
前記第１セルにおける接続モードの端末にソース識別子を割り当てる前記段階はさらに、
前記第１セルにおける前記接続モードの前記端末に短いソース識別子および長いソース識別子を割り当てる段階を含む、請求項１から３のいずれか一項に記載の方法。
【請求項５】
第１セルにおける接続モードの端末に適用される移動性管理の方法であって、
第１セルが属する第１基地局によって割り当てられたソース識別子を受信する段階であって、前記ソース識別子は、前記第１基地局のセルにおいて前記端末を一意に識別する第１端末識別子を含む、段階と、
事前設定アクティベーション条件が満たされたとき、低オーバーヘッド状態に入る段階であって、前記端末は、前記低オーバーヘッド状態において、前記接続モードの前記端末の接続コンテキストを記憶し、移動中にセル再選択基準に従って、セルにキャンプオンする、段階と、
第１事前設定条件が満たされたとき、第２セルが属する第２基地局へ前記ソース識別子を報告する段階であって、前記第２セルは、前記端末が現在キャンプオンしているサービングセルである、段階と
を備える方法。
【請求項６】
前記ソース識別子は、前記第１基地局を一意に識別する第１基地局識別子と、前記第１基地局において前記端末を一意に識別する前記第１端末識別子とを含む、請求項５に記載の方法。
【請求項７】
前記事前設定アクティベーション条件は、前記低オーバーヘッド状態に入るように命令するために使用される制御命令を前記第１基地局から受信することを含む、請求項５または６に記載の方法。
【請求項８】
事前設定アクティベーション条件が満たされたときに低オーバーヘッド状態に入る前記段階の後に、前記方法はさらに、
第２事前設定条件が満たされたとき、前記低オーバーヘッド状態から出る段階を備え、
前記第２事前設定条件は、前記端末が、前記ソース識別子を前記第２基地局へ送信し、前記ソース識別子についてのアクセス拒否指示を前記第２基地局から受信することを含む、
請求項５から７のいずれか一項に記載の方法。
【請求項９】
第２事前設定条件が満たされたときに前記低オーバーヘッド状態から出る前記段階は、前記第２事前設定条件が満たされたときに前記接続コンテキストを消去し、アイドルモードに入る段階を含む、請求項８に記載の方法。
【請求項１０】
第１事前設定条件が満たされたときに、第２セルが属する第２基地局へ前記ソース識別子を報告する前記段階の前に、
前記第２セルのシステム情報ブロードキャストを受信して読み取る段階と、
前記システム情報ブロードキャストが、前記低オーバーヘッド状態の前記端末のアクセスが許可されるという指示を保持する場合、前記アクセスの指示に従って、前記ソース識別子を前記第２基地局へ送信することを決定する段階と
を備える、請求項５から９のいずれか一項に記載の方法。
【請求項１１】
第２セルが属する第２基地局に適用される移動性管理の方法であって、低オーバーヘッド状態の端末によって報告されたソース識別子を受信する段階であって、前記端末は、前記低オーバーヘッド状態において、接続モードの前記端末の接続コンテキストを記憶し、移動中にセル再選択基準に従ってセルにキャンプオンし、第１セルは、前記端末が前記低オーバーヘッド状態に入ったときのサービングセルであり、前記第２セルは、前記端末の現在のサービングセルであり、前記ソース識別子は、前記第１セルが属する第１基地局において、前記端末を識別する第１端末識別子を含む、段階と、
前記ソース識別子に従って、前記第１端末識別子を前記第１基地局へ送信し、前記端末の前記現在のサービングセルが前記第２セルであることを前記第１基地局に通知する段階と
を備える方法。
【請求項１２】
前記ソース識別子は、前記第１基地局を一意に識別する第１基地局識別子と、前記第１基地局において前記端末を一意に識別する前記第１端末識別子とを含む、請求項１１に記載の方法。
【請求項１３】
低オーバーヘッド状態の端末によって報告されたソース識別子を受信する前記段階の前に、
システム情報ブロードキャストを送信する段階であって、前記システム情報ブロードキャストは、前記低オーバーヘッド状態における前記端末のアクセスが許可されるという指示を保持する、段階を備える、請求項１１または１２に記載の方法。
【請求項１４】
基地局であって、
前記基地局は第１基地局であり、前記第１基地局は、出力ユニット、記憶ユニットおよび処理ユニットを備え、
前記記憶ユニットは、プログラムコードを記憶し、前記処理ユニットは、前記記憶ユニットに記憶されている前記プログラムコードを呼び出して、
前記出力ユニットを使用することによって、第１セルにおける接続モードの端末にソース識別子を割り当てるステップであって、前記ソース識別子は、前記第１基地局において前記端末を識別する第１端末識別子を含む、ステップと、
前記端末が低オーバーヘッド状態に入ったと決定した後に、前記接続モードの前記端末の接続コンテキストを記憶するステップであって、前記端末は、事前設定アクティベーション条件が満たされたときに前記低オーバーヘッド状態に入り、前記低オーバーヘッド状態において、前記端末は前記接続コンテキストを記憶し、移動中にセル再選択基準に従ってセルにキャンプオンする、ステップと
を実行する、
基地局。
【請求項１５】
前記ソース識別子は、前記第１基地局を一意に識別する第１基地局識別子、および、前記第１基地局において前記端末を一意に識別する前記第１端末識別子を含む、請求項１４に記載の基地局。
【請求項１６】
前記事前設定アクティベーション条件は、前記第１基地局が、前記低オーバーヘッド状態に入るように前記端末に命令するために使用される制御命令を前記端末へ送信することを含む、請求項１４または１５に記載の基地局。
【請求項１７】
前記処理ユニットは、具体的には、前記第１セルにおける前記接続モードの前記端末へ短いソース識別子および長いソース識別子を割り当てる、請求項１４から１６のいずれか一項に記載の基地局。
【請求項１８】
入力ユニット、出力ユニット、記憶ユニットおよび処理ユニットを備える端末であって、
前記記憶ユニットは、プログラムコードを記憶し、前記処理ユニットは、前記記憶ユニットに記憶されている前記プログラムコードを呼び出して、
前記入力ユニットを使用することによって、第１セルが属する第１基地局によって割り当てられたソース識別子を受信するステップであって、前記ソース識別子は、前記第１基地局のセルにおいて前記端末を一意に識別する第１端末識別子を含む、ステップと、
事前設定アクティベーション条件が満たされたとき、前記端末が低オーバーヘッド状態に入ることを可能にするステップであって、前記端末は、前記低オーバーヘッド状態において、接続モードの前記端末の接続コンテキストを記憶し、移動中にセル再選択基準に従って、セルにキャンプオンする、ステップと、
第１事前設定条件が満たされたとき、前記出力ユニットを使用することによって、第２セルが属する第２基地局へ前記ソース識別子を報告するステップであって、前記第２セルは、前記端末が現在キャンプオンしているサービングセルである、ステップと
を実行する、
端末。
【請求項１９】
前記ソース識別子は、前記第１基地局を一意に識別する第１基地局識別子、および、前記第１基地局において前記端末を一意に識別する前記第１端末識別子を含む、請求項１８に記載の端末。
【請求項２０】
前記事前設定アクティベーション条件は、前記端末が、前記低オーバーヘッド状態に入るように命令するために使用される制御命令を前記第１基地局から受信することを含む、請求項１８または１９に記載の端末。
【請求項２１】
前記処理ユニットはさらに、前記事前設定アクティベーション条件が満たされたときに前記端末が前記低オーバーヘッド状態に入った後に、第２事前設定条件が満たされたときに前記端末が前記低オーバーヘッド状態から出ることを可能にし、
前記第２事前設定条件は、前記端末が、前記ソース識別子を前記第２基地局へ送信し、前記ソース識別子についてのアクセス拒否指示を前記第２基地局から受信することを含む、
請求項１８から２０のいずれか一項に記載の端末。
【請求項２２】
前記処理ユニットは、具体的には、前記第２事前設定条件が満たされたとき、前記接続コンテキストを消去し、前記端末がアイドルモードに入ることを可能にする、請求項２１に記載の端末。
【請求項２３】
前記処理ユニットはさらに、
前記第１事前設定条件が満たされたときに、前記出力ユニットを使用することによって、前記第２セルが属する前記第２基地局へ前記ソース識別子を報告する前に、前記入力ユニットを使用することによって、前記第２セルのシステム情報ブロードキャストを受信して読み取り、前記システム情報ブロードキャストが、前記低オーバーヘッド状態の前記端末のアクセスが許可されるという指示を保持している場合、前記出力ユニットを使用することによって、前記アクセスの指示に従って、前記ソース識別子を前記第２基地局へ送信することを決定する、請求項１８から２２のいずれか一項に記載の端末。
【請求項２４】
基地局であって、
前記基地局は第２基地局であり、前記第２基地局は、入力ユニット、出力ユニット、記憶ユニットおよび処理ユニットを備え、
前記記憶ユニットは、プログラムコードを記憶し、前記処理ユニットは、前記記憶ユニットに記憶された前記プログラムコードを呼び出して、
前記入力ユニットを使用することによって、低オーバーヘッド状態の端末によって報告されたソース識別子を受信するステップであって、前記端末は、前記低オーバーヘッド状態において、接続モードの前記端末の接続コンテキストを記憶し、移動中にセル再選択基準に従って、セルにキャンプオンし、第１セルは、前記端末が前記低オーバーヘッド状態に入ったときのサービングセルであり、第２セルは、前記端末の現在のサービングセルであり、前記ソース識別子は、前記第１セルが属する第１基地局において前記端末を識別する第１端末識別子を含む、ステップと、
前記出力ユニットを使用することによって、前記ソース識別子に従って、前記第１端末識別子を前記第１基地局へ送信し、前記端末の前記現在のサービングセルが前記第２セルであると前記第１基地局に通知するステップと
を実行する、
基地局。
【請求項２５】
前記ソース識別子は、前記第１基地局を一意に識別する第１基地局識別子、および、前記第１基地局において前記端末を一意に識別する前記第１端末識別子を含む、請求項２４に記載の基地局。
【請求項２６】
前記処理ユニットはさらに、
前記入力ユニットを使用することによって、前記低オーバーヘッド状態の前記端末によって報告された前記ソース識別子を受信する前に、前記出力ユニットを使用することによって、システム情報ブロードキャストを送信することであって、前記システム情報ブロードキャストは、前記低オーバーヘッド状態の前記端末のアクセスが許可されるという指示を保持する、ことを行う、請求項２４または２５に記載の基地局。
【請求項２７】
請求項１から１３のいずれか一項に記載の方法の段階をコンピュータに実行させる命令を含むプログラム。
【請求項２８】
プロセッサと、前記プロセッサによって実行される命令を記憶する記憶媒体とを備える装置であって、前記命令が実行されるとき、前記プロセッサは、請求項１から１３のいずれか一項に記載の方法の段階を行わせる、装置。
【手続補正２】
【補正対象書類名】明細書
【補正対象項目名】全文
【補正方法】変更
【補正の内容】
【発明の詳細な説明】
【技術分野】
【０００１】
本願は、２０１５年１２月３１日に国際事務局に出願された、「移動性管理の方法、ユーザ機器および基地局」と題する国際特許出願第ＰＣＴ／ＣＮ２０１５／１００３３６号の優先権を主張するものであり、その全体は、参照により本明細書に組み込まれる。
【０００２】
本発明の実施形態は、通信分野に関し、より具体的には、移動性管理の方法、端末および基地局に関する。
【背景技術】
【０００３】
移動性管理は、無線モバイル通信システムにおいて重要である。移動性管理は概して、ユーザ機器（Ｕｓｅｒ  Ｅｑｕｉｐｍｅｎｔ、ＵＥ）のモバイルネットワークハンドオーバおよびセル再選択などを含み得る。
【０００４】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）のロングタームエボリューション（Ｌｏｎｇ  Ｔｅｒｍ  Ｅｖｏｌｕｔｉｏｎ、ＬＴＥ）／ＬＴＥアドバンスト（ＬＴＥ−Ａｄｖａｎｃｅｄ、ＬＴＥ−Ａ）システムにおいて、ＵＥは、アイドル（Ｉｄｌｅ）モードのＵＥと、接続モードのＵＥとを含む。アイドルモードのＵＥは、基地局に接続されず、データを送信できず、移動中にセル再選択を実行する。このモードのＵＥがデータを送信する必要がある場合、ＵＥは最初に、接続モードに切り替える必要がある。アイドルモードのＵＥは、無線リソース制御（Ｒａｄｉｏ  Ｒｅｓｏｕｒｃｅ  Ｃｏｎｔｒｏｌ、ＲＲＣ）接続確立手順を使用することによって接続コンテキストおよび専用のセル内ＵＥ識別子を取得した後に接続モードに入り得る。接続モードのＵＥは、基地局に接続され、データを送信でき、移動中にハンドオーバ（ｈａｎｄｏｖｅｒ）を実行する。接続モードのＵＥは、ＲＲＣ接続解除手順を使用することによってアイドルモードに入り得る。
【０００５】
接続モードのＵＥの典型的なハンドオーバ手順は、以下の主要なステップを含み得る。ソース基地局、すなわち、ＵＥの現在のサービング基地局がＵＥの測定パラメータを構成する。ＵＥは測定を実行し、測定結果をソース基地局へ報告する。ソース基地局はハンドオーバ要求をターゲット基地局へ送信し、ターゲット基地局からの肯定応答を受信した後に、ハンドオーバコマンドをＵＥへ送信する。ＵＥはターゲット基地局にアクセスし、アップリンク同期を実現し、ハンドオーバ完了メッセージなどを送信する。
【０００６】
将来のネットワークの進歩において、ネットワークは、ヘテロジニアスネットワーク、多地点協調（ＣｏＭＰ）伝送、スモールセルネットワーキング、および、高密度スモールセルネットワーキングなど、より多くの形式で配備される。これらのネットワーク配備形式は、ＵＥ移動性管理に新しい課題をもたらす。現在のハンドオーバ手順が引き続き使用される場合、ＵＥは、常に測定および報告を実行する必要があり、膨大なハンドオーバシグナリングのオーバーヘッド、および、無線リソースの浪費につながる。
【発明の概要】
【０００７】
上述の技術的問題を解決するべく、本発明の実施形態は、移動性管理の方法、端末および基地局を提供し、これにより、データを伝送する必要が無い、接続モードのＵＥの頻繁なハンドオーバによって移動中に発生するハンドオーバシグナリングのオーバーヘッドおよび無線リソースの浪費という従来技術の問題を解決する。
【０００８】
第１態様によれば、本発明の実施形態は、移動性管理の方法を提供し、方法は、第１セルが属する第１基地局が、第１セルにおける接続モードの端末にソース識別子を割り当てる段階であって、ソース識別子は、第１基地局において端末を識別する第１端末識別子を含む、段階と、端末が低オーバーヘッド状態に入ったと決定された後に、接続モードの端末の接続コンテキストを記憶する段階であって、端末は、事前設定アクティベーション条件が満たされたときに低オーバーヘッド状態に入り、低オーバーヘッド状態において、端末は接続コンテキストを記憶し、移動中にセル再選択基準に従ってセルにキャンプオンする、段階とを備え得る。
【０００９】
この実施形態における移動性管理の方法によれば、端末が低オーバーヘッド状態に入った後、第１基地局は、端末の移動中、頻繁にハンドオーバ手順に関与する必要がなく、端末の接続コンテキストを記憶し、その結果、端末がデータを伝送する必要があるときはいつでも接続コンテキストを転送でき、これにより、ネットワークデバイスの通信リソースを低減し、ネットワーク通信効率を改善する。
【００１０】
可能な設計において、第１セルが属する第１基地局が、第１セルにおける接続モードの端末にソース識別子を割り当てる段階は、第１セルが属する第１基地局が、セルブロードキャストメッセージもしくは専用メッセージを使用することによって、または、ランダムアクセスチャネルＲＡＣＨ手順において、第１セルにおける接続モードの端末にソース識別子を割り当てる段階を含む。
【００１１】
可能な設計において、事前設定アクティベーション条件は、第１基地局が、低オーバーヘッド状態に入るように端末に命令するために使用される制御命令を端末へ送信すること、第１事前設定期間内に第１基地局と端末との間でデータが伝送されなかったこと、第１基地局が、端末のタイミングアドバンスタイマであるＴＡタイマが満了したと決定するか、もしくは、第１基地局が、端末のＴＡタイマが満了し、かつ、ＴＡタイマが第２事前設定期間内に再度作動しなかったと決定すること、および、第１基地局が、端末が間欠受信ＤＲＸ状態に入り、かつ、第３事前設定期間内にＤＲＸ状態から出なかったと決定することのうちの少なくとも１つの条件を含む。
【００１２】
可能な設計において、端末が低オーバーヘッド状態に入ったと決定した後に、方法はさらに、第１基地局によって、端末が低オーバーヘッド状態において使用するための無線リソース制御ＲＲＣ構成情報を端末へ送信する段階を備える。
【００１３】
可能な設計において、ＲＲＣ構成情報は、ＲＲＣ構成インデックスを含み、構成インデックスは、ＲＲＣ構成情報を示すために使用される。
【００１４】
可能な設計において、端末が低オーバーヘッド状態に入ったと決定した後に、方法はさらに、第１基地局が、第２セルが属する第２基地局によって送信された通知メッセージを受信する段階であって、通知メッセージは、端末のソース識別子、および、端末が現在所在する第２セルの第２セル識別子を保持し、第２セルは、端末が現在キャンプオンしているサービングセルである、段階と、第１基地局が、ソース識別子および第２セル識別子に従って、端末が現在キャンプオンしているサービングセルが第２セルであると決定する段階とを備える。
【００１５】
可能な設計において、第１基地局が、ソース識別子および第２セル識別子に従って、端末が現在キャンプオンしているサービングセルが第２セルであると決定した後に、方法はさらに、端末のダウンリンクデータが第１基地局に到達したときに、第１基地局が、接続コンテキストと、端末のソース識別子とを第２基地局へ送信する段階であって、第２基地局は、第２セルが属する基地局である、段階を備える。
【００１６】
この実施形態における移動性管理の方法によれば、端末が低オーバーヘッド状態に入った後に、第１基地局は、端末の移動中、ハンドオーバ手順に頻繁に関与する必要がなく、これにより、ネットワークデバイスの通信リソースを低減する。基地局がダウンリンクデータを端末へ送信する必要があるとき、基地局は能動的に、端末によってネットワークへ報告された位置情報に従って、端末が現在所在する基地局へ端末のコンテキストをハンドオーバでき、これにより、データ伝送効率を保証する。
【００１７】
可能な設計において、通知メッセージは、端末の検証情報を保持し、検証情報は、ソース識別子、および、接続コンテキストに含まれる鍵に従って端末によって生成される身元認証情報であり、第１基地局が、第２基地局によって送信された通知メッセージを受信する段階の後に、方法はさらに、第１基地局が、ソース識別子および検証情報に従って、端末が有効な端末かどうかを決定する段階を備える。
【００１８】
可能な設計において、端末が低オーバーヘッド状態に入ったと決定した後に、方法はさらに、第２セルが属する第２基地局によって送信された、接続コンテキストについての転送要求を受信する段階であって、転送要求は、端末のソース識別子を保持し、第２セルは、端末が現在キャンプオンしているセルである、段階と、転送要求に保持されるソース識別子に従って、接続コンテキストを第２基地局へ送信する段階とを備える。
【００１９】
可能な設計において、端末が低オーバーヘッド状態に入ったと決定した後に、方法はさらに、端末のダウンリンクデータが第１基地局に到達したか、または、コアネットワークからの第１ページングメッセージが受信された場合に、第１基地局が、第２ページングメッセージを第３基地局へ送信する段階であって、第３基地局および第１基地局は同一のページングエリアに属する、段階を備える。
【００２０】
可能な設計において、端末のダウンリンクデータが第１基地局に到達するとき、または、コアネットワークからの第１ページングメッセージが受信される前に、方法はさらに、コアネットワークによって送信された、ページングパラメータについての情報を受信する段階であって、ページングパラメータは、端末のページングインデックス、または、端末のＤＲＸサイクルを含み、ページングパラメータは、端末のページングオフセットを計算するために使用される、段階を備える。
【００２１】
可能な設計において、第２ページングメッセージは、ページングパラメータ、ＴＭＳＩ、および／または、端末のソース識別子を含み、ページングパラメータは、端末のページングインデックス、および／または、端末のＤＲＸサイクルを含む。
【００２２】
可能な設計において、方法はさらに、第１基地局が第２ページングメッセージを第３基地局へ送信する段階の後に、第３基地局によって送信されたページング応答メッセージを受信し、ページング応答メッセージに従って、端末が現在は第３基地局に所在すると決定する段階を備える。
【００２３】
可能な設計において、方法はさらに、第１基地局が、低オーバーヘッド状態の端末のアクセスが許可されるという指示を端末へ送信する段階、または、第１基地局が、低オーバーヘッド状態の端末が報告することを許可されているソース識別子の種類を端末へ送信する段階であって、ソース識別子の種類は、短いソース識別子もしくは長いソース識別子を含む、段階、または、第１セルが属する第１基地局が、第１セルにおける接続モードの端末へ短いソース識別子および長いソース識別子を割り当てる段階を備える。
【００２４】
この実施形態における移動性管理の方法によれば、端末が低オーバーヘッド状態に入った後に、第１基地局は、端末の移動中、ハンドオーバ手順に頻繁に関与する必要がなく、これにより、ネットワークデバイスの通信リソースを低減する。端末がアップリンクデータを現在のサービング基地局へ送信する必要があるとき、端末は、端末によってネットワークへ報告されたソース識別子に従って、端末が現在所在する基地局へ端末のコンテキストをハンドオーバするように要求でき、これにより、データ伝送効率を保証する。
【００２５】
第２態様によれば、本発明の実施形態は移動性管理の方法を提供し、方法は、第１セルにおける接続モードの端末が、第１セルが属する第１基地局によって割り当てられたソース識別子を受信する段階であって、ソース識別子は、第１基地局のセルにおいて端末を一意に識別する第１端末識別子を含む、段階と、事前設定アクティベーション条件が満たされたときに、端末が低オーバーヘッド状態に入る段階であって、端末は、低オーバーヘッド状態において、接続モードの端末の接続コンテキストを記憶し、移動中にセル再選択基準に従って、セルにキャンプオンする、段階と、第１事前設定条件が満たされたとき、端末が、第２セルが属する第２基地局へソース識別子を報告する段階であって、第２セルは、端末が現在キャンプオンしているサービングセルである、段階とを備え得る。
【００２６】
この実施形態における移動性管理の方法によれば、端末が低オーバーヘッド状態に入った後に、端末はセル再選択に基づく移動性管理を自律的に実行し、端末の位置変更情報のみを報告し、これにより、ハンドオーバ手順を簡潔化し、ネットワークデバイスの通信リソースを低減する。端末がネットワークデバイスとのデータ通信を実行する必要があるとき、端末は通知をネットワークへ送信し得て、その結果、ネットワークは、端末が現在所在する第１基地局へ端末のコンテキストをハンドオーバし、これにより、データ伝送効率を保証する。
【００２７】
可能な設計において、事前設定アクティベーション条件は、端末が、低オーバーヘッド状態に入るように命令するために使用される制御命令を第１基地局から受信すること、端末が第１セルから去ること、第１事前設定期間内に端末と第１基地局との間でデータが伝送されなかったこと、端末のタイミングアドバンスタイマであるＴＡタイマが満了するか、もしくは、端末のＴＡタイマが満了し、かつ、ＴＡタイマが第２事前設定期間内に再度作動しなかったこと、および、端末が間欠受信ＤＲＸ状態に入り、かつ、第３事前設定期間内にＤＲＸ状態から出なかったことのうちの少なくとも１つの条件を含む。
【００２８】
可能な設計において、事前設定アクティベーション条件が満たされたときに端末が低オーバーヘッド状態に入る段階の後に、方法はさらに、第２事前設定条件が満たされたとき、端末が低オーバーヘッド状態から出る段階を備え、第２事前設定条件は、端末が現在キャンプオンしているサービングセルが変化すること、または、端末が現在キャンプオンしているサービングセルが、指定されたセルの組の範囲を超えたこと、または、端末が現在キャンプオンしているサービングセル、および、第１セルが、同一の事前設定エリアもしくは同一の基地局に属さないこと、または、端末が、ソース識別子を第２基地局へ送信し、ソース識別子についてのアクセス拒否指示を第２基地局から受信すること、または、端末が、第２セルのシステム情報ブロードキャストを読み取り、システム情報ブロードキャストは、低オーバーヘッド状態の端末のアクセスが許可されるという指示を保持しないこと、または、端末はアップリンクデータを送信する必要があることを含む。
【００２９】
可能な設計において、第２事前設定条件が満たされたときに端末が低オーバーヘッド状態から出る段階は、第２事前設定条件が満たされたときに端末が接続コンテキストを消去し、アイドルモードに入る段階を含む。
【００３０】
可能な設計において、第１事前設定条件は、端末が現在キャンプオンしているサービングセルが変化すること、または、端末が現在キャンプオンしている第２セルが、指定されたセルの組の範囲を超えること、または、端末が現在キャンプオンしている第２セル、および、第１セルが、同一の事前設定エリアもしくは同一の基地局に属さないこと、または、端末が、アップリンクデータを送信する必要があることを含む。
【００３１】
可能な設計において、第１事前設定条件が満たされたとき、端末が、第２セルが属する第２基地局へソース識別子を報告する前に、方法は、端末が第２セルのシステム情報ブロードキャストを受信して読み取る段階、システム情報ブロードキャストが、低オーバーヘッド状態の端末のアクセスが許可されているという指示を保持している場合、端末が、アクセスの指示に従って、ソース識別子を第２基地局へ送信することを決定する段階、または、端末が、第２基地局によって送信された指示情報に従って、長いソース識別子もしくは短いソース識別子を報告することを決定する段階であって、長いソース識別子および短いソース識別子は、２つの独立したソース識別子であり得るか、もしくは、短いソース識別子が長いソース識別子の部分情報である、段階を備える。
【００３２】
可能な設計において、第１事前設定条件が満たされたとき、第２基地局の指示情報は、システムブロードキャストを使用することによって構成される指示情報であるか、または、承認コマンドを使用することによって端末へ送信される承認情報であり、端末が、第２基地局によって送信された指示情報に従って、長いソース識別子もしくは短いソース識別子を報告することを決定する段階は、端末が、システムブロードキャストを使用することによって構成された指示情報における指示に従って、ソース識別子を報告するために使用されるソース識別子の種類を決定する段階、または、端末が、承認情報に従って、伝送できるメッセージのサイズを決定し、伝送できるメッセージのサイズに従って、長いソース識別子もしくは短いソース識別子を使用することを選択する段階を含む。
【００３３】
可能な設計において、第１事前設定条件が満たされたときに端末が、第２セルが属する第２基地局へソース識別子を報告する段階の前に、方法はさらに、端末が、事前設定範囲内のランダムアクセスプリアンブルを第２基地局へ送信する段階であって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、段階と、第２基地局によって割り当てられた、ソース識別子を伝送するために使用される事前設定サイズ伝送リソースを受信する段階と、伝送リソースを使用することによって、ソース識別子を第２基地局へ送信する段階とを備える。
【００３４】
可能な設計において、事前設定範囲内のランダムアクセスプリアンブルは、予め定義されたプリアンブル、または、第２基地局によって構成された、受信されたプリアンブルである。
【００３５】
可能な設計において、端末が、第２セルが属する第２基地局へソース識別子を報告する段階は、端末がランダムアクセスプリアンブルを第２基地局へ送信する段階と、第２基地局によって送信された専用端末識別子と、第２基地局によって送信された、ランダムアクセスプリアンブルに従って割り当てられた、ソース識別子を伝送するために使用される伝送リソースとを受信する段階であって、専用端末識別子は、第２セルにおいて端末を一意に識別する識別子である、段階と、伝送リソースを使用することによって、ソース識別子を第２基地局へ送信する段階と、第２基地局によって送信された、ソース識別子を含む肯定応答情報を受信する段階と、肯定応答情報に従って、専用端末識別子を適用するかどうかを決定する段階とを備える。
【００３６】
可能な設計において、肯定応答情報に従って、専用端末識別子を適用するかどうかを決定する段階は、端末が、肯定応答情報に従って専用端末識別子を適用することを省略する段階、または、端末が、肯定応答情報に従って、専用端末識別子を適用し、低オーバーヘッド状態から出る段階、または、端末が、肯定応答情報に従って、専用端末識別子を適用し、低オーバーヘッド状態に留まる段階、または、端末が、低オーバーヘッド状態から出るように端末に命令するために使用される、肯定応答情報に保持される命令に従って、専用端末識別子を適用し、低オーバーヘッド状態から出る段階を含む。
【００３７】
可能な設計において、端末が専用端末識別子を適用した後に、方法は、現在キャンプオンしているサービングセルのセル識別子に従って、接続コンテキストにおける鍵を更新する段階を備える。
【００３８】
可能な設計において、ソース識別子はさらに、検証情報を含み、検証情報は、ソース識別子および更新された鍵に従って端末によって生成される身元認証情報である。
【００３９】
可能な設計において、事前設定アクティベーション条件が満たされたときに端末が低オーバーヘッド状態に入る段階の後に、方法はさらに、端末が、ソース識別子を使用することによって、ページングのリッスンを実行する段階を備える。
【００４０】
可能な設計において、事前設定アクティベーション条件が満たされたときに端末が低オーバーヘッド状態に入った後に、方法はさらに、第１基地局によって送信された無線リソース制御ＲＲＣ構成情報を受信する段階であって、ＲＲＣ構成情報はＲＲＣ構成インデックスを含み、構成インデックスは、ＲＲＣ構成情報を示すために使用される、段階と、端末が、低オーバーヘッド状態においてＲＲＣ構成情報を使用する段階とを備える。
【００４１】
可能な設計において、第１事前設定条件が満たされたとき、端末が、第２セルが属する第２基地局へソース識別子を報告する段階は、端末が、ＲＲＣ構成インデックスを含むソース識別子を、第２セルが属する第２基地局へ報告し、その結果、第２基地局が、ＲＲＣ構成インデックスに従って、端末によって使用されるＲＲＣ構成情報を決定する段階を含む。
【００４２】
可能な設計において、第１事前設定条件は、端末がアップリンクデータを送信する必要があることであり、端末が、第２セルが属する第２基地局へソース識別子を報告する段階は、さらに、ソース識別子を報告するとき、または後に、端末が、第２セルが属する第２基地局へアップリンクデータ指示を報告する段階を含む。
【００４３】
第３態様によれば、本発明の実施形態は、移動性管理の方法を提供し、方法は、第２セルが属する第２基地局が、低オーバーヘッド状態の端末によって報告されたソース識別子を受信する段階であって、端末は、低オーバーヘッド状態において、接続モードの端末の接続コンテキストを記憶し、移動中にセル再選択基準に従ってセルにキャンプオンし、第１セルは、端末が低オーバーヘッド状態に入ったときのサービングセルであり、第２セルは、端末の現在のサービングセルであり、ソース識別子は、第１セルが属する第１基地局において端末を識別する第１端末識別子を含む、段階と、ソース識別子に従って、第１端末識別子を第１基地局へ送信し、端末の現在のサービングセルが第２セルであることを第１基地局に通知する段階とを備え得る。
【００４４】
この実施形態における移動性管理の方法によれば、端末が低オーバーヘッド状態に入った後に、ネットワークデバイスは、端末の移動中、ハンドオーバ手順に頻繁に関与する必要がなく、これにより、ネットワークデバイスの通信リソースを低減する。ネットワークデバイスが、端末とのデータ通信を実行する必要があるとき、ネットワークデバイスは、端末によってネットワークへ報告された位置情報に従って、端末が現在所在する第１基地局へ、端末のコンテキストをハンドオーバし、これにより、データ伝送効率を保証する。
【００４５】
可能な設計において、ソース識別子はさらに、指示情報を含み、指示情報は、端末が低オーバーヘッド状態にあることを第２基地局に通知するために使用される。
【００４６】
可能な設計において、第２セルが属する第２基地局が、低オーバーヘッド状態の端末によって報告されたソース識別子を受信する段階の前に、方法は、第２基地局がシステム情報ブロードキャストを送信する段階であって、システム情報ブロードキャストは、低オーバーヘッド状態の端末のアクセスが許可されるという指示を保持し、その結果、端末は、アクセスの指示に従って、ソース識別子を第２基地局へ送信するかどうかを決定する、段階を備える。
【００４７】
可能な設計において、第２セルが属する第２基地局が、低オーバーヘッド状態の端末によって報告されたソース識別子を受信する段階の前に、方法はさらに、端末によって送信されたランダムアクセスプリアンブルを受信する段階と、ランダムアクセスプリアンブルが事前設定範囲内に属するとき、事前設定サイズ伝送リソースを端末に割り当てる段階であって、その結果、端末は、伝送リソースを使用することによってソース識別子を送信する、段階とを備える。
【００４８】
可能な設計において、事前設定範囲内のランダムアクセスプリアンブルは、予め定義されたプリアンブル、または、第２基地局によって構成された、受信されたプリアンブルである。
【００４９】
可能な設計において、第２セルが属する第２基地局が、低オーバーヘッド状態の端末によって報告されたソース識別子を受信する段階は、第２セルが属する第２基地局が、低オーバーヘッド状態の端末によって送信されたランダムアクセスプリアンブルを受信する段階と、ランダムアクセスプリアンブルに従って、専用端末識別子と、ソース識別子を伝送するために使用される伝送リソースとを端末に割り当てる段階であって、専用端末識別子は、第２セルにおいて、端末を一意に識別する識別子である、段階と、伝送リソースを使用することによってソース識別子を受信する段階と、ソース識別子を含む肯定応答情報を端末へ送信する段階とを備える。
【００５０】
可能な設計において、ソース識別子を含む肯定応答情報を端末へ送信する段階は、低オーバーヘッド状態から出るように端末に命令するために使用される命令を保持する、ソース識別子を含む肯定応答メッセージを端末へ送信する段階であって、その結果、端末は命令に従って、専用端末識別子を適用し、低オーバーヘッド状態から出る、段階を含む。
【００５１】
可能な設計において、ソース識別子に従って、第１端末識別子を第１基地局へ送信する段階は、ソース識別子に従って、通知メッセージを第１基地局へ送信する段階であって、通知メッセージは、端末のソース識別子、および、端末が現在所在する第２セルの第２セル識別子を保持し、その結果、第１基地局は、ソース識別子、および、第２セル識別子に従って、端末が現在キャンプオンしているサービングセルが第２セルであると決定する、段階を含む。
【００５２】
可能な設計において、ソース識別子に従って、第１端末識別子を第１基地局へ送信する段階の後に、方法はさらに、端末によって送信された、ソース識別子を含むアップリンクデータ指示を受信する段階と、第２基地局が、接続コンテキストのための転送要求を第１基地局へ送信する段階であって、接続コンテキストは、端末が低オーバーヘッド状態に入るときに第１基地局によって記憶される、接続モードの端末の接続コンテキストであり、接続コンテキストの転送要求は、端末のソース識別子を保持する、段階と、第１基地局によって転送された接続コンテキストを受信し、接続コンテキストに従って、端末との接続を確立する段階とを備える。
【００５３】
可能な設計において、第１基地局によって転送された接続コンテキストを受信する段階の後に、方法はさらに、再割り当てされたソース識別子を端末へ送信する段階であって、再割り当てされたソース識別子は、第２基地局において端末を識別する第２端末識別子を含む、段階と、命令を端末へ送信し、低オーバーヘッド状態から出るように端末に命令する段階とを備える。
【００５４】
可能な設計において、ソース識別子に従って、第１端末識別子を第１基地局へ送信する段階の後に、方法はさらに、第１基地局によって送信された、接続コンテキストと、端末のソース識別子とを受信する段階と、受信された接続コンテキストおよびソース識別子に従って、端末の構成情報を決定し、ソース識別子に従って、端末のアップリンクアクセスを引き起こす段階とを備える。
【００５５】
可能な設計において、ソース識別子に従って端末のアップリンクアクセスを引き起こす段階は、ソース識別子を使用することによって端末をページングする段階、または、ソース識別子に従って、端末の専用端末識別子を決定し、専用端末識別子を使用することによって、端末へアップリンクアクセスコマンドを送信する段階、または、ソース識別子に従って、端末の専用端末識別子を決定し、専用端末識別子を使用することによって、端末をページングする段階を含む。
【００５６】
可能な設計において、ソース識別子はさらに、無線リソース制御ＲＲＣ構成インデックスを含み、第２セルが属する第２基地局が、低オーバーヘッド状態の端末によって報告されたソース識別子を受信する段階の後に、方法はさらに、第２基地局がＲＲＣ構成インデックスに従って、端末によって使用されるＲＲＣ構成情報を決定する段階を備える。
【００５７】
可能な設計において、ソース識別子に従って、第１端末識別子を第１基地局へ送信する段階は、第２基地局と第１基地局との間のインタフェースを使用することによって、第１ＵＥ識別子に従って、ソース識別子を第１基地局へ送信する段階、または、コアネットワークを使用することによって、第１ＵＥ識別子に従って、ソース識別子を第１基地局へ送信する段階を含む。
【００５８】
第４態様によれば、本発明の実施形態は基地局を提供し、基地局は、第１基地局であり、第１基地局は、出力ユニット、記憶ユニットおよび処理ユニットを備え得て、記憶ユニットは、プログラムコードを記憶するように構成され、処理ユニットは、記憶ユニットに記憶されているプログラムコードを呼び出して、出力ユニットを使用することによって、第１セルにおける接続モードの端末にソース識別子を割り当てるステップであって、ソース識別子は、第１基地局において端末を識別する第１端末識別子を含む、ステップと、端末が低オーバーヘッド状態に入ったと決定した後に、接続モードの端末の接続コンテキストを記憶するステップであって、端末は、事前設定アクティベーション条件が満たされたときに低オーバーヘッド状態に入り、低オーバーヘッド状態において、端末は接続コンテキストを記憶し、移動中にセル再選択基準に従ってセルにキャンプオンする、ステップとを実行するように構成されている。
【００５９】
可能な設計において、処理ユニットが、出力ユニットを使用することによって、第１セルにおける接続モードの端末にソース識別子を割り当てるように構成されていることは、具体的には、出力ユニットによって出力された、セルブロードキャストメッセージもしくは専用メッセージを使用することによって、または、ランダムアクセスチャネルＲＡＣＨ手順において、第１セルにおける接続モードの端末にソース識別子を割り当てることである。
【００６０】
可能な設計において、事前設定アクティベーション条件は、第１基地局が、低オーバーヘッド状態に入るように端末に命令するために使用される制御命令を端末へ送信すること、第１事前設定期間内に第１基地局と端末との間でデータが伝送されなかったこと、第１基地局が、端末のタイミングアドバンスタイマであるＴＡタイマが満了したと決定するか、もしくは、第１基地局が、端末のＴＡタイマが満了し、かつ、ＴＡタイマが第２事前設定期間内に再度作動しなかったと決定すること、および、第１基地局が、端末が間欠受信ＤＲＸ状態に入り、かつ、第３事前設定期間内にＤＲＸ状態から出なかったと決定することのうちの少なくとも１つの条件を含む。
【００６１】
可能な設計において、処理ユニットはさらに、出力ユニットを使用することによって、端末が低オーバーヘッド状態において使用するための無線リソース制御ＲＲＣ構成情報を端末へ送信するように構成されている。
【００６２】
可能な設計において、ＲＲＣ構成情報は、ＲＲＣ構成インデックスを含み、構成インデックスは、ＲＲＣ構成情報を示すために使用される。
【００６３】
可能な設計において、基地局はさらに、入力ユニットを備え、処理ユニットはさらに、端末が低オーバーヘッド状態に入ったと決定した後に、入力ユニットを使用することによって、第２セルが属する第２基地局によって送信された通知メッセージを受信することであって、通知メッセージは、端末のソース識別子、および、端末が現在所在する第２セルの第２セル識別子を保持し、第２セルは、端末が現在キャンプオンしているサービングセルである、こと、ならびに、ソース識別子および第２セル識別子に従って、端末が現在キャンプオンしているサービングセルが第２セルであると決定することを行うように構成されている。
【００６４】
可能な設計において、処理ユニットはさらに、ソース識別子および第２セル識別子に従って、端末が現在キャンプオンしているサービングセルが第２セルであると決定した後に、端末のダウンリンクデータが第１基地局に到達したときに、出力ユニットを使用することによって、接続コンテキスト、および、端末のソース識別子を第２基地局へ送信することであって、第２基地局は、第２セルが属する基地局である、ことを行うように構成されている。
【００６５】
可能な設計において、基地局はさらに、入力ユニットを備え、通知メッセージは、端末の検証情報を保持し、検証情報は、ソース識別子、および、接続コンテキストに含まれる鍵に従って、端末によって生成される身元認証情報であり、処理ユニットはさらに、入力ユニットを使用することによって、第２基地局によって送信された通知メッセージを受信した後に、ソース識別子および検証情報に従って、端末が有効な端末かどうかを決定するように構成されている。
【００６６】
可能な設計において、基地局はさらに、入力ユニットを備え、処理ユニットはさらに、端末が低オーバーヘッド状態に入ったと決定した後に、入力ユニットを使用することによって、第２セルが属する第２基地局によって送信された、接続コンテキストのための転送要求を受信することであって、転送要求は、端末のソース識別子を保持し、第２セルは、端末が現在キャンプオンしているセルである、こと、および、出力ユニットを使用することによって、転送要求に保持されるソース識別子に従って、接続コンテキストを第２基地局へ送信することを行うように構成されている。
【００６７】
可能な設計において、処理ユニットはさらに、入力ユニットを使用することによって、低オーバーヘッド状態の端末によって報告されたソース識別子を受信する前に、出力ユニットを使用することによって、システム情報ブロードキャストを送信することであって、システム情報ブロードキャストは、低オーバーヘッド状態の端末が報告することを許可されているソース識別子の種類を保持し、その結果、端末は、ソース識別子の種類に従って短いソース識別子もしくは長いソース識別子を使用することを決定する、こと、または、入力ユニットを使用することによって、低オーバーヘッド状態の端末によって報告されたソース識別子を受信する前に、出力ユニットを使用することによって、短いソース識別子および長いソース識別子を端末に割り当てること、または、入力ユニットを使用することによって受信されたダウンリンクデータが第１基地局に到達したか、もしくは、入力ユニットを使用することによって、コアネットワークからの第１ページングメッセージが受信された場合に、出力ユニットを使用することによって、第２ページングメッセージを第３基地局へ送信することであって、第３基地局および第１基地局は同一のページングエリアに属する、こと、または、入力ユニットを使用することによって受信されたダウンリンクデータが第１基地局に到達する前に、入力ユニットを使用することによって、コアネットワークによって送信された、ページングパラメータについての情報を受信することであって、ページングパラメータは、端末のページングインデックス、もしくは、端末のＤＲＸサイクルを含み、ページングパラメータは、端末のページングオフセットを計算するために使用される、ことを行うように構成されている。
【００６８】
第５態様によれば、本発明の実施形態は端末を提供し、端末は、入力ユニット、出力ユニット、記憶ユニットおよび処理ユニットを備え得て、記憶ユニットは、プログラムコードを記憶するように構成され、処理ユニットは、記憶ユニットに記憶されているプログラムコードを呼び出して、入力ユニットを使用することによって、第１セルが属する第１基地局によって割り当てられたソース識別子を受信するステップであって、ソース識別子は、第１基地局のセルにおいて端末を一意に識別する第１端末識別子を含む、ステップと、事前設定アクティベーション条件が満たされたとき、端末が低オーバーヘッド状態に入ることを可能にするステップであって、端末は、低オーバーヘッド状態において、接続モードの端末の接続コンテキストを記憶し、移動中にセル再選択基準に従って、セルにキャンプオンする、ステップと、第１事前設定条件が満たされたとき、出力ユニットを使用することによって、第２セルが属する第２基地局へソース識別子を報告するステップであって、第２セルは、端末が現在キャンプオンしているサービングセルである、ステップとを実行するように構成されている。
【００６９】
可能な設計において、事前設定アクティベーション条件は、端末が、低オーバーヘッド状態に入るように命令するために使用される制御命令を第１基地局から受信すること、端末が第１セルから去ること、第１事前設定期間内に端末と第１基地局との間でデータが伝送されなかったこと、端末のタイミングアドバンスタイマであるＴＡタイマが満了するか、もしくは、端末のＴＡタイマが満了し、かつ、ＴＡタイマが第２事前設定期間内に再度作動しなかったこと、および、端末が間欠受信ＤＲＸ状態に入り、かつ、第３事前設定期間内にＤＲＸ状態から出なかったことのうちの少なくとも１つの条件を含む。
【００７０】
可能な設計において、処理ユニットはさらに、事前設定アクティベーション条件が満たされたときに端末が低オーバーヘッド状態に入った後に、第２事前設定条件が満たされたときに端末が低オーバーヘッド状態から出ることを可能にするように構成され、第２事前設定条件は、端末が現在キャンプオンしているサービングセルが変化したこと、または、端末が現在キャンプオンしているサービングセルが、指定されたセルの組の範囲を超えたこと、または、端末が現在キャンプオンしているサービングセル、および、第１セルが、同一の事前設定エリアもしくは同一の基地局に属さないこと、または、端末が、ソース識別子を第２基地局へ送信し、ソース識別子についてのアクセス拒否指示を第２基地局から受信すること、または、端末が、第２セルのシステム情報ブロードキャストを読み取り、システム情報ブロードキャストは、低オーバーヘッド状態の端末のアクセスが許可されるという指示を保持しないこと、または、端末はアップリンクデータを送信する必要があることを含む。
【００７１】
可能な設計において、処理ユニットが、第２事前設定条件が満たされたとき、端末が低オーバーヘッド状態から出ることを可能にするように構成されていることは、具体的には、第２事前設定条件が満たされたときに接続コンテキストを消去し、端末がアイドルモードに入ることを可能にすることである。
【００７２】
可能な設計において、第１事前設定条件は、端末が現在キャンプオンしているサービングセルが変化すること、または、端末が現在キャンプオンしている第２セルが、指定されたセルの組の範囲を超えること、または、端末が現在キャンプオンしている第２セル、および、第１セルが、同一の事前設定エリアもしくは同一の基地局に属さないこと、または、端末が、アップリンクデータを送信する必要があることを含む。
【００７３】
可能な設計において、処理ユニットはさらに、第１事前設定条件が満たされたときに、出力ユニットを使用することによって、第２セルが属する第２基地局へソース識別子を報告する前に、入力ユニットを使用することによって、第２セルのシステム情報ブロードキャストを受信して読み取り、システム情報ブロードキャストが、低オーバーヘッド状態の端末のアクセスが許可されるという指示を保持している場合、出力ユニットを使用することによって、アクセスの指示に従って、ソース識別子を第２基地局へ送信することを決定するように構成されている。
【００７４】
可能な設計において、処理ユニットはさらに、第１事前設定条件が満たされたとき、出力ユニットを使用することによって、第２セルが属する第２基地局へソース識別子を報告する前に、出力ユニットを使用することによって、事前設定範囲内のランダムアクセスプリアンブルを第２基地局へ送信することであって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、こと、入力ユニットを使用することによって、第２基地局によって割り当てられた、ソース識別子を伝送するために使用される事前設定サイズ伝送リソースを受信すること、および、出力ユニットを使用することによって、伝送リソースを使用することによってソース識別子を第２基地局へ送信することを行うように構成されている。
【００７５】
可能な設計において、事前設定範囲内のランダムアクセスプリアンブルは、予め定義されたプリアンブル、または、第２基地局によって構成された、受信されたプリアンブルである。
【００７６】
可能な設計において、処理ユニットが、第２セルが属する第２基地局へソース識別子を報告するように構成されていることは、具体的には、出力ユニットを使用することによって、ランダムアクセスプリアンブルを第２基地局へ送信すること、入力ユニットを使用することによって、第２基地局によって送信された専用端末識別子と、第２基地局によって送信された、ランダムアクセスプリアンブルに従って割り当てられた、ソース識別子を伝送するために使用される伝送リソースとを受信することであって、専用端末識別子は、第２セルにおいて端末を一意に識別する識別子である、こと、出力ユニットを使用することによって、伝送リソースを使用することによってソース識別子を第２基地局へ送信すること、入力ユニットを使用することによって、第２基地局によって送信された、ソース識別子を含む肯定応答情報を受信すること、および、肯定応答情報に従って、専用端末識別子を適用するかどうかを決定することである。
【００７７】
可能な設計において、処理ユニットが、肯定応答情報に従って、専用端末識別子を適用するかどうかを決定するように構成されていることは、具体的には、処理ユニットが、肯定応答情報に従って専用端末識別子を適用することを省略すること、または、処理ユニットが、肯定応答情報に従って、専用端末識別子を適用し、低オーバーヘッド状態から出ること、または、処理ユニットが、肯定応答情報に従って、専用端末識別子を適用し、低オーバーヘッド状態に留まること、または、処理ユニットが、低オーバーヘッド状態から出るように端末に命令するために使用される、肯定応答情報に保持される命令に従って、専用端末識別子を適用し、低オーバーヘッド状態から出ることである。
【００７８】
可能な設計において、処理ユニットはさらに、端末が専用端末識別子を適用した後に、現在キャンプオンしているサービングセルのセル識別子に従って、接続コンテキストにおける鍵を更新するように構成されている。
【００７９】
可能な設計において、ソース識別子はさらに、検証情報を含み、検証情報は、ソース識別子および更新された鍵に従って端末によって生成される身元認証情報である。
【００８０】
可能な設計において、処理ユニットはさらに、事前設定アクティベーション条件が満たされたときに端末が低オーバーヘッド状態に入った後に、ソース識別子を使用することによって、ページングのリッスンを実行するように構成されている。
【００８１】
可能な設計において、処理ユニットはさらに、事前設定アクティベーション条件が満たされたとき、端末が低オーバーヘッド状態に入った後に、入力ユニットを使用することによって、第１基地局によって送信された無線リソース制御ＲＲＣ構成情報を受信することであって、ＲＲＣ構成情報は、ＲＲＣ構成インデックスを含み、構成インデックスは、ＲＲＣ構成情報を示すために使用される、こと、および、端末が低オーバーヘッド状態においてＲＲＣ構成情報を使用することを可能にすることを行うように構成されている。
【００８２】
可能な設計において、処理ユニットが、第１事前設定条件が満たされたとき、第２セルが属する第２基地局へソース識別子を報告するように構成されていることは、具体的には、出力ユニットを使用することによって、ＲＲＣ構成インデックスを含むソース識別子を、第２セルが属する第２基地局へ報告し、その結果、第２基地局が、ＲＲＣ構成インデックスに従って、端末によって使用されるＲＲＣ構成情報を決定することである。
【００８３】
可能な設計において、第１事前設定条件は、端末がアップリンクデータを送信する必要があることであり、処理ユニットが、第２セルが属する第２基地局へソース識別子を報告するように構成されていることは、具体的には、出力ユニットを使用することによって、第２セルが属する第２基地局へ、ソース識別子を含むアップリンクデータ指示を報告することである。
【００８４】
可能な設計において、処理ユニットは、第１事前設定条件が満たされたときに出力ユニットを使用することによって、第２セルが属する第２基地局へソース識別子を報告する前に、入力ユニットを使用することによって、第２基地局によって送信された指示情報を受信して読み取り、指示情報に従って、出力ユニットを使用することによって第２基地局へ送信される予定のソース識別子の種類を決定すること、ならびに／または、第１事前設定条件が満たされたとき、入力ユニットを使用することによって、第１セルが属する第１基地局によって割り当てられた短いソース識別子および長いソース識別子を受信することを行うように構成されている。
【００８５】
可能な設計において、指示情報は、承認コマンドを使用することによって端末へ送信された承認情報であり、処理ユニットはさらに、承認情報に従って、伝送できるメッセージのサイズを決定すること、および、伝送できるメッセージのサイズに従って、長いソース識別子または短いソース識別子を使用することを選択することを行うように構成されている。
【００８６】
第６態様によれば、本発明の実施形態は基地局を提供し、基地局は第２基地局であり、第２基地局は、入力ユニット、出力ユニット、記憶ユニットおよび処理ユニットを備え得て、記憶ユニットは、プログラムコードを記憶するように構成され、処理ユニットは、記憶ユニットに記憶されたプログラムコードを呼び出して、入力ユニットを使用することによって、低オーバーヘッド状態の端末によって報告されたソース識別子を受信するステップであって、端末は、低オーバーヘッド状態において、接続モードの端末の接続コンテキストを記憶し、移動中にセル再選択基準に従って、セルにキャンプオンし、第１セルは、端末が低オーバーヘッド状態に入ったときのサービングセルであり、第２セルは、端末の現在のサービングセルであり、ソース識別子は、第１セルが属する第１基地局において端末を識別する第１端末識別子を含む、ステップと、出力ユニットを使用することによって、ソース識別子に従って、第１端末識別子を第１基地局へ送信し、端末の現在のサービングセルが第２セルであると第１基地局に通知するステップとを実行するように構成されている。
【００８７】
可能な設計において、ソース識別子はさらに、指示情報を含み、指示情報は、端末が低オーバーヘッド状態にあることを第２基地局に通知するために使用される。
【００８８】
可能な設計において、処理ユニットはさらに、入力ユニットを使用することによって、低オーバーヘッド状態の端末によって報告されたソース識別子を受信する前に、出力ユニットを使用することによって、システム情報ブロードキャストを送信することであって、システム情報ブロードキャストは、低オーバーヘッド状態の端末のアクセスが許可されるという指示を保持し、その結果、端末は、アクセスの指示に従って、ソース識別子を第２基地局へ送信するかどうかを決定する、ことを行うように構成されている。
【００８９】
可能な設計において、処理ユニットはさらに、入力ユニットを使用することによって、低オーバーヘッド状態の端末によって報告されたソース識別子を受信する前に、入力ユニットを使用することによって、端末によって送信されたランダムアクセスプリアンブルを受信すること、および、ランダムアクセスプリアンブルが事前設定範囲内に属するとき、出力ユニットを使用することによって、事前設定サイズ伝送リソースを端末に割り当てることであって、その結果、端末が伝送リソースを使用することによってソース識別子を送信する、ことを行うように構成されている。
【００９０】
可能な設計において、事前設定範囲内のランダムアクセスプリアンブルは、予め定義されたプリアンブル、または、第２基地局によって構成された、受信されたプリアンブルである。
【００９１】
可能な設計において、処理ユニットが、入力ユニットを使用することによって、低オーバーヘッド状態の端末によって報告されたソース識別子を受信するように構成されていることは、具体的には、入力ユニットを使用することによって、低オーバーヘッド状態の端末によって送信されたランダムアクセスプリアンブルを受信すること、出力ユニットを使用することによって、ランダムアクセスプリアンブルに従って、専用端末識別子と、ソース識別子を伝送するために使用される伝送リソースとを端末に割り当てることであって、専用端末識別子は、第２セルにおいて端末を一意に識別する識別子である、こと、入力ユニットを使用することによって、伝送リソースを使用することによってソース識別子を受信すること、および、出力ユニットを使用することによって、ソース識別子を含む肯定応答情報を端末へ送信することである。
【００９２】
可能な設計において、処理ユニットが出力ユニットを使用することによって、ソース識別子を含む肯定応答情報を端末へ送信することは、具体的には、出力ユニットを使用することによって、低オーバーヘッド状態から出るように端末に命令するために使用される命令を保持する、ソース識別子を含む肯定応答メッセージを端末へ送信することであって、その結果、端末は、命令に従って、専用端末識別子を適用し、低オーバーヘッド状態から出る、ことである。
【００９３】
可能な設計において、処理ユニットが出力ユニットを使用することによって、ソース識別子に従って、第１端末識別子を第１基地局へ送信することは、具体的には、出力ユニットを使用することによって、ソース識別子に従って、通知メッセージを第１基地局へ送信することであって、通知メッセージは、端末のソース識別子、および、端末が現在所在する第２セルの第２セル識別子を保持し、その結果、第１基地局は、ソース識別子および第２セル識別子に従って、端末が現在キャンプオンしているサービングセルが第２セルであると決定する、ことである。
【００９４】
可能な設計において、処理ユニットはさらに、出力ユニットを使用することによって、ソース識別子に従って第１端末識別子を第１基地局へ送信した後に、端末によって送信された、ソース識別子を含むアップリンクデータ指示を受信すること、出力ユニットを使用することによって、接続コンテキストのための転送要求を第１基地局へ送信することであって、接続コンテキストは、端末が低オーバーヘッド状態に入ったときに第１基地局によって記憶される、接続モードの端末の接続コンテキストであり、接続コンテキストの転送要求は、端末のソース識別子を保持する、こと、および、入力ユニットを使用することによって、第１基地局によって転送された接続コンテキストを受信し、接続コンテキストに従って、端末との接続を確立することを行うように構成されている。
【００９５】
可能な設計において、処理ユニットはさらに、入力ユニットを使用することによって、第１基地局によって転送された接続コンテキストを受信した後に、出力ユニットを使用することによって、再割り当てされたソース識別子を端末へ送信することであって、再割り当てされたソース識別子は、第２基地局において端末を識別する第２端末識別子を含む、こと、および、出力ユニットを使用することによって、命令を端末へ送信し、低オーバーヘッド状態から出るように端末に命令することを行うように構成されている。
【００９６】
可能な設計において、処理ユニットはさらに、出力ユニットを使用することによって、ソース識別子に従って、第１端末識別子を第１基地局へ送信した後に、入力ユニットを使用することによって、第１基地局によって送信された、接続コンテキスト、および、端末のソース識別子を受信すること、ならびに、受信された接続コンテキストおよびソース識別子に従って、端末の構成情報を決定し、ソース識別子に従って、端末のアップリンクアクセスを引き起こすことを行うように構成されている。
【００９７】
可能な設計において、処理ユニットが、ソース識別子に従って、端末のアップリンクアクセスを引き起こすように構成されていることは、具体的には、ソース識別子を使用することによって端末をページングすること、または、ソース識別子に従って、端末の専用端末識別子を決定し、専用端末識別子を使用することによって、端末へアップリンクアクセスコマンドを送信すること、または、ソース識別子に従って、端末の専用端末識別子を決定し、専用端末識別子を使用することによって端末をページングすることである。
【００９８】
可能な設計において、ソース識別子はさらに、無線リソース制御ＲＲＣ構成インデックスを含み、処理ユニットはさらに、入力ユニットを使用することによって、低オーバーヘッド状態の端末によって報告されたソース識別子を受信した後に、ＲＲＣ構成インデックスに従って、端末によって使用されるＲＲＣ構成情報を決定するように構成されている。
【００９９】
可能な設計において、処理ユニットが、出力ユニットを使用することによって、ソース識別子に従って、第１端末識別子を第１基地局へ送信するように構成されていることは、具体的には、出力ユニットを使用することによって、第２基地局と第１基地局の間のインタフェースを使用することによって、第１ＵＥ識別子に従って、ソース識別子を第１基地局へ送信すること、または、出力ユニットを使用することによって、コアネットワークを使用することによって、第１ＵＥ識別子に従って、ソース識別子を第１基地局へ送信することである。
【０１００】
第１態様、第２態様、第３態様、第４態様、第５態様および第６態様のいくつかの可能な実装において、ソース識別子は、第１セルを識別する第１セル識別子と、第１セルにおいて端末を一意に識別する第１端末識別子とを含み、第１セル識別子は、Ｅ−ＵＴＲＡＮセルグローバル識別子ＥＣＧＩ、物理セル識別子ＰＣＩ、および、エリアの識別子とエリアにおける第１セルの識別子とを含むセル識別子のうちの少なくとも１つを含み、または、ソース識別子は、第１基地局を一意に識別する第１基地局識別子、および、第１基地局において端末を一意に識別する第１端末識別子を含む。
【０１０１】
本発明の実施形態において、低オーバーヘッド状態が設計され、この状態の端末は、接続モードの端末の接続コンテキストを記憶し、移動中にセル再選択基準に従ってセルにキャンプオンする。加えて、低オーバーヘッド状態の端末は、ソース基地局によって送信されたソース識別子を受信し、特定の条件が満たされたとき、移動中に端末の現在のサービング基地局へソース識別子を報告する。最後に、サービング基地局は、ソース識別子をソース基地局へ送信し、その結果、サービング基地局およびソース基地局の両方は、端末の位置情報を認識できる。すなわち、端末が低オーバーヘッド状態に入った後に、端末はセル再選択に基づく移動性管理を自律的に実行し、端末の位置変更情報のみを報告し、これにより、ハンドオーバ手順を簡潔化し、ネットワークデバイスの通信リソースを低減する。さらに、端末が低オーバーヘッド状態に入った後に、ソース基地局および端末は両方とも、端末の接続コンテキストを記憶するので、端末がアップリンクまたはダウンリンクデータ通信を実行する必要があるとき、端末の接続コンテキストは、データ伝送のために、端末の現在のサービング基地局へハンドオーバでき、これにより、データ伝送効率を保証する。
【図面の簡単な説明】
【０１０２】
本発明の実施形態における、または従来技術における技術的解決法をより明確に説明すべく、実施形態または従来技術を説明するために必要な添付図面を以下で簡潔に説明する。以下の説明における添付図面は、本発明の一部の実施形態を示しているに過ぎず、当業者ならば、創造的努力なく、これらの添付図面から他の図面をさらに導き出し得ることは明らかである。
【０１０３】
【図１】本発明に係る移動性管理ネットワークアーキテクチャの概略図である。
【０１０４】
【図２】本発明に係る移動性管理の方法の概略的フローチャートである。
【０１０５】
【図３Ａ】本発明に係る別の移動性管理の方法の概略的フローチャートである。
【図３Ｂ】本発明に係る別の移動性管理の方法の概略的フローチャートである。
【０１０６】
【図４Ａ】本発明に係るさらに別の移動性管理の方法の概略的フローチャートである。
【図４Ｂ】本発明に係るさらに別の移動性管理の方法の概略的フローチャートである。
【０１０７】
【図５】本発明に係る第１基地局の概略的構造図である。
【０１０８】
【図６】本発明に係るユーザ機器の概略的構造図である。
【０１０９】
【図７】本発明に係る第２基地局の概略的構造図である。
【０１１０】
【図８Ａ】本発明に係るさらに別の移動性管理の方法の概略的フローチャートである。
【図８Ｂ】本発明に係るさらに別の移動性管理の方法の概略的フローチャートである。
【発明を実施するための形態】
【０１１１】
本発明の実施形態における添付図面に関連して、本発明の実施形態における技術的解決法を以下で明確かつ完全に説明する。説明される実施形態は、本発明の実施形態の一部に過ぎず、すべてではないことは明らかである。当業者によって、創造的努力なく、本発明の実施形態に基づいて取得されるすべての他の実施形態は、本発明の保護範囲に属するものとする。
【０１１２】
本発明の実施形態の技術的解決法は、グローバルシステムフォーモバイルコミュニケーション（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ（登録商標））システム、ロングタームエボリューション（Ｌｏｎｇ  Ｔｅｒｍ  Ｅｖｏｌｕｔｉｏｎ、ＬＴＥ（登録商標））システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、およびユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ（登録商標））など、様々な通信システムに適用され得ることを理解すべきである。
【０１１３】
本発明の実施形態において、基地局は、ＧＳＭ（登録商標）またはＣＤＭＡシステムにおけるベーストランシーバ基地局（Ｂａｓｅ  Ｔｒａｎｓｃｅｉｖｅｒ  Ｓｔａｔｉｏｎ、ＢＴＳ）であってよく、またはＷＣＤＭＡ（登録商標）システムにおけるノードＢ（ＮｏｄｅＢ）であってよく、またはＬＴＥシステムにおける進化型ノードＢ（Ｅｖｏｌｖｅｄ  Ｎｏｄｅ  Ｂ、ｅＮＢ、もしくはｅＮｏｄｅＢ）または将来の５Ｇネットワークにおける基地局デバイスであってよいことをさらに理解すべきである。このことは本発明において限定されない。
【０１１４】
本発明の実施形態において、ＵＥは無線アクセスネットワーク（Ｒａｄｉｏ  Ａｃｃｅｓｓ  Ｎｅｔｗｏｒｋ、ＲＡＮ）を使用することによって１または複数のコアネットワーク（Ｃｏｒｅ  Ｎｅｔｗｏｒｋ）と通信し得て、ＵＥはアクセス端末、端末デバイス、加入者ユニット、加入者局、移動局、モバイルコンソール、遠隔局、遠隔端末、モバイルデバイス、ユーザ端末、端末、無線通信デバイス、ユーザエージェントまたはユーザ装置と称され得ることをさらに理解すべきである。ＵＥは、携帯電話、コードレス電話、スマートフォン、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、スマートバンド、スマートウェアラブルデバイス、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、ムービングピクチャエキスパートグループオーディオレイヤ３）プレーヤ、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ、ムービングピクチャエキスパートグループオーディオレイヤ４）プレーヤ、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、無線モデムに接続されているコンピューティングデバイスもしくは別の処理デバイス、車内デバイス、または、将来の５Ｇネットワークにおける端末デバイスなどであり得る。
【０１１５】
本発明の実施形態の理解を助けるべく、以下では最初に、本発明の実施形態の基となる移動性管理ネットワークアーキテクチャを説明する。図１を参照すると、ネットワークアーキテクチャは、基地局、コアネットワークおよびユーザ機器ＵＥを備える。ＵＥは、第１セルから第２セル、そして、第Ｎセルへの移動中に、対応する第１基地局、第２基地局、および、第Ｎ基地局との無線通信によって、データ伝送を実現する。基地局は、ファイバを使用することによってコアネットワークに接続され、データまたはサービスの接続、管理および搬送などを実現する。図１における上述のネットワークアーキテクチャは、本発明の実施形態における一実装に過ぎず、本発明の実施形態のネットワークアーキテクチャは、上述のネットワークアーキテクチャを含むが、それに限定されないことを理解されたい。
【０１１６】
図２を参照すると、図２は、本発明の実施形態に係る移動性管理の方法の概略的フローチャートである。以下では、図２を参照しながら、第１基地局、ユーザ機器ＵＥおよび第２基地局の間のインタラクションという観点から、詳細な説明を提供する。図２に示されるように、方法は、以下のステップＳ２０１からステップＳ２０７を備え得る。
【０１１７】
Ｓ２０１：第１セルが属する第１基地局は、第１セルにおける接続モードのユーザ機器ＵＥにソース識別子を割り当て、ソース識別子は、第１基地局においてＵＥを識別する第１ＵＥ識別子を含む。
【０１１８】
具体的には、第１基地局は、セルブロードキャストメッセージもしくは専用のメッセージを使用することによって、または、ランダムアクセスチャネルＲＡＣＨ手順において、第１セルにおける接続モードのＵＥにソース識別子を割り当てる。
【０１１９】
さらに、ソース識別子は、専用のメッセージ、または、無線リソース制御ＲＲＣ（Ｒａｄｉｏ  Ｒｅｓｏｕｒｃｅ  Ｃｏｎｔｒｏｌ、ＲＲＣ）メッセージ、例えば、無線ベアラ再構成メッセージ、無線ベアラ解放メッセージ、または、無線ベアラ再確立メッセージなどを使用することによって割り当てられ得る。ＲＡＣＨ手順においてソース識別子が割り当てられるとき、ソース識別子はプリアンブル応答メッセージにおいて保持され得る。
【０１２０】
さらに、ソース識別子は、第１セルを識別する第１セル識別子と、第１セルにおいてＵＥを一意に識別する第１ＵＥ識別子とを含むか、または、ソース識別子は、第１基地局を一意に識別する第１基地局識別子と、第１基地局においてＵＥを一意に識別する第１ＵＥ識別子とを含む。第１ＵＥ識別子を使用することによって第１セルにおいてＵＥを一意に識別するための方法は、第１ＵＥ識別子を使用することのみによってＵＥを一意に識別することに限定されない。ＵＥは、第１ＵＥ識別子と、認証情報などの他の補助情報とを両方とも使用することによって、一意に識別され得る。認証情報は、ＵＥの鍵に従って生成される。具体的には、例えば、第１セル識別子は、Ｅ−ＵＴＲＡＮセルグローバル識別子ＥＣＧＩ、物理セル識別子ＰＣＩ、および、エリアの識別子と、エリアにおける第１セルの識別子とを含むセル識別子のうちの少なくとも１つを含む。エリアとは、ネットワークの分割によって得られる特定のセル範囲である。例えば、エリアが２５６セルを含む場合、エリアの識別子は８ビットを有する。エリアにおいて最大で２５６セルがサポートされる場合、エリアにおけるセル識別子は８ビットを有する。対応するセル識別子は１６ビットを含み、最初の８ビットはエリアの識別子であり、最後の８ビットはエリアにおけるセル識別子である。同様に、基地局識別子はまた、エリアの識別子、および、エリアにおける基地局の識別子を含み得る。さらに、ソース識別子は、識別子分割指示情報をさらに含み得て、識別子分割指示情報は、基地局識別子と、基地局においてＵＥを識別する第１ＵＥ識別子とのために分割された、ソース識別子におけるビットを示すために使用される。識別子分割指示情報の異なる値は、異なる分割規則を表す。例えば、ソース識別子は５０ビットを占有し、５０ビットにおける２ビットが識別子分割指示情報である。識別子分割指示情報の値が０であるとき、これは、基地局識別子が２４ビットを占有し、第１ＵＥ識別子が（５０−２４−２＝２４）ビットを占有することを示す。識別子分割指示情報の値が１であるとき、これは、基地局識別子が２０ビットを占有し、第１ＵＥ識別子が（５０−２０−２＝２８）ビットを占有することを示す。同様に、ソース識別子は、識別子分割指示情報をさらに含み得て、識別子分割指示情報は、第１セル識別子と、第１セル識別子においてＵＥを識別する第１ＵＥ識別子とのために分割された、ソース識別子におけるビットを示すために使用される。具体的な方法は、基地局識別子とＵＥ識別子との間の分割と同一である。
【０１２１】
Ｓ２０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０１２２】
具体的には、ＵＥは、セルブロードキャストメッセージ、もしくは、第１セルが属する第１基地局の専用メッセージを使用することによって、または、ランダムアクセスチャネルＲＡＣＨ手順において、ソース識別子を受信する。
【０１２３】
Ｓ２０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０１２４】
具体的には、ＵＥの視点からは、事前設定アクティベーション条件は以下の条件のうちの少なくとも１つを含む。
・ＵＥが、低オーバーヘッド状態に入るように命令するために使用される制御命令を第１基地局から受信する。
・ＵＥが第１セルから去る。
・第１事前設定期間内に、ＵＥと第１基地局との間でデータが伝送されなかった。
・ＵＥのタイミングアドバンスタイマであるＴＡタイマが満了するか、もしくは、ＵＥのＴＡタイマが満了し、かつ、ＴＡタイマが第２事前設定期間内に再び作動しなかった。
・ＵＥが間欠受信ＤＲＸ状態に入り、かつ、第３事前設定期間内にＤＲＸ状態から出なかった。
【０１２５】
さらに、ＵＥは、第２事前設定条件が満たされたとき、低オーバーヘッド状態から出る。第２事前設定条件は、以下の条件のうちの少なくとも１つを含む。
・ＵＥが現在キャンプオンしているサービングセルが変化する。
・ＵＥが現在キャンプオンしているサービングセルが、指定されたセルの組の範囲を超える。または、
・ＵＥが現在キャンプオンしているサービングセルと第１セルとが同一の事前設定エリアもしくは同一の基地局に属していない。
・ＵＥがソース識別子を第２基地局へ送信し、ソース識別子についてのアクセス拒否指示を第２基地局から受信する。
・ＵＥが第２セルのシステム情報ブロードキャストを読み取り、システム情報ブロードキャストは、低オーバーヘッド状態のＵＥのアクセスが許可されるという指示を保持しない。
・ＵＥがアップリンクデータを送信する必要がある。
・ＵＥが参照信号測定結果を取得し、参照信号測定結果と第１の予め定められた閾値との間の比較の結果が事前設定結果と一致する。
・ＵＥのＰＬＭＮが変化する。
【０１２６】
ＵＥが現在キャンプオンしているサービングセルと第１セルとが同一の事前設定エリアまたは同一基地局に属さないことは、具体的には、ＵＥが、第１セルおよび現在キャンプオンしているセルのシステム情報ブロードキャストにおいて保持されるエリア識別子に従って、ＵＥが現在キャンプオンしているサービングセルと第１セルとが同一の事前設定エリアに属しているかどうかを決定することであるか、または、ＵＥが、第１セルおよび現在キャンプオンしているセルのシステム情報ブロードキャストにおいて保持される基地局識別子に従って、ＵＥが現在キャンプオンしているサービングセルと第１セルとが同一の基地局に属しているかどうかを決定することである。
【０１２７】
参照信号測定結果は、経路損失、信号強度または信号品質を含む。事前設定結果は、「より大きい」、「等しい」、「より小さい」またはそれらの組み合わせである。ＵＥは参照信号測定結果を取得し、参照信号測定結果を第１の予め定められた閾値と比較し、結果が事前設定結果と一致するときに低オーバーヘッド状態から出る。例えば、予め定められた経路損失は、第１閾値より大きい。
【０１２８】
ＵＥのＰＬＭＮ（Ｐｕｂｌｉｃ  Ｌａｎｄ  Ｍｏｂｉｌｅ  Ｎｅｔｗｏｒｋ、公衆陸上移動体ネットワーク）が変化することは、ＵＥによって現在選択されているセルのホームＰＬＭＮが、ＵＥによって現在設定されているＰＬＭＮの組に属さないことを含む。具体的には、現在のホームＰＬＭＮのいずれも、ＵＥによって現在設定されているＰＬＭＮの組に属さない。ＵＥによって現在設定されているＰＬＭＮの組は、ＵＥが現在登録しているＰＬＭＮ、または、ＵＥによって選択されたＰＬＭＮ、または、ＵＥの同等のＰＬＭＮという３事項のうちのいずれか１つまたは組み合わせを含む。
【０１２９】
さらに、第２事前設定条件が満たされたとき、ＵＥは、接続コンテキストを消去し、アイドルモードに入る。さらに、ＵＥは、ＵＥが低オーバーヘッド状態から出たことをＵＥの上位レイヤに通知する。代替的に、ＵＥは、ＵＥが低オーバーヘッド状態から出たことをＵＥの上位レイヤに通知し、ＵＥの上位レイヤがトラッキングエリアの更新を引き起こすか、または、ＵＥがトラッキングエリアの更新を引き起こす。さらに任意で、ＵＥは指示をトラッキングエリア更新メッセージに追加し、指示は、ＵＥが以前に低オーバーヘッド状態であったことをコアネットワークに通知するために使用され、その結果、コアネットワークは、情報に従ってＵＥの接続解除を引き起こす。
【０１３０】
さらに、第２事前設定条件が満たされたとき、ＵＥは低オーバーヘッド状態から出て、低オーバーヘッド状態から出ることは、記憶された接続コンテキストを消去することを含む。
【０１３１】
任意の実装において、接続コンテキストは、第１基地局とＵＥとの間の接続のための構成パラメータを含み、具体的には、ＵＥの無線ベアラ構成およびＵＥの識別情報を含み得る。無線ベアラ構成は、シグナリング無線ベアラ構成および／またはデータ無線ベアラ構成を含む。ＵＥの識別情報は、ＵＥのソース識別子を含み得る。接続コンテキストはさらに、鍵情報を含み得て、鍵情報は、暗号化伝送中、または、ＵＥ検証情報の生成中に使用される。
【０１３２】
任意の実装において、ＵＥは、第１基地局によって送信された無線リソース制御ＲＲＣ構成情報を受信する。ＲＲＣ構成情報は、ＲＲＣ構成インデックスを含み、構成インデックスは、ＲＲＣ構成情報を示すために使用される。事前設定アクティベーション条件が満たされたときにＵＥが低オーバーヘッド状態に入った後に、ＵＥは低オーバーヘッド状態においてＲＲＣ構成情報を使用する。
【０１３３】
任意の実装において、事前設定アクティベーション条件が満たされたときにＵＥが低オーバーヘッド状態に入った後に、ＵＥは、第１セルにおけるＵＥの専用ＵＥ識別子を解放する。
【０１３４】
任意の実装において、事前設定アクティベーション条件が満たされたときにＵＥが低オーバーヘッド状態に入った後に、ＵＥは、ソース識別子を使用することによってページングのリッスンを実行する。
【０１３５】
本発明における低オーバーヘッド状態は、本発明において定義されるＵＥ状態であり、低オーバーヘッド状態の特徴は、接続コンテキストの記憶、および、セル再選択に基づく移動性管理を含むことが強調されるべきである。低オーバーヘッド状態は、低いシグナリングオーバーヘッド、および、低い電力オーバーヘッドを特徴とし、従って、本発明では、「低オーバーヘッド状態」と名付ける。低オーバーヘッド状態は、接続モードのサブ状態、または、アイドルモードの強化状態であり得る。このことは本発明において限定されない。例えば、低オーバーヘッド状態は、ＵＥがアイドルモードにあり、接続コンテキストが記憶される状態であり得て、低オーバーヘッド状態のＵＥは、コンテキストを消去した後に通常アイドルモードに入る。代替的に、低オーバーヘッド状態は、ＵＥが接続モードにあり、セル再選択に基づく移動性管理を実行することが許可される状態であり得て、低オーバーヘッド状態のＵＥは、セル再選択に基づく移動性管理の実行を停止した後に、通常接続モードに入る。
【０１３６】
Ｓ２０４：第１基地局が、ＵＥが低オーバーヘッド状態に入ったと決定した後に、接続モードのＵＥの接続コンテキストを記憶する。
【０１３７】
具体的には、第１基地局の視点から、事前設定アクティベーション条件は、以下の条件のうちの少なくとも１つを含む。
・第１基地局が、低オーバーヘッド状態に入るようにＵＥに命令するために使用される制御命令をＵＥへ送信する。
・第１事前設定期間内に第１基地局とＵＥとの間でデータが伝送されなかった。
・第１基地局が、ＵＥのタイミングアドバンスタイマであるＴＡタイマが満了したと決定するか、もしくは、第１基地局が、ＵＥのＴＡタイマが満了し、かつ、ＴＡタイマが第２事前設定期間内に再度作動しなかったと決定する。
・第１基地局が、ＵＥが間欠受信ＤＲＸ状態に入り、かつ、第３事前設定期間内にＤＲＸ状態から出なかったと決定する。
第１基地局によってＵＥへ送信され、低オーバーヘッド状態に入るようにＵＥに命令するために使用される制御命令は、ＲＲＣシグナリングであり得るか、または、ＭＡＣ層シグナリングもしくは物理層シグナリングであり得る。制御命令およびソース識別子は、同一メッセージにおいてＵＥへ送信され得て、または、異なるメッセージにおいてＵＥへ送信され得る。このことは本発明において限定されない。
【０１３８】
任意の実装において、第１基地局はさらに、ＵＥが低オーバーヘッド状態において使用するための無線リソース制御ＲＲＣ構成情報をＵＥへ送信する。さらに、ＲＲＣ構成情報は、ＲＲＣ構成インデックスを含み、構成インデックスは、ＲＲＣ構成情報を示すために使用される。任意で、ＲＲＣ構成は、低オーバーヘッド状態のＵＥの無線ベアラ構成を含み、無線ベアラ構成は、シグナリング無線ベアラ構成および／またはデータ無線ベアラ構成を含む。さらに任意で、ＲＲＣ構成は、鍵情報をさらに含み得て、鍵情報は暗号化伝送中に使用される。
【０１３９】
Ｓ２０５：第１事前設定条件が満たされたとき、ＵＥが、第２セルが属する第２基地局へソース識別子を報告する。第２セルは、ＵＥが現在キャンプオンしているサービングセルである。
【０１４０】
具体的には、第１事前設定条件は、ＵＥが現在キャンプオンしているサービングセルが変化すること、または、ＵＥが現在キャンプオンしている第２セルが、指定されたセルの組の範囲を超えること、または、ＵＥが現在キャンプオンしている第２セルと第１セルとが同一の事前設定エリアもしくは同一の基地局に属さないこと、または、ＵＥがアップリンクデータを送信する必要があることを含む。
【０１４１】
任意の実装において、第１事前設定条件が満たされたときにＵＥが第２基地局へソース識別子を報告する前に、ＵＥは、第２セルのシステム情報ブロードキャストを受信して読み取る。システム情報ブロードキャストが、低オーバーヘッド状態のＵＥのアクセスが許可されているという指示を保持する場合、ＵＥは、アクセスの指示に従って、ソース識別子を第２基地局へ送信することを決定する。
【０１４２】
任意の実装において、第１事前設定条件が満たされたときにＵＥが第２基地局へソース識別子を報告する前に、ＵＥは参照信号測定結果に従って、ソース識別子を報告することを決定する。参照信号測定結果は、経路損失、信号品質または信号強度を含む。ＵＥは、参照信号測定結果を第１の予め定められた閾値と比較し、比較の結果に従って、識別子を報告するかどうかを決定する。第１の予め定められた閾値は、事前設定された一定値か、または、第２基地局によってＵＥのために構成された閾値であり得る。例えば、参照信号測定結果が経路損失である場合、ＵＥは、経路損失が第１の予め定められた閾値より小さいときのみにソース識別子を報告できると決定する。そうでない場合、ＵＥは低オーバーヘッド状態から出て、記憶されたコンテキストを消去する。
【０１４３】
任意の実装において、第１事前設定条件が満たされたときにＵＥが第２基地局へソース識別子を報告する前に、ＵＥは、事前設定範囲内のランダムアクセスプリアンブルを第２基地局へ送信することであって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、こと、第２基地局によって割り当てられた、ソース識別子を伝送するために使用される事前設定サイズ伝送リソースを受信すること、および、伝送リソースを使用することによって、ソース識別子を第２基地局へ送信することを行う。さらに、事前設定範囲内のランダムアクセスプリアンブルは、予め定義されたプリアンブル、または、第２基地局によって構成された、受信されたプリアンブルである。
【０１４４】
任意の実装において、ＵＥがソース識別子を第２基地局へ報告することは、具体的には、ＵＥが、ＲＲＣ構成インデックスを含むソース識別子を第２基地局へ報告することであって、その結果、第２基地局が、ＲＲＣ構成インデックスに従って、ＵＥによって使用されるＲＲＣ構成情報を決定する、ことであり得る。
【０１４５】
任意の実装において、ＵＥが、第２基地局へソース識別子を報告することは、具体的には、ＵＥがランダムアクセスプリアンブルを第２基地局へ送信すること、第２基地局によって送信された専用ＵＥ識別子と、第２基地局によって送信された、ランダムアクセスプリアンブルに従って割り当てられた、ソース識別子を伝送するために使用される伝送リソースとを受信することであって、専用ＵＥ識別子は、第２セルにおいてＵＥを一意に識別する識別子である、こと、伝送リソースを使用することによって、ソース識別子を第２基地局へ送信すること、第２基地局によって送信された、ソース識別子を含む肯定応答情報を受信すること、および、肯定応答情報に従って、専用ＵＥ識別子を適用するかどうかを決定することであり得る。さらに、ＵＥが肯定応答情報に従って、専用ＵＥ識別子を適用するかどうかを決定することは、具体的には、ＵＥが、肯定応答情報に従って専用ＵＥ識別子を適用することを省略すること、または、ＵＥが、肯定応答情報に従って、専用ＵＥ識別子を適用し、低オーバーヘッド状態から出ること、または、ＵＥが、肯定応答情報に従って、専用ＵＥ識別子を適用し、低オーバーヘッド状態に留まること、または、ＵＥが、低オーバーヘッド状態から出るようにＵＥに命令するために使用される、肯定応答情報に保持される命令に従って、専用ＵＥ識別子を適用し、低オーバーヘッド状態から出ることを含む。さらに、ＵＥは、専用ＵＥ識別子を適用した後に、現在キャンプオンしているサービングセルのセル識別子に従って、接続コンテキストにおける鍵を更新する。さらに、ＵＥによって第２基地局へ報告されたソース識別子はさらに、検証情報を含み、検証情報は、ソース識別子および更新された鍵に従って、ＵＥによって生成される身元認証情報である。
【０１４６】
任意の実装において、ＵＥによって報告されたソース識別子はさらに、指示情報を含み、指示情報は、ＵＥが低オーバーヘッド状態にあることを第２基地局に通知するために使用される。
【０１４７】
任意の実装において、ソース識別子は、長いソース識別子および短いソース識別子を含み、ＵＥがソース識別子を第２基地局へ報告することは、具体的には、以下の通りであり得る。ＵＥが、第２基地局によって送信された指示情報または参照信号測定結果に従って、長いソース識別子または短いソース識別子を報告することを決定する。長いソース識別子および短いソース識別子は、２つの独立したソース識別子であり得るか、または、短いソース識別子が長いソース識別子の部分情報である。例えば、長いソース識別子は、Ｎビットの長さを有し得て、短いソース識別子はＮビットにおけるＭビットであり得て、ＭはＮより小さい。第２基地局の指示情報は、システムブロードキャストを使用することによって構成される指示情報であり得るか、または、承認コマンドを使用することによってＵＥへ送信される承認情報であり得る。具体的には、システムブロードキャストを使用することによって構成される指示情報は、長いソース識別子または短いソース識別子を使用するようにＵＥに命令するために使用される指示であり得て、ＵＥは、指示に従って、ソース識別子を報告するために使用されるソース識別子の種類を決定し得る。代替的に、指示情報は、承認コマンドを使用することによってＵＥへ送信される承認情報であり、ＵＥは、承認情報に従って、伝送できるメッセージのサイズを決定し、伝送できるメッセージのサイズに従って、長いソース識別子または短いソース識別子を使用することを選択する。例えば、承認情報が５６ビットであり、ソース識別子を充填するために使用できる長さが２５ビットである場合、短いソース識別子が選択される。代替的に、承認情報が８８ビットであり、ソース識別子を充填するために使用できる長さが４０ビットである場合、長いソース識別子が選択される。ＵＥが参照信号測定結果に従って、長いソース識別子または短いソース識別子を報告することを決定することは、以下を含む。参照信号測定結果は、経路損失、信号品質または信号強度を含む。ＵＥは、参照信号測定結果を第１の予め定められた閾値と比較し、比較の結果に従って、長いソース識別子または短いソース識別子を報告することを決定する。第１の予め定められた閾値は、事前設定された一定値か、または、第２基地局によってＵＥのために構成された閾値であり得る。
【０１４８】
任意の実装において、ソース識別子は、長いソース識別子および短いソース識別子を含み、ＵＥがソース識別子を第２基地局へ報告することは、具体的には、以下の通りであり得る。ＵＥは、最初に短いソース識別子を報告することを決定し、次に、後続のメッセージにおいて、第２基地局の指示に従って、長いソース識別子、または、長いソース識別子における短いソース識別子以外の内容を報告する。第２基地局は、短いソース識別子を受信した後に、短いソース識別子に従って、第１基地局を決定し、接続コンテキストの転送要求を第１基地局へ送信する。コンテキストを取得できない場合、第２基地局はさらに、長いソース識別子、または、長いソース識別子における短いソース識別子以外の内容を報告するようにＵＥに命令する。このようにして、長いソース識別子が最初に報告されることが防止される。短いソース識別子は、長いソース識別子の部分情報である。例えば、長いソース識別子はＮビットの長さを有し、短いソース識別子は、ＮビットにおけるＭビットであり得る。例えば、短いソース識別子は、長いソース識別子の最下位のＮビットであり得るか、または、長いソース識別子の最上位のＮビットであり得る。ＭはＮより小さい。
【０１４９】
強調されるべきこととして、ＵＥが低オーバーヘッド状態に入った後にセル再選択手順が開始されるかどうかは、ＵＥが移動するかどうかに依存するので、第１事前設定条件が満たされたときのＵＥのサービングセルは、引き続き第１セルであり得るか、または第１セル以外のセルであり得る。従って、第２セルおよび第１セルは、同一セルであり得るか、または、異なるセルであり得る。
【０１５０】
Ｓ２０６：第２セルが属する第２基地局が、低オーバーヘッド状態のユーザ機器ＵＥによって報告されたソース識別子を受信する。
【０１５１】
具体的には、ＵＥが低オーバーヘッド状態に入るとき、第１セルはサービングセルであり、第２セルはＵＥの現在のサービングセルであり、ソース識別子は、第１セルが属する第１基地局においてＵＥを識別する第１ＵＥ識別子を含む。
【０１５２】
任意の実装において、第２基地局が、低オーバーヘッド状態のユーザ機器ＵＥによって報告されたソース識別子を受信する前に、第２基地局はシステム情報ブロードキャストを送信する。システム情報ブロードキャストは、低オーバーヘッド状態のＵＥのアクセスが許可されるという指示を保持し、その結果、ＵＥは、アクセスの指示に従って、ソース識別子を第２基地局へ送信するかどうかを決定する。具体的には、第２基地局は、システム情報ブロードキャストを使用することによって、低オーバーヘッド状態におけるＵＥのアクセスが許可されるかどうかを制御する。従って、ＵＥは、ブロードキャストにおいて保持される指示を決定することによって、ソース識別子を報告できるかどうかを決定する。
【０１５３】
任意の実装において、第２基地局は、低オーバーヘッド状態のユーザ機器ＵＥによって報告されたソース識別子を受信する前に、ＵＥによって送信されたランダムアクセスプリアンブルを受信し、ランダムアクセスプリアンブルが事前設定範囲内に属するときに事前設定サイズ伝送リソースをＵＥに割り当て、その結果、ＵＥが伝送リソースを使用することによってソース識別子を送信する。さらに、事前設定範囲内のランダムアクセスプリアンブルは、予め定義されたプリアンブル、または、第２基地局によって構成された、受信されたプリアンブルである。
【０１５４】
任意の実装において、第２基地局が、低オーバーヘッド状態のユーザ機器ＵＥによって報告されたソース識別子を受信することは、具体的には、第２セルが属する第２基地局が、低オーバーヘッド状態のユーザ機器ＵＥによって送信されたランダムアクセスプリアンブルを受信すること、ランダムアクセスプリアンブルに従って、専用ＵＥ識別子、および、ソース識別子を伝送するために使用される伝送リソースをＵＥに割り当てることであって、専用ＵＥ識別子は、第２セルにおけるＵＥを一意に識別する識別子である、こと、伝送リソースを使用することによってソース識別子を受信すること、ならびに、ソース識別子を含む肯定応答情報をＵＥへ送信することである。さらに、第２基地局が、ソース識別子を含む肯定応答情報をＵＥへ送信することは、具体的には、第２基地局が、低オーバーヘッド状態から出るようにＵＥに命令するために使用される命令を保持する、ソース識別子を含む肯定応答メッセージをＵＥへ送信することであって、その結果、ＵＥが、命令に従って、専用ＵＥ識別子を適用し、低オーバーヘッド状態から出る、ことである。
【０１５５】
任意の実装において、ＵＥによって報告され、第２基地局によって受信されるソース識別子はさらに、無線リソース制御ＲＲＣ構成インデックスを含み、第２基地局は、低オーバーヘッド状態のＵＥによって報告されたソース識別子を受信した後に、ＲＲＣ構成インデックスに従って、ＵＥによって使用されるＲＲＣ構成情報を決定する。
【０１５６】
Ｓ２０７：第２基地局が、ソース識別子に従って、第１ＵＥ識別子を第１基地局へ送信し、ＵＥの現在のサービングセルが第２セルであることを第１基地局に通知する。
【０１５７】
具体的には、第２基地局は、第２基地局と第１基地局との間のインタフェースを使用することによって、第１ＵＥ識別子に従って、ソース識別子を第１基地局へ送信するか、または、コアネットワークを使用することによって、第１ＵＥ識別子に従って、ソース識別子を第１基地局へ送信する。
【０１５８】
任意の実装において、第２基地局は、ソース識別子に従って通知メッセージを第１基地局へ送信する。通知メッセージは、ＵＥのソース識別子と、ＵＥが現在所在する第２セルの第２セル識別子とを保持し、第２セルは、ＵＥが現在キャンプオンしているサービングセルである。第１基地局は、第２基地局によって送信された通知メッセージを受信し、ソース識別子および第２セル識別子に従って、ＵＥが現在キャンプオンしているサービングセルが第２セルであると決定する。さらに、通知メッセージは、ＵＥの検証情報を保持し、検証情報は、ソース識別子、および、接続コンテキストに含まれる鍵に従って、ＵＥによって生成される身元認証情報である。第１基地局は、ソース識別子および検証情報に従って、ＵＥが有効なＵＥかどうかを決定する。
【０１５９】
任意の実装において、ソース識別子に従って、第１ＵＥ識別子を第１基地局へ送信した後に、第２基地局は、第１基地局によって送信された、接続コンテキストと、ＵＥのソース識別子とを受信し、受信された接続コンテキストおよびソース識別子に従って、ＵＥの構成情報を決定し、ソース識別子に従って、ＵＥのアップリンクアクセスを引き起こす。
【０１６０】
本発明のこの実施形態において、本発明において実装されるインタラクション手順は、すべてのステップを同時に実行することに限定されない。すなわち、ＵＥ、第１基地局および第２基地局の処理ステップは、ＵＥ、第１基地局および第２基地局において独立に実行され得る。ＵＥ、第１基地局または第２基地局を含む任意のデバイスの個別の実装は、本発明のこの実施形態の保護範囲内に属する。
【０１６１】
本発明のこの実施形態において、低オーバーヘッド状態が設計され、この状態のＵＥは、接続モードのＵＥの接続コンテキストを記憶し、移動中にセル再選択基準に従ってセルにキャンプオンする。加えて、低オーバーヘッド状態のＵＥは、ソース基地局によって送信されたソース識別子を受信し、特定の条件が満たされたとき、移動中にＵＥの現在のサービング基地局へソース識別子を報告する。最後に、サービング基地局は、ソース識別子をソース基地局へ送信し、その結果、サービング基地局およびソース基地局の両方は、ＵＥの位置情報を認識できる。すなわち、ＵＥが低オーバーヘッド状態に入った後に、ＵＥはセル再選択に基づく移動性管理を自律的に実行し、ＵＥの位置変更情報のみを報告し、これにより、ハンドオーバ手順を簡潔化し、ネットワークデバイスの通信リソースを低減する。
【０１６２】
図３Ａおよび図３Ｂを参照すると、図３Ａおよび図３Ｂは、本発明の実施形態に係る別の移動性管理の方法の概略的フローチャートである。以下では、第１基地局、ＵＥおよび第２基地局の間のインタラクションという観点から、図３Ａから図３Ｂを参照しながら、説明を提供する。図３Ａおよび図３Ｂに示されるように、方法は、以下のステップＳ３０１およびステップＳ３１０を備え得る。
【０１６３】
ステップＳ３０１：第１セルが属する第１基地局が、セルブロードキャストメッセージもしくは専用メッセージを使用することによって、または、ランダムアクセスチャネルＲＡＣＨ手順において、第１セルにおける接続モードのＵＥにソース識別子を割り当てる。
【０１６４】
ステップＳ３０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０１６５】
ステップＳ３０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０１６６】
ステップＳ３０４：第１基地局が、ＵＥが低オーバーヘッド状態に入ったと決定した後に、接続モードのＵＥの接続コンテキストを記憶する。事前設定アクティベーション条件が満たされたとき、ＵＥが低オーバーヘッド状態に入る。ＵＥは、低オーバーヘッド状態において、ＵＥの接続コンテキストを記憶し、移動中にセル再選択基準に従ってセルにキャンプオンする。
【０１６７】
具体的には、ステップＳ３０１からステップＳ３０４については、図２の実施形態におけるステップＳ２０１からステップＳ２０４を対応させて参照されたい。詳細はここでは再度説明しない。
【０１６８】
ステップＳ３０５：このステップは、第１事前設定条件が、ＵＥがアップリンクデータを送信する必要があることであるときのステップＳ２０５における処理を含み、ＵＥが、第２セルが属する第２基地局へソース識別子を報告することはさらに、ソース識別子を報告するとき、または後に、ＵＥが、第２セルが属する第２基地局へアップリンクデータ指示を報告することを含む。
【０１６９】
具体的には、ソース識別子およびアップリンクデータ指示は、同一の報告メッセージまたは異なる報告メッセージにおいて保持され得て、報告メッセージは、ＲＲＣメッセージ、ＭＡＣ制御情報要素、または、物理層制御メッセージであり得る。アップリンクデータ指示は、ＵＥのデータが到達したことを示すために使用されるビットであり得るか、または、データ量の指示であり得る。
【０１７０】
ステップＳ３０６：第２基地局が、ＵＥによって送信された、ソース識別子およびアップリンクデータ指示を受信する。
【０１７１】
ステップＳ３０７：第２基地局が、接続コンテキストのための転送要求を第１基地局へ送信する。ここで、接続コンテキストは、ＵＥが低オーバーヘッド状態に入ったときに第１基地局によって記憶される、接続モードのＵＥの接続コンテキストであり、接続コンテキストの転送要求は、ＵＥのソース識別子を保持する。
【０１７２】
ステップＳ３０８：第１基地局が、第２セルが属する第２基地局によって送信された、接続コンテキストのための転送要求を受信する。ここで、転送要求は、ＵＥのソース識別子を保持し、第２セルは、ＵＥが現在キャンプオンしているセルである。
【０１７３】
ステップＳ３０９：第１基地局が、転送要求に保持されるソース識別子に従って、接続コンテキストを第２基地局へ送信する。
【０１７４】
任意の実装において、第１基地局が接続コンテキストを第２基地局へ送信した後に、第１基地局はさらに、コアネットワークデータ経路のためのハンドオーバ指示を第２基地局へ送信し、その結果、第２基地局は、コアネットワークデータ経路を第２基地局へハンドオーバするかどうかを決定する。
【０１７５】
任意の実装において、第１基地局が接続コンテキストを第２基地局へ送信するとき、前または後に、第１基地局は、ページングパラメータを第２基地局へ送信する。ページングパラメータは、ＵＥのページングインデックス、または、ＵＥのＤＲＸサイクルを含む。第２基地局は、ページングパラメータに従って、ＵＥに対するページングを引き起こし得る。
【０１７６】
ステップＳ３１０：第２基地局が、第１基地局によって転送された接続コンテキストを受信し、接続コンテキストに従ってＵＥとの接続を確立する。
【０１７７】
任意の実装において、第２基地局は、ソース識別子と併せて接続コンテキストに従って、ＵＥの構成情報を決定し、ソース識別子に従ってＵＥのアップリンクアクセスを引き起こす。さらに、ソース識別子に従ってＵＥのアップリンクアクセスを引き起こすことは、具体的には、ソース識別子を使用することによってＵＥをページングすること、または、ソース識別子に従って、ＵＥの専用ＵＥ識別子を決定し、専用ＵＥ識別子を使用することによってアップリンクアクセスコマンドをＵＥへ送信すること、または、ソース識別子に従って、ＵＥの専用ＵＥ識別子を決定し、専用ＵＥ識別子を使用することによってＵＥをページングすることである。
【０１７８】
任意の実装において、第２基地局は、第１基地局によって転送された接続コンテキストを受信した後に、さらに、再割り当てされたソース識別子をＵＥへ送信することであって、再割り当てされたソース識別子は、第２基地局においてＵＥを識別する第２ＵＥ識別子を含む、こと、および、命令をＵＥへ送信して、低オーバーヘッド状態から出るようにＵＥに命令することを含む。
【０１７９】
本発明のこの実施形態において、本発明において実装されるインタラクション手順は、すべてのステップを同時に実行することに限定されない。すなわち、ＵＥ、第１基地局および第２基地局の処理ステップは、ＵＥ、第１基地局および第２基地局において独立に実行され得る。ＵＥ、第１基地局または第２基地局を含む任意のデバイスの別の実装は、本発明のこの実施形態の保護範囲内に属する。
【０１８０】
本発明のこの実施形態において、低オーバーヘッド状態が設計され、この状態のＵＥは、接続モードのＵＥの接続コンテキストを記憶し、移動中にセル再選択基準に従ってセルにキャンプオンする。加えて、低オーバーヘッド状態のＵＥは、ソース基地局によって送信されたソース識別子を受信し、特定の条件が満たされたとき、移動中にＵＥの現在のサービング基地局へソース識別子を報告する。最後に、サービング基地局は、ソース識別子をソース基地局へ送信し、その結果、サービング基地局およびソース基地局の両方は、ＵＥの位置情報を認識できる。すなわち、ＵＥが低オーバーヘッド状態に入った後に、ＵＥはセル再選択に基づく移動性管理を自律的に実行し、ＵＥの位置変更情報のみを報告し、これにより、ハンドオーバ手順を簡潔化し、ネットワークデバイスの通信リソースを低減する。さらに、ＵＥが低オーバーヘッド状態に入った後に、ソース基地局およびＵＥは両方とも、ＵＥの接続コンテキストを記憶するので、ＵＥがアップリンクまたはダウンリンクデータ通信を実行する必要があるとき、ＵＥの接続コンテキストは、データ伝送のために、ＵＥの現在のサービング基地局へハンドオーバでき、これにより、データ伝送効率を保証する。
【０１８１】
図４Ａおよび図４Ｂを参照すると、図４Ａおよび図４Ｂは、本発明の実施形態に係るさらに別の移動性管理の方法の概略的フローチャートである。以下では、第１基地局、ＵＥおよび第２基地局の間のインタラクションという観点から、図４Ａおよび図４Ｂを参照しながら、説明を提供する。図４Ａおよび図４Ｂに示されるように、方法は、以下のステップＳ４０１およびステップＳ４１０を備え得る。
【０１８２】
ステップＳ４０１：第１セルが属する第１基地局が、セルブロードキャストメッセージもしくは専用メッセージを使用することによって、または、ランダムアクセスチャネルＲＡＣＨ手順において、第１セルにおける接続モードのＵＥにソース識別子を割り当てる。
【０１８３】
ステップＳ４０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０１８４】
ステップＳ４０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０１８５】
ステップＳ４０４：第１基地局が、ＵＥが低オーバーヘッド状態に入ったと決定した後に、接続モードのＵＥの接続コンテキストを記憶する。低オーバーヘッド状態において、ＵＥは接続コンテキストを記憶し、移動中にセル再選択基準に従ってセルにキャンプオンする。
【０１８６】
ステップＳ４０５：第１事前設定条件が満たされたとき、ＵＥが、第２セルが属する第２基地局へソース識別子を報告する。第２セルは、ＵＥが現在キャンプオンしているサービングセルである。
【０１８７】
ステップＳ４０６：第２セルが属する第２基地局が、低オーバーヘッド状態のユーザ機器ＵＥによって報告されたソース識別子を受信する。低オーバーヘッド状態において、ＵＥは、接続モードのＵＥの接続コンテキストを記憶し、移動中にセル再選択基準に従ってセルにキャンプオンし、第１セルは、ＵＥが低オーバーヘッド状態に入ったときのサービングセルであり、第２セルは、ＵＥの現在のサービングセルであり、ソース識別子は、第１セルが属する第１基地局においてＵＥを識別する第１ＵＥ識別子を含む。
【０１８８】
ステップＳ４０７：第２基地局が、ソース識別子に従って、第１ＵＥ識別子を第１基地局へ送信する。
【０１８９】
具体的には、ステップＳ４０１からステップＳ４０７については、図２の実施形態におけるステップＳ２０１からステップＳ２０７を対応させて参照されたい。詳細はここでは再度説明しない。
【０１９０】
ステップＳ４０８：ＵＥのダウンリンクデータが第１基地局に到達したとき、第１基地局が、接続コンテキストと、ＵＥのソース識別子とを第２基地局へ送信する。第２基地局は、第２セルが属する基地局である。
【０１９１】
具体的には、ＵＥのダウンリンクデータが第１基地局に到達したとき、第１基地局は、接続コンテキストと、ＵＥのソース識別子とを第２基地局へ送信し、その結果、第２基地局は、接続コンテキストに従って、ＵＥとのデータ通信を実行する。加えて、第１基地局はさらに、ＵＥのダウンリンクデータを第２基地局へ転送し、その結果、ＵＥの現在のサービング基地局である第２基地局は、ダウンリンクデータをＵＥへ送信できる。
【０１９２】
ステップＳ４０９：第１基地局によって送信された、接続コンテキストと、ＵＥのソース識別子とを受信する。
【０１９３】
ステップＳ４１０：受信された接続コンテキスト、および、ソース識別子に従って、ＵＥの構成情報を決定し、ソース識別子に従って、ＵＥのアップリンクアクセスを引き起こす。
【０１９４】
具体的には、ステップＳ４０９およびステップＳ４１０については、図２の実施形態におけるステップＳ２０７を対応させて参照されたい。詳細はここでは再度説明しない。
【０１９５】
本発明のこの実施形態において、本発明において実装されるインタラクション手順は、すべてのステップを同時に実行することに限定されない。すなわち、ＵＥ、第１基地局および第２基地局の処理ステップは、ＵＥ、第１基地局および第２基地局において独立に実行され得る。ＵＥ、第１基地局または第２基地局を含む任意のデバイスの別の実装は、本発明のこの実施形態の保護範囲内に属する。
【０１９６】
本発明のこの実施形態において、低オーバーヘッド状態が設計され、この状態のＵＥは、接続モードのＵＥの接続コンテキストを記憶し、移動中にセル再選択基準に従ってセルにキャンプオンする。加えて、低オーバーヘッド状態のＵＥは、ソース基地局によって送信されたソース識別子を受信し、特定の条件が満たされたとき、移動中にＵＥの現在のサービング基地局へソース識別子を報告する。最後に、サービング基地局は、ソース識別子をソース基地局へ送信し、その結果、サービング基地局およびソース基地局の両方は、ＵＥの位置情報を認識できる。すなわち、ＵＥが低オーバーヘッド状態に入った後に、ＵＥはセル再選択に基づく移動性管理を自律的に実行し、ＵＥの位置変更情報のみを報告し、これにより、ハンドオーバ手順を簡潔化し、ネットワークデバイスの通信リソースを低減する。さらに、ＵＥが低オーバーヘッド状態に入った後に、ソース基地局およびＵＥは両方とも、ＵＥの接続コンテキストを記憶するので、ＵＥがアップリンクまたはダウンリンクデータ通信を実行する必要があるとき、ＵＥの接続コンテキストは、データ伝送のために、ＵＥの現在のサービング基地局へハンドオーバでき、これにより、データ伝送効率を保証する。
【０１９７】
図８Ａおよび図８Ｂを参照すると、図８Ａおよび図８Ｂは、本発明の実施形態に係る別の移動性管理の方法の概略的フローチャートである。以下では、第１基地局、ＵＥおよび第３基地局の間のインタラクションという観点から、図８Ａおよび図８Ｂを参照しながら、説明を提供する。図８Ａおよび図８Ｂに示されるように、方法は、以下のステップＳ５０１およびステップＳ５０６を備え得る。
【０１９８】
ステップＳ５０１：第１セルが属する第１基地局が、セルブロードキャストメッセージもしくは専用メッセージを使用することによって、または、ランダムアクセスチャネルＲＡＣＨ手順において、第１セルにおける接続モードのＵＥにソース識別子を割り当てる。
【０１９９】
ステップＳ５０２：第１セルにおける接続モードのユーザ機器ＵＥが、第１セルが属する第１基地局によって割り当てられたソース識別子を受信する。ソース識別子は、第１基地局のセルにおいてＵＥを一意に識別する第１ＵＥ識別子を含む。
【０２００】
ステップＳ５０３：事前設定アクティベーション条件が満たされたとき、ＵＥが低オーバーヘッド状態に入る。ＵＥは、低オーバーヘッド状態において、接続モードのＵＥの接続コンテキストを記憶し、移動中にセル再選択基準に従ってセルにキャンプオンする。
【０２０１】
ステップＳ５０４：第１基地局が、ＵＥが低オーバーヘッド状態に入ったと決定した後に、接続モードのＵＥの接続コンテキストを記憶する。低オーバーヘッド状態において、ＵＥは接続コンテキストを記憶し、移動中にセル再選択基準に従ってセルにキャンプオンする。
【０２０２】
ステップＳ５０５：第１事前設定条件が満たされたとき、ＵＥが、第２セルが属する第２基地局へソース識別子を報告する。第２セルは、ＵＥが現在キャンプオンしているサービングセルである。
【０２０３】
具体的には、ステップＳ５０１からステップＳ５０５については、図２の実施形態におけるステップＳ２０１からステップＳ２０５を対応させて参照されたい。詳細はここでは再度説明しない。
【０２０４】
ステップＳ５０６：ＵＥのダウンリンクデータが第１基地局に到達したとき、または、コアネットワークからの第１ページングメッセージが第１基地局に到達したとき、第１基地局が、第２ページングメッセージを第３基地局へ送信する。ここで、第３基地局および第１基地局は、同一のページングエリア範囲に属する基地局である。
【０２０５】
任意で、低オーバーヘッド状態のＵＥは、構成に従って、基地局に通知することなく特定エリア範囲内において移動し得る。結果として、第１基地局は、ＵＥの正確な位置を認識できず、特定範囲内のみのＵＥにページングできる。具体的には、ステップＳ５０５において、ＵＥが第１事前設定条件を満たすとき、ＵＥは、第２セルが属する第２基地局へソース識別子を報告する。第１事前設定条件は、ＵＥが現在キャンプオンしている第２セルが、指定されたセルの組の範囲を超えること、または、ＵＥが現在キャンプオンしている第２セルと第１セルとが同一の事前設定エリアもしくは同一の基地局に属さないことを含む。従って、ＵＥは、セルの組の範囲、または、同一の事前設定エリア内を移動しているとき、ＵＥ識別子を第２基地局へ送信しないことがあり得る。結果として、第１基地局は、セルの組の範囲、または、事前設定エリアにおける、ＵＥが所在する特定のセルを認識できない。セルの組の範囲、または、事前設定エリアは、ページングエリアとして定義されている。セルの組の範囲は、ＵＥが低オーバーヘッド状態に入ったときに基地局によってＵＥのために構成され、事前設定エリアは、ＵＥが低オーバーヘッド状態に入ったときにＵＥのサービングセルが所在するエリアである。従って、第１基地局は、第２ページングメッセージを第３基地局へ送信する必要がある。第３基地局は、第２ページングメッセージに従って、ＵＥをページングする。第３基地局がＵＥのページング応答メッセージを受信した場合、第３基地局は、第２ページング応答メッセージを第１基地局へ返し、その結果、第１基地局は、ＵＥが現在、第３基地局に所在することを認識でき、さらに、ＵＥのコンテキストを第３基地局へ送信することを引き起こすことができる。加えて、第１基地局はまた、ＵＥをページングして、ＵＥが第１基地局に所在するかどうかを決定する。
【０２０６】
具体的には、任意で、基地局は、ダウンリンクデータの到着に従ってページングを引き起こす。ページングを引き起こす前に、基地局は、ＵＥのページングパラメータについての情報をコアネットワークから取得する必要がある。ページングパラメータは、ＵＥのページングインデックスまたはＵＥのＤＲＸサイクルを含む。ページングパラメータは、ＵＥのページングオフセットを計算するために使用され、ＤＲＸサイクルは、ＵＥの上位レイヤによって構成されるＤＲＸサイクルである。基地局がコアネットワークから取得する、ＵＥのページングパラメータについての情報の具体的なメッセージは、初期コンテキスト確立メッセージ、または、コンテキスト修正メッセージ、または、Ｅ‐ＲＡＢ確立メッセージ、または、Ｅ‐ＲＡＢ修正メッセージであり得る。
【０２０７】
具体的には、任意で、第１基地局は、コアネットワークからのページングメッセージに従ってページングを引き起こし、第１基地局は、ページングメッセージから、ＵＥのページングパラメータについての情報を取得する。ページングパラメータは、ＵＥのページングインデックスまたはＵＥのＤＲＸサイクルを含む。
【０２０８】
具体的には、任意で、第１基地局によって第３基地局へ送信された第２ページングメッセージは、ページングパラメータを含み、ページングパラメータは、ＵＥのページングインデックスまたはＵＥのＤＲＸサイクルを含む。
【０２０９】
具体的には、任意で、第１基地局によって第３基地局へ送信された第２ページングメッセージは、ページングパラメータを含み、ページングパラメータは、ＵＥのソース識別子を含む。
【０２１０】
本発明のこの実施形態において、本発明において実装されるインタラクション手順は、すべてのステップを同時に実行することに限定されない。すなわち、ＵＥ、第１基地局および第３基地局の処理ステップは、ＵＥ、第１基地局および第３基地局において独立に実行され得る。ＵＥ、第１基地局または第３基地局を含む任意のデバイスの別の実装は、本発明のこの実施形態の保護範囲内に属する。
【０２１１】
本発明のこの実施形態において、低オーバーヘッド状態が設計され、この状態のＵＥは、接続モードのＵＥの接続コンテキストを記憶し、移動中にセル再選択基準に従ってセルにキャンプオンする。すなわち、ＵＥが低オーバーヘッド状態に入った後に、ＵＥはセル再選択に基づく移動性管理を自律的に実行し、ＵＥの位置エリア変更情報のみを報告し、これにより、ハンドオーバ手順を簡潔化し、ネットワークデバイスの通信リソースを低減する。さらに、ＵＥが低オーバーヘッド状態に入った後に、ソース基地局およびＵＥは両方とも、ＵＥの接続コンテキストを記憶するので、ＵＥがアップリンクまたはダウンリンクデータ通信を実行する必要があるとき、ＵＥの接続コンテキストは、データ伝送のために、ＵＥの現在のサービング基地局へハンドオーバでき、これにより、データ伝送効率を保証する。
【０２１２】
本発明の実施形態における方法の実施形態をより良好に実装するべく、本発明はさらに、方法の実施形態を協働的に実装するように構成されている、関連する基地局およびユーザ機器を提供する。以下では、本発明において提供されている関連する基地局およびユーザ機器の概略図である図５、図６および図７を参照しながら、詳細な説明を提供する。
【０２１３】
図５を参照すると、図５は、本発明の実施形態に係る基地局１０を示す。基地局１０は第１基地局であり、基地局１０は出力ユニット１０２、記憶ユニット１０３および処理ユニット１０４を備える。本発明のいくつかの実施形態において、入力ユニット１０２、記憶ユニット１０３および処理ユニット１０４は、バスを使用することによって、または、別の方式で接続され得る。図５は、例としてのバス接続を示す。処理ユニット１０４は、記憶ユニット１０３におけるプログラムコードを呼び出し、以下の動作を実行する。
・出力ユニット１０２を使用することによって、第１セルにおける、接続モードのユーザ機器ＵＥにソース識別子を割り当てる動作であって、ソース識別子は、第１基地局においてＵＥを識別する第１ＵＥ識別子を含む、動作。
・ＵＥが低オーバーヘッド状態に入ったと決定した後に、接続モードのＵＥの接続コンテキストを記憶する動作であって、事前設定アクティベーション条件が満たされたとき、ＵＥは低オーバーヘッド状態に入り、低オーバーヘッド状態において、ＵＥは、接続コンテキストを記憶し、移動中に、セル再選択基準に従って、セルにキャンプオンする、動作。
【０２１４】
任意の解決法において、ソース識別子は、第１セルを識別する第１セル識別子と、第１セルにおいてＵＥを一意に識別する第１ＵＥ識別子とを含み、第１セル識別子は、Ｅ−ＵＴＲＡＮセルグローバル識別子ＥＣＧＩ、物理セル識別子ＰＣＩ、または、エリアの識別子とエリアにおける第１セルの識別子とを含むセル識別子のうちの少なくとも１つを含み、ソース識別子は、第１基地局を一意に識別する第１基地局識別子と、第１基地局においてＵＥを一意に識別する第１ＵＥ識別子とを含む。
【０２１５】
別の任意の解決法において、処理ユニット１０４が、出力ユニット１０２を使用することによって、第１セルにおける接続モードのユーザ機器ＵＥにソース識別子を割り当てるように構成されていることは、具体的には、出力ユニット１０２によって出力されたセルブロードキャストメッセージもしくは専用メッセージを使用することによって、または、ランダムアクセスチャネルＲＡＣＨ手順において、第１セルにおける接続モードのＵＥにソース識別子を割り当てることである。
【０２１６】
別の任意の解決法において、事前設定アクティベーション条件は、以下の条件のうちの少なくとも１つを含む。
・第１基地局が、低オーバーヘッド状態に入るようにＵＥに命令するために使用される制御命令をＵＥへ送信する。
・第１事前設定期間内に第１基地局とＵＥとの間でデータが伝送されなかった。
・第１基地局が、ＵＥのタイミングアドバンスタイマであるＴＡタイマが満了したと決定するか、もしくは、第１基地局が、ＵＥのＴＡタイマが満了し、かつ、ＴＡタイマが第２事前設定期間内に再度作動しなかったと決定する。
・第１基地局が、ＵＥが間欠受信ＤＲＸ状態に入り、かつ、第３事前設定期間内にＤＲＸ状態から出なかったと決定する。
【０２１７】
別の任意の解決法において、処理ユニット１０４はさらに、ＵＥが低オーバーヘッド状態に入ったと決定した後に、出力ユニット１０２を使用することによって、ＵＥが低オーバーヘッド状態において使用するための無線リソース制御ＲＲＣ構成情報をＵＥへ送信するように構成されている。
【０２１８】
別の任意の解決法において、ＲＲＣ構成情報は、ＲＲＣ構成インデックスを含み、構成インデックスは、ＲＲＣ構成情報を示すために使用される。
【０２１９】
別の任意の解決法において、基地局はさらに、入力ユニット１０１を備え、処理ユニット１０４はさらに、ＵＥが低オーバーヘッド状態に入ったと決定した後に、入力ユニット１０１を使用することによって、第２セルが属する第２基地局によって送信された通知メッセージを受信することであって、通知メッセージは、ＵＥのソース識別子と、ＵＥが現在所在する第２セルの第２セル識別子とを保持し、第２セルは、ＵＥが現在キャンプオンしているサービングセルである、こと、ならびに、ソース識別子および第２セル識別子に従って、ＵＥが現在キャンプオンしているサービングセルが第２セルであると決定することを行うように構成されている。
【０２２０】
別の任意の解決法において、処理ユニット１０４はさらに、ソース識別子および第２セル識別子に従って、ＵＥが現在キャンプオンしているサービングセルが第２セルであると決定した後に、ＵＥのダウンリンクデータが第１基地局に到達したときに、出力ユニット１０２を使用することによって、接続コンテキスト、および、ＵＥのソース識別子を第２基地局へ送信することであって、第２基地局は、第２セルが属する基地局である、ことを行うように構成されている。
【０２２１】
別の任意の解決法において、基地局はさらに、入力ユニット１０１を備え、通知メッセージは、ＵＥの検証情報を保持し、検証情報は、ソース識別子、および、接続コンテキストに含まれる鍵に従って、ＵＥによって生成される身元認証情報であり、処理ユニット１０４はさらに、入力ユニット１０１を使用することによって、第２基地局によって送信された通知メッセージを受信した後に、ソース識別子および検証情報に従って、ＵＥが有効なＵＥかどうかを決定するように構成されている。
【０２２２】
別の任意の解決法において、基地局はさらに、入力ユニット１０１を備え、処理ユニット１０４はさらに、ＵＥが低オーバーヘッド状態に入ったと決定した後に、入力ユニット１０１を使用することによって、第２セルが属する第２基地局によって送信された、接続コンテキストのための転送要求を受信することであって、転送要求は、ＵＥのソース識別子を保持し、第２セルは、ＵＥが現在キャンプオンしているセルである、こと、および、出力ユニット１０２を使用することによって、転送要求に保持されるソース識別子に従って、接続コンテキストを第２基地局へ送信することを行うように構成されている。
【０２２３】
別の任意の解決法において、基地局はさらに、入力ユニット１０１を備え、ＵＥのダウンリンクデータが第１基地局に到達したとき、または、コアネットワークからのページングメッセージが第１基地局に到達したとき、処理ユニット１０４はさらに、出力ユニット１０２を使用することによって、ページングメッセージを第３基地局へ送信するように構成され、第３基地局および第１基地局は、同一のページングエリア範囲に属する基地局である。
【０２２４】
入力ユニット１０１は、ＵＥのページング応答メッセージを第３基地局から受信するように構成され、その結果、第１基地局は、ＵＥが現在、第３基地局に所在すると認識できる。
【０２２５】
入力ユニット１０１はさらに、ダウンリンクデータが第１基地局に到達する前に、第１基地局が、ＵＥのページングパラメータについての情報をコアネットワークから取得する必要があるように構成されている。ページングパラメータは、ＵＥのページングインデックス、または、ＵＥのＤＲＸサイクルを含む。
【０２２６】
基地局１０におけるユニットの機能については、図２における方法の実施形態における具体的な実装が対応させて参照されることを理解されたい。詳細はここでは再度説明しない。
【０２２７】
図６を参照すると、図６は、本発明の実施形態に係るユーザ機器ＵＥ２０を示す。ＵＥ２０は、入力ユニット２０１、出力ユニット２０２、記憶ユニット２０３および処理ユニット２０４を備え得る。本発明のいくつかの実施形態において、入力ユニット２０１、出力ユニット２０２、記憶ユニット２０３および処理ユニット２０４は、バスを使用することによって、または、別の方式で接続される。バスは、これらのコンポーネントの間の通信接続を実装するように構成されている。入力ユニット２０１は、具体的には、ＵＥのタッチパネル上における動作命令を検出するように構成されているタッチスクリーンを含む、ＵＥのタッチパネルであり得る。出力ユニット２０２は、画像またはデータを出力および表示するように構成されている、ＵＥのディスプレイ（Ｄｉｓｐｌａｙ）を含み得る。記憶ユニット２０３は、高速ＲＡＭメモリであり得るか、または、不揮発性メモリ（ｎｏｎ−ｖｏｌａｔｉｌｅ  ｍｅｍｏｒｙ）、例えば、少なくとも１つの磁気ストレージであり得る。任意で、記憶ユニット２０３は、処理ユニット２０４から遠く離れた少なくとも１つの記憶装置であり得る。図６に示されているように、コンピュータ記憶媒体としての記憶ユニット２０３は、オペレーティングシステム、ネットワーク通信モジュール、ユーザインタフェースモジュール、および、データ処理プログラムを含み得る。
【０２２８】
図６におけるＵＥの処理ユニット２０４は、記憶ユニット２０３におけるプログラムコードを呼び出し、以下の動作を実行する。
・入力ユニット２０１を使用することによって、第１セルが属する第１基地局によって割り当てられたソース識別子を受信し、ソース識別子は、第１基地局のセルにおいてＵＥを一意に識別する第１ＵＥ識別子を含む。
・事前設定アクティベーション条件が満たされたとき、ＵＥが低オーバーヘッド状態に入ることを可能にし、低オーバーヘッド状態において、ＵＥは、接続モードのＵＥの接続コンテキストを記憶し、移動中にセル再選択基準に従ってセルにキャンプオンする。
・第１事前設定条件が満たされたとき、出力ユニット２０２を使用することによって、第２セルが属する第２基地局へソース識別子を報告し、第２セルは、ＵＥが現在キャンプオンしているサービングセルである。
【０２２９】
任意の解決法において、ソース識別子は、第１セルを識別する第１セル識別子と、第１セルにおいてＵＥを一意に識別する第１ＵＥ識別子とを含み、第１セル識別子は、Ｅ−ＵＴＲＡＮセルグローバル識別子ＥＣＧＩ、物理セル識別子ＰＣＩ、または、エリアの識別子とエリアにおける第１セルの識別子とを含むセル識別子のうちの少なくとも１つを含み、ソース識別子は、第１基地局を一意に識別する第１基地局識別子と、第１基地局においてＵＥを一意に識別する第１ＵＥ識別子とを含む。
【０２３０】
別の任意の解決法において、事前設定アクティベーション条件は以下の条件のうちの少なくとも１つを含む。
・ＵＥが、低オーバーヘッド状態に入るように命令するために使用される制御命令を第１基地局から受信する。
・ＵＥが第１セルから去る。
・第１事前設定期間内に、ＵＥと第１基地局との間でデータが伝送されなかった。
・ＵＥのタイミングアドバンスタイマであるＴＡタイマが満了するか、もしくは、ＵＥのＴＡタイマが満了し、かつ、ＴＡタイマが第２事前設定期間内に再び作動しなかった。
・ＵＥが間欠受信ＤＲＸ状態に入り、かつ、第３事前設定期間内にＤＲＸ状態から出なかった。
【０２３１】
別の任意の解決法において、処理ユニット２０４はさらに、事前設定アクティベーション条件が満たされたときにＵＥが低オーバーヘッド状態に入った後に、第２事前設定条件が満たされたときにＵＥが低オーバーヘッド状態から出ることを可能にするように構成され、第２事前設定条件は、以下を含む。
・ＵＥが現在キャンプオンしているサービングセルが変化する。または、
・ＵＥが現在キャンプオンしているサービングセルが、指定されたセルの組の範囲を超える。または、
・ＵＥが現在キャンプオンしているサービングセルと第１セルとが同一の事前設定エリアもしくは同一の基地局に属していない。または、
・ＵＥがソース識別子を第２基地局へ送信し、ソース識別子についてのアクセス拒否指示を第２基地局から受信する。または、
・ＵＥが第２セルのシステム情報ブロードキャストを読み取り、システム情報ブロードキャストは、低オーバーヘッド状態のＵＥのアクセスが許可されるという指示を保持しない。または、
・ＵＥがアップリンクデータを送信する必要がある。または、
・ＵＥが参照信号測定結果を取得し、参照信号測定結果と第１の予め定められた閾値との間の比較の結果が事前設定結果と一致する。
【０２３２】
別の任意の解決法において、処理ユニット２０４が、第２事前設定条件が満たされたときにＵＥが低オーバーヘッド状態から出ることを可能にするように構成されていることは、具体的には、第２事前設定条件が満たされたときに、接続コンテキストを消去し、ＵＥがアイドルモードに入ることを可能にすることである。
【０２３３】
別の任意の解決法において、第１事前設定条件は、ＵＥが現在キャンプオンしているサービングセルが変化すること、または、ＵＥが現在キャンプオンしている第２セルが、指定されたセルの組の範囲を超えること、または、ＵＥが現在キャンプオンしている第２セルと第１セルとが同一の事前設定エリアもしくは同一の基地局に属さないこと、または、ＵＥがアップリンクデータを送信する必要があることを含む。
【０２３４】
別の任意の解決法において、処理ユニット２０４はさらに、第１事前設定条件が満たされたとき、出力ユニット２０２を使用することによって、第２セルが属する第２基地局へソース識別子を報告する前に、入力ユニット２０１を使用することによって、第２セルのシステム情報ブロードキャストを受信して読み取るように、ならびに、低オーバーヘッド状態のＵＥのアクセスが許可されるという指示をシステム情報ブロードキャストが保持している場合、出力ユニット２０２を使用することによって、アクセスの指示に従って、ソース識別子を第２基地局へ送信することを決定するように構成されている。
【０２３５】
別の任意の実装において、出力ユニット２０２を使用することによって、第２セルが属する第２基地局へソース識別子が報告される前に、入力ユニット２０１を使用することによって参照信号測定結果が取得され、第１の予め定められた閾値と比較され、比較の結果に従って、出力ユニット２０２を使用することによってソース識別子を第２基地局へ送信することが決定される。
【０２３６】
別の任意の解決法において、処理ユニット２０４はさらに、第１事前設定条件が満たされたとき、出力ユニット２０２を使用することによって、第２セルが属する第２基地局へソース識別子を報告する前に、出力ユニット２０２を使用することによって、事前設定範囲内のランダムアクセスプリアンブルを第２基地局へ送信することであって、事前設定範囲内のランダムアクセスプリアンブルは、ソース識別子が第２基地局へ送信される必要があること、または、事前設定された長さの閾値より大きい長さのメッセージが第２基地局へ送信される必要があることを示すために使用される、こと、入力ユニット２０１を使用することによって、第２基地局によって割り当てられた、ソース識別子を伝送するために使用される事前設定サイズ伝送リソースを受信すること、および、出力ユニット２０２を使用することによって、伝送リソースを使用することによってソース識別子を第２基地局へ送信することを行うように構成されている。
【０２３７】
別の任意の解決法において、事前設定範囲内のランダムアクセスプリアンブルは、予め定義されたプリアンブル、または、第２基地局によって構成された、受信されたプリアンブルである。
【０２３８】
別の任意の解決法において、処理ユニット２０４が、第２セルが属する第２基地局へソース識別子を報告するように構成されていることは、具体的には、出力ユニット２０２を使用することによって、ランダムアクセスプリアンブルを第２基地局へ送信すること、入力ユニット２０１を使用することによって、第２基地局によって送信された専用ＵＥ識別子と、第２基地局によって送信された、ランダムアクセスプリアンブルに従って割り当てられた、ソース識別子を伝送するために使用される伝送リソースとを受信することであって、専用ＵＥ識別子は、第２セルにおいてＵＥを一意に識別する識別子である、こと、出力ユニット２０２を使用することによって、伝送リソースを使用することによってソース識別子を第２基地局へ送信すること、入力ユニット２０１を使用することによって、第２基地局によって送信された、ソース識別子を含む肯定応答情報を受信すること、および、肯定応答情報に従って、専用ＵＥ識別子を適用するかどうかを決定することである。
【０２３９】
別の任意の解決法において、処理ユニット２０４が、肯定応答情報に従って、専用ＵＥ識別子を適用するかどうかを決定するように構成されていることは、具体的には、処理ユニット２０４が、肯定応答情報に従って専用ＵＥ識別子を適用することを省略すること、または、処理ユニット２０４が、肯定応答情報に従って、専用ＵＥ識別子を適用し、低オーバーヘッド状態から出ること、または、処理ユニット２０４が、肯定応答情報に従って、専用ＵＥ識別子を適用し、低オーバーヘッド状態に留まること、または、処理ユニット２０４が、低オーバーヘッド状態から出るようにＵＥに命令するために使用される、肯定応答情報に保持される命令に従って、専用ＵＥ識別子を適用し、低オーバーヘッド状態から出ることである。
【０２４０】
別の任意の解決法において、処理ユニット２０４はさらに、ＵＥが専用ＵＥ識別子を適用した後に、現在キャンプオンしているサービングセルのセル識別子に従って、接続コンテキストにおける鍵を更新するように構成されている。
【０２４１】
別の任意の解決法において、ソース識別子はさらに、検証情報を含み、検証情報は、ソース識別子、および、更新された鍵に従って、ＵＥによって生成される身元認証情報である。
【０２４２】
別の任意の解決法において、処理ユニット２０４はさらに、事前設定アクティベーション条件が満たされたときにＵＥが低オーバーヘッド状態に入った後に、ソース識別子を使用することによって、ページングのリッスンを実行するように構成されている。
【０２４３】
別の任意の解決法において、処理ユニット２０４はさらに、入力ユニット２０１を使用することによって、第１基地局によって送信された無線リソース制御ＲＲＣ構成情報を受信することであって、ＲＲＣ構成情報はＲＲＣ構成インデックスを含み、構成インデックスはＲＲＣ構成情報を示すために使用される、こと、および、低オーバーヘッド状態においてＵＥがＲＲＣ構成情報を使用することを可能にすることを行うように構成されている。
【０２４４】
別の任意の解決法において、処理ユニット２０４が、第１事前設定条件が満たされたとき、第２セルが属する第２基地局へソース識別子を報告するように構成されていることは、具体的には、出力ユニット２０２を使用することによって、ＲＲＣ構成インデックスを含むソース識別子を、第２セルが属する第２基地局へ報告し、その結果、第２基地局が、ＲＲＣ構成インデックスに従って、ＵＥによって使用されるＲＲＣ構成情報を決定することである。
【０２４５】
別の任意の解決法において、第１事前設定条件は、ＵＥがアップリンクデータを送信する必要があることであり、処理ユニット２０４が、第２セルが属する第２基地局へソース識別子を報告するように構成されていることは、具体的には、出力ユニット２０２を使用することによって、第２セルが属する第２基地局へ、ソース識別子を含むアップリンクデータ指示を報告することである。
【０２４６】
別の任意の解決法において、第１事前設定条件は、ＵＥがアップリンクデータを送信する必要があることであり、処理ユニット２０４が、第２セルが属する第２基地局へソース識別子を報告するように構成されていることは、具体的には、出力ユニット２０２を使用することによって、第２基地局によって送信された指示情報に従って、第２セルが属する第２基地局へ長いソース識別子または短いソース識別子を報告することである。
【０２４７】
ユーザ機器ＵＥ２０におけるユニットの機能については、図３Ａおよび図３Ｂにおける方法の実施形態における具体的な実装が対応させて参照されることを理解されたい。詳細はここでは再度説明しない。
【０２４８】
図７を参照すると、図７は、本発明の実施形態に係る基地局３０を示す。基地局３０は第２基地局であり、基地局３０は、入力ユニット３０１、出力ユニット３０２、記憶ユニット３０３および処理ユニット３０４を備える。本発明のいくつかの実施形態において、入力ユニット３０１、出力ユニット３０２、記憶ユニット３０３および処理ユニット３０４は、バスを使用することによって、または、別の方式で接続され得る。図７は、例としてのバス接続を示す。処理ユニット３０４は、記憶ユニット３０３におけるプログラムコードを呼び出し、以下の動作を実行する。
・入力ユニット３０１を使用することによって、低オーバーヘッド状態のユーザ機器ＵＥによって報告されたソース識別子を受信し、低オーバーヘッド状態において、ＵＥは、接続モードのＵＥの接続コンテキストを記憶し、移動中にセル再選択基準に従ってセルにキャンプオンし、第１セルは、ＵＥが低オーバーヘッド状態に入ったときのサービングセルであり、第２セルは、ＵＥの現在のサービングセルであり、ソース識別子は、第１セルが属する第１基地局においてＵＥを識別する第１ＵＥ識別子を含む。
・出力ユニット３０２を使用することによって、ソース識別子に従って、第１ＵＥ識別子を第１基地局へ送信し、ＵＥの現在のサービングセルが第２セルであることを第１基地局に通知する。
【０２４９】
任意の解決法において、ソース識別子は、第１セルを識別する第１セル識別子と、第１セルにおいてＵＥを一意に識別する第１ＵＥ識別子とを含み、第１セル識別子は、Ｅ−ＵＴＲＡＮセルグローバル識別子ＥＣＧＩ、物理セル識別子ＰＣＩ、または、エリアの識別子とエリアにおける第１セルの識別子とを含むセル識別子のうちの少なくとも１つを含み、ソース識別子は、第１基地局を一意に識別する第１基地局識別子と、第１基地局においてＵＥを一意に識別する第１ＵＥ識別子とを含む。
【０２５０】
別の任意の解決法において、ソース識別子はさらに、指示情報を含み、指示情報は、ＵＥが低オーバーヘッド状態にあることを第２基地局に通知するために使用される。
【０２５１】
別の任意の解決法において、処理ユニット３０４はさらに、入力ユニット３０１を使用することによって、低オーバーヘッド状態のユーザ機器ＵＥによって報告されたソース識別子を受信する前に、出力ユニット３０２を使用することによってシステム情報ブロードキャストを送信し、システム情報ブロードキャストは、低オーバーヘッド状態のＵＥのアクセスが許可されるという指示を保持することであって、その結果、ＵＥは、アクセスの指示に従って、ソース識別子を第２基地局へ送信するかどうかを決定する、ことを行うように構成されている。
【０２５２】
別の任意の解決法において、処理ユニット３０４はさらに、入力ユニット３０１を使用することによって、低オーバーヘッド状態のユーザ機器ＵＥによって報告されたソース識別子を受信する前に、入力ユニット３０１を使用することによって、ＵＥによって送信されたランダムアクセスプリアンブルを受信すること、および、ランダムアクセスプリアンブルが事前設定範囲内に属するとき、出力ユニット３０２を使用することによって事前設定サイズ伝送リソースをＵＥに割り当てることであって、その結果、ＵＥは伝送リソースを使用することによってソース識別子を送信する、ことを行うように構成されている。
【０２５３】
別の任意の解決法において、事前設定範囲内のランダムアクセスプリアンブルは、予め定義されたプリアンブル、または、第２基地局によって構成された、受信されたプリアンブルである。
【０２５４】
別の任意の解決法において、処理ユニット３０４が、入力ユニット３０１を使用することによって、低オーバーヘッド状態のユーザ機器ＵＥによって報告されたソース識別子を受信するように構成されていることは、具体的には、入力ユニット３０１を使用することによって、低オーバーヘッド状態のユーザ機器ＵＥによって送信されたランダムアクセスプリアンブルを受信すること、出力ユニット３０２を使用することによって、ランダムアクセスプリアンブルに従って、専用ＵＥ識別子、および、ソース識別子を伝送するために使用される伝送リソースをＵＥに割り当てることであって、専用ＵＥ識別子は、第２セルにおいてＵＥを一意に識別する識別子である、こと、入力ユニット３０１を使用することによって、伝送リソースを使用することによってソース識別子を受信すること、ならびに、出力ユニット３０２を使用することによって、ソース識別子を含む肯定応答情報をＵＥへ送信することである。
【０２５５】
別の任意の解決法において、処理ユニット３０４が、出力ユニット３０２を使用することによって、ソース識別子を含む肯定応答情報をＵＥへ送信することは、具体的には、出力ユニット３０２を使用することによって、低オーバーヘッド状態から出るようにＵＥに命令するために使用される命令を保持する、ソース識別子を含む肯定応答メッセージをＵＥへ送信することであって、その結果、ＵＥは命令に従って、専用ＵＥ識別子を適用し、低オーバーヘッド状態から出る、ことである。
【０２５６】
別の任意の解決法において、処理ユニット３０４が出力ユニット３０２を使用することによって、ソース識別子に従って、第１ＵＥ識別子を第１基地局へ送信することは、具体的には、出力ユニット３０２を使用することによって、ソース識別子に従って、通知メッセージを第１基地局へ送信することであって、通知メッセージは、ＵＥのソース識別子と、ＵＥが現在所在する第２セルの第２セル識別子とを保持し、その結果、第１基地局は、ソース識別子および第２セル識別子に従って、ＵＥが現在キャンプオンしているサービングセルが第２セルであると決定する、ことである。
【０２５７】
別の任意の解決法において、処理ユニット３０４はさらに、出力ユニット３０２を使用することによって、ソース識別子に従って、第１ＵＥ識別子を第１基地局へ送信した後に、ＵＥによって送信された、ソース識別子を含むアップリンクデータ指示を受信すること、出力ユニット３０２を使用することによって、接続コンテキストのための転送要求を第１基地局へ送信することであって、接続コンテキストは、ＵＥが低オーバーヘッド状態に入ったときに第１基地局によって記憶される、接続モードのＵＥの接続コンテキストであり、接続コンテキストの転送要求は、ＵＥのソース識別子を保持する、こと、および、入力ユニット３０１を使用することによって、第１基地局によって転送された接続コンテキストを受信し、接続コンテキストに従って、ＵＥとの接続を確立することを行うように構成されている。
【０２５８】
別の任意の解決法において、処理ユニット３０４はさらに、入力ユニット３０１を使用することによって、第１基地局によって転送された接続コンテキストを受信した後に、出力ユニット３０２を使用することによって、再割り当てされたソース識別子をＵＥへ送信することであって、再割り当てされたソース識別子は、第２基地局においてＵＥを識別する第２ＵＥ識別子を含む、こと、および、出力ユニット３０２を使用することによって、ＵＥへ命令を送信し、低オーバーヘッド状態から出るようにＵＥに命令することを行うように構成されている。
【０２５９】
別の任意の解決法において、処理ユニット３０４はさらに、出力ユニット３０２を使用することによって、ソース識別子に従って、第１ＵＥ識別子を第１基地局へ送信した後に、入力ユニット３０２を使用することによって、第１基地局によって送信された、接続コンテキスト、および、ＵＥのソース識別子を受信すること、ならびに、受信された接続コンテキストおよびソース識別子に従って、ＵＥの構成情報を決定し、ソース識別子に従って、ＵＥのアップリンクアクセスを引き起こすことを行うように構成されている。
【０２６０】
別の任意の解決法において、処理ユニット３０４が、ソース識別子に従ってＵＥのアップリンクアクセスを引き起こすように構成されていることは、具体的には、ソース識別子を使用することによってＵＥをページングすること、または、ソース識別子に従って、ＵＥの専用ＵＥ識別子を決定し、専用ＵＥ識別子を使用することによってアップリンクアクセスコマンドをＵＥへ送信すること、または、ソース識別子に従って、ＵＥの専用ＵＥ識別子を決定し、専用ＵＥ識別子を使用することによってＵＥをページングすることである。
【０２６１】
別の任意の解決法において、ソース識別子はさらに、無線リソース制御ＲＲＣ構成インデックスを含み、処理ユニット３０４はさらに、入力ユニット３０２を使用することによって、低オーバーヘッド状態のユーザ機器ＵＥによって報告されたソース識別子を受信した後に、ＲＲＣ構成インデックスに従って、ＵＥによって使用されるＲＲＣ構成情報を決定するように構成されている。
【０２６２】
別の任意の解決法において、処理ユニット３０４が、出力ユニット３０２を使用することによって、ソース識別子に従って第１ＵＥ識別子を第１基地局へ送信するように構成されていることは、具体的には、出力ユニット３０２を使用することによって、第２基地局と第１基地局との間のインタフェースを使用することによって、第１ＵＥ識別子に従ってソース識別子を第１基地局へ送信すること、または、出力ユニット３０２を使用することによって、コアネットワークを使用することによって第１ＵＥ識別子に従ってソース識別子を第１基地局へ送信することである。
【０２６３】
基地局３０におけるユニットの機能については、図４Ａおよび図４Ｂにおける方法の実施形態における具体的な実装が対応させて参照されることを理解されたい。詳細はここでは再度説明しない。
【０２６４】
本発明の上述の方法の実施形態は、プロセッサに適用されてよく、またはプロセッサによって実装されてよいことに留意すべきである。プロセッサは、集積回路チップであってよく、信号処理能力を有する。実装プロセスにおいて、上述の方法の実施形態の各段階は、プロセッサにおけるハードウェア統合論理回路を用いることによって、またはソフトウェア形態の命令を用いることによって、実装されてよい。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートゲートもしくはトランジスタロジックデバイス、またはディスクリートハードウェアコンポーネントであってよい。プロセッサは、本発明の実施形態において開示される方法、ステップおよび概略的な論理ブロック図を実装または実行してよい。汎用プロセッサは、マイクロプロセッサであってよく、または、プロセッサは、任意の通常のプロセッサなどであってよい。本発明の実施形態に関連して開示される方法の段階は、ハードウェアデコードプロセッサを用いることによって直接実行および実現されてよく、または、デコードプロセッサにおけるハードウェアおよびソフトウェアモジュールの組み合わせを用いることによって、実行および実現されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの、当技術分野において成熟した記憶媒体に配置されてよい。記憶媒体は、メモリに配置され、プロセッサは、メモリ内の情報を読み出し、プロセッサのハードウェアとの組み合わせにより、上述の方法の段階を完了させる。
【０２６５】
本発明の実施形態におけるメモリは、揮発性メモリもしくは不揮発性メモリであってよく、または、揮発性メモリおよび不揮発性メモリの両方を含んでよいことが理解されよう。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、またはフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして用いられる。例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクロナスリンクダイナミックランダムアクセスメモリ（Ｓｙｎｃｈｌｉｎｋ  ＤＲＡＭ、ＳＬＤＲＡＭ）、およびダイレクトランバスランダムアクセスメモリ（Ｄｉｒｅｃｔ  Ｒａｍｂｕｓ  ＲＡＭ、ＤＲ  ＲＡＭ）のような多くの形式のＲＡＭが、使用されてよいが、これは、例であって、限定的な説明ではない。本明細書において説明されるシステムおよび方法におけるメモリは、限定されるものではないが、これらのメモリおよび好適な種類の任意の他のメモリを含むことを意図することに留意すべきである。
【０２６６】
当業者であれば認識し得るように、本明細書において開示された実施形態において説明された例と組み合わせて、電子的ハードウェア、またはコンピュータソフトウェアと電子的ハードウェアとの組み合わせによって、ユニットおよびアルゴリズムのステップが実装されてよい。機能がハードウェアまたはソフトウェアのいずれによって実行されるかは、技術的解決法の特定の適用および設計の制約条件に依存する。当業者であれば、異なる方法を用いて、特定の適用の各々について、説明された機能を実装しよう。しかしながら、そのような実装が、本発明の範囲を超えるものとみなされるべきではない。
【０２６７】
当業者ならば明確に理解すると考えられるように、説明を簡便かつ簡潔にする目的で、上述のシステム、装置、およびユニットの詳細な動作プロセスについては、上述の方法の実施形態における対応するプロセスを参照されたい。詳細は再度ここでは説明されない。
【０２６８】
本願において提供されるいくつかの実施形態において、開示されるシステム、装置、および方法は、他の方式で実装されてよいことを理解すべきである。例えば、説明された装置の実施形態は、例に過ぎない。例えば、ユニットの分割は、論理的機能の分割に過ぎず、実際の実装においては他の分割であってよい。例えば、複数のユニットまたはコンポーネントは、別のシステムと組み合わせられまたは統合されてよい。または、いくつかの特徴は、無視されてよく、または、実行されなくてよい。加えて、表示または説明された相互結合または直接的な結合もしくは通信接続は、いくつかのインタフェースを使用することによって実装されてよい。装置間またはユニット間の間接連結または通信接続は、電子的、機械的、または他の形式で、実装されてよい。
【０２６９】
別個の部分として説明されたユニットは、物理的に分かれていてもそうでなくてもよく、また、ユニットとして表示された部分は、物理的なユニットであってもそうでなくてもよく、１箇所に所在していてもよく、または、複数のネットワークユニットにおいて分散されていてもよい。実施形態の解決法の目的を達成するための実際の要件に従って、ユニットの一部または全部が選択されてよい。
【０２７０】
加えて、本発明の実施形態の機能ユニットが１つの処理ユニットに統合されてよく、または、当該ユニットの各々が物理的に単独で存在してよく、または、２またはそれより多くのユニットが１つのユニットに統合される。
【０２７１】
機能がソフトウェア機能ユニットの形態で実装され、単独の製品として販売または使用される場合、機能は、コンピュータ可読記憶媒体に記憶されてよい。そのような理解に基づいて、本質的に本発明の技術的解決法は、または従来技術に寄与する部分は、または技術的解決法のいくつかは、ソフトウェア製品の形態で実装されてよい。コンピュータソフトウェア製品は記憶媒体に記憶され、本発明の実施形態において説明された方法の段階の全部または一部を実行するよう、（パーソナルコンピュータ、サーバ、またはネットワークデバイスであってよい）コンピュータデバイスに命令するためのいくつかの命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶可能なあらゆる媒体を含む。
【０２７２】
上述の説明は、本発明の具体的な実装に過ぎず、本発明の保護範囲を限定することを意図するものではない。本発明において開示される技術的範囲内において当業者により容易に想到されるあらゆる変形または置き換えは、本発明の保護範囲に属するものとする。従って、本発明の保護範囲は、特許請求の範囲の保護範囲によって決まるものとする。
（項目１）
第１セルが属する第１基地局が、上記第１セルにおける接続モードの端末にソース識別子を割り当てる段階であって、上記ソース識別子は、上記第１基地局において上記端末を識別する第１端末識別子を含む、段階と、
上記端末が低オーバーヘッド状態に入ったと決定された後に、上記接続モードの上記端末の接続コンテキストを記憶する段階であって、上記端末は、事前設定アクティベーション条件が満たされたときに上記低オーバーヘッド状態に入り、上記低オーバーヘッド状態において、上記端末は上記接続コンテキストを記憶し、移動中にセル再選択基準に従ってセルにキャンプオンする、段階と
を備える移動性管理の方法。
（項目２）
上記ソース識別子は、上記第１セルを識別する第１セル識別子と、上記第１セルにおいて上記端末を一意に識別する上記第１端末識別子とを含み、上記第１セル識別子は、セルグローバル識別子ＥＣＧＩ、物理セル識別子ＰＣＩ、もしくは、エリアの識別子と上記エリアにおける上記第１セルの識別子とを含むセル識別子のうちの少なくとも１つを含み、または、
上記ソース識別子は、上記第１基地局を一意に識別する第１基地局識別子と、上記第１基地局において上記端末を一意に識別する上記第１端末識別子とを含む、
項目１に記載の方法。
（項目３）
第１セルが属する第１基地局が、上記第１セルにおける接続モードの端末にソース識別子を割り当てる上記段階は、
上記第１セルが属する上記第１基地局が、セルブロードキャストメッセージもしくは専用メッセージを使用することによって、または、ランダムアクセスチャネルＲＡＣＨ手順において、上記第１セルにおける上記接続モードの上記端末に上記ソース識別子を割り当てる段階を含む、
項目１または２に記載の方法。
（項目４）
上記事前設定アクティベーション条件は、
上記第１基地局が、上記低オーバーヘッド状態に入るように上記端末に命令するために使用される制御命令を上記端末へ送信すること、
第１事前設定期間内に上記第１基地局と上記端末との間でデータが伝送されなかったこと、
上記第１基地局が、上記端末のタイミングアドバンスタイマであるＴＡタイマが満了したと決定するか、もしくは、上記第１基地局が、上記端末のＴＡタイマが満了したと決定し、かつ、上記ＴＡタイマが第２事前設定期間内に再度作動しなかったと決定すること、または、
上記第１基地局が、上記端末が間欠受信ＤＲＸ状態に入り、かつ、第３事前設定期間内に上記ＤＲＸ状態から出なかったと決定すること
のうちの少なくとも１つの条件を含む、項目１から３のいずれか一項に記載の方法。
（項目５）
第１セルが属する第１基地局が、上記第１セルにおける接続モードの端末にソース識別子を割り当てる上記段階はさらに、
上記第１セルが属する上記第１基地局が、上記第１セルにおける上記接続モードの上記端末に短いソース識別子および長いソース識別子を割り当てる段階を含む、
項目１から３のいずれか一項に記載の方法。
（項目６）
上記第１基地局が、上記端末が上記低オーバーヘッド状態において使用するための無線リソース制御ＲＲＣ構成情報を上記端末へ送信する段階をさらに備える、項目１から３のいずれか一項に記載の方法。
（項目７）
上記ＲＲＣ構成情報は、ＲＲＣ構成インデックスを含み、上記構成インデックスは、上記ＲＲＣ構成情報を示すために使用される、項目６に記載の方法。
（項目８）
上記第１基地局が、上記低オーバーヘッド状態の上記端末のアクセスが許可されるという指示を上記端末へ送信する段階、または、
上記第１基地局が、上記低オーバーヘッド状態の上記端末が報告することを許可されているソース識別子の種類を上記端末へ送信する段階であって、上記ソース識別子の種類は、上記短いソース識別子もしくは上記長いソース識別子を含む、段階
をさらに備える、項目１から７のいずれか一項に記載の方法。
（項目９）
上記端末が低オーバーヘッド状態に入ったと決定した後に、さらに、
上記端末のダウンリンクデータが上記第１基地局に到達したとき、または、コアネットワークからの第１ページングメッセージが受信された後に、上記第１基地局が、第２ページングメッセージを第３基地局へ送信する段階であって、上記第３基地局および上記第１基地局は同一のページングエリアに属する、段階を備える、
項目１から７のいずれか一項に記載の方法。
（項目１０）
上記端末の上記ダウンリンクデータが上記第１基地局に到達するか、または、上記コアネットワークからの上記ページングメッセージが受信される前に、さらに、
上記コアネットワークによって送信された、ページングパラメータについての情報を受信する段階であって、上記ページングパラメータは、上記端末のページングインデックス、または、上記端末のＤＲＸサイクルを含み、上記ページングは、上記端末のページングオフセットを計算するために使用される、段階を備える、
項目９に記載の方法。
（項目１１）
上記第２ページングメッセージは、ページングパラメータ、ＴＭＳＩ、および／または、上記端末の上記ソース識別子を含み、上記ページングパラメータは、上記端末のページングインデックス、および／または、上記端末のＤＲＸサイクルを含む、項目９に記載の方法。
（項目１２）
上記第１基地局が第２ページングメッセージを第３基地局へ送信する上記段階の後に、さらに、
上記第３基地局によって送信されたページング応答メッセージを受信し、上記ページング応答メッセージに従って、上記端末が現在、上記第３基地局に所在すると決定する段階を備える、
項目１１に記載の方法。
（項目１３）
上記端末が低オーバーヘッド状態に入ったと決定した後に、さらに、
上記第１基地局が、上記第２セルが属する第２基地局によって送信された通知メッセージを受信する段階であって、上記通知メッセージは、上記端末の上記ソース識別子、および、上記端末が現在所在している上記第２セルの第２セル識別子を保持し、上記第２セルは、上記端末が現在キャンプオンしているサービングセルである、段階と、
上記第１基地局が、上記ソース識別子および上記第２セル識別子に従って、上記端末が現在キャンプオンしている上記サービングセルが上記第２セルであると決定する段階と
を備える、項目１から７のいずれか一項に記載の方法。
（項目１４）
上記第１基地局が、上記ソース識別子および上記第２セル識別子に従って、上記端末が現在キャンプオンしている上記サービングセルが上記第２セルであると決定した後に、さらに、
上記端末のダウンリンクデータが上記第１基地局に到達したときに、上記第１基地局が、上記接続コンテキストと、上記端末の上記ソース識別子とを上記第２基地局へ送信する段階であって、上記第２基地局は、上記第２セルが属する基地局である、段階を備える、
項目１３に記載の方法。
（項目１５）
上記通知メッセージは、上記端末の検証情報を保持し、上記検証情報は、上記ソース識別子、および、上記接続コンテキストに含まれる鍵に従って上記端末によって生成される身元認証情報であり、
上記第１基地局が、第２基地局によって送信された通知メッセージを受信する上記段階の後に、上記方法はさらに、上記第１基地局が、上記ソース識別子および上記検証情報に従って、上記端末が有効な端末かどうかを決定する段階を備える、項目１３または１４に記載の方法。
（項目１６）
上記端末が低オーバーヘッド状態に入ったと決定した後に、さらに、
上記第２セルが属する上記第２基地局によって送信された、上記接続コンテキストについての転送要求を受信する段階であって、上記転送要求は、上記端末の上記ソース識別子を保持し、上記第２セルは、上記端末が現在キャンプオンしている上記セルである、段階と、
上記転送要求に保持される上記ソース識別子に従って、上記接続コンテキストを上記第２基地局へ送信する段階と
を備える、項目１から１５のいずれか一項に記載の方法。
（項目１７）
第１セルにおける接続モードの端末が、上記第１セルが属する第１基地局によって割り当てられたソース識別子を受信する段階であって、上記ソース識別子は、上記第１基地局のセルにおいて上記端末を一意に識別する第１端末識別子を含む、段階と、
事前設定アクティベーション条件が満たされたときに、上記端末が低オーバーヘッド状態に入る段階であって、上記端末は、上記低オーバーヘッド状態において、上記接続モードの上記端末の接続コンテキストを記憶し、移動中にセル再選択基準に従って、セルにキャンプオンする、段階と、
第１事前設定条件が満たされたとき、上記端末が、第２セルが属する第２基地局へ上記ソース識別子を報告する段階であって、上記第２セルは、上記端末が現在キャンプオンしているサービングセルである、段階と
を備える移動性管理の方法。
（項目１８）
上記ソース識別子は、上記第１セルを識別する第１セル識別子と、上記第１セルにおいて上記端末を一意に識別する上記第１端末識別子とを含み、上記第１セル識別子は、セルグローバル識別子ＥＣＧＩ、物理セル識別子ＰＣＩ、もしくは、エリアの識別子と上記エリアにおける上記第１セルの識別子とを含むセル識別子のうちの少なくとも１つを含み、または、
上記ソース識別子は、上記第１基地局を一意に識別する第１基地局識別子と、上記第１基地局において上記端末を一意に識別する上記第１端末識別子とを含む、
項目１７に記載の方法。
（項目１９）
上記事前設定アクティベーション条件は、
上記端末が、上記低オーバーヘッド状態に入るように命令するために使用される制御命令を上記第１基地局から受信すること、
上記端末が上記第１セルから去ること、
第１事前設定期間内に上記端末と上記第１基地局との間でデータが伝送されなかったこと、
上記端末のタイミングアドバンスタイマであるＴＡタイマが満了するか、もしくは、上記端末のＴＡタイマが満了し、かつ、上記ＴＡタイマが第２事前設定期間内に再度作動しなかったこと、または、
上記端末が間欠受信ＤＲＸ状態に入り、かつ、第３事前設定期間内に上記ＤＲＸ状態から出なかったこと
のうちの少なくとも１つの条件を含む、項目１７または１８に記載の方法。
（項目２０）
事前設定アクティベーション条件が満たされたときに上記端末が低オーバーヘッド状態に入る上記段階の後に、上記方法はさらに、
第２事前設定条件が満たされたとき、上記端末が上記低オーバーヘッド状態から出る段階
を備え、上記第２事前設定条件は、
上記端末が現在キャンプオンしている上記サービングセルが変化すること、または、
上記端末が現在キャンプオンしている上記サービングセルが、指定されたセルの組の範囲を超えたこと、または、
上記端末が現在キャンプオンしている上記サービングセル、および、上記第１セルが、同一の事前設定エリアもしくは同一の基地局に属さないこと、または、
上記端末が、上記ソース識別子を上記第２基地局へ送信し、上記ソース識別子についてのアクセス拒否指示を上記第２基地局から受信すること、または、
上記端末が、上記第２セルのシステム情報ブロードキャストを読み取り、上記システム情報ブロードキャストは、上記低オーバーヘッド状態の上記端末のアクセスが許可されるという指示を保持しないこと、または、
上記端末はアップリンクデータを送信する必要があること
を含む、項目１７から１９のいずれか一項に記載の方法。
（項目２１）
第２事前設定条件が満たされたときに上記端末が上記低オーバーヘッド状態から出る上記段階は、上記第２事前設定条件が満たされたときに上記端末が上記接続コンテキストを消去し、アイドルモードに入る段階を含む、項目２０に記載の方法。
（項目２２）
上記第１事前設定条件は、上記端末が現在キャンプオンしている上記サービングセルが変化すること、または、
上記端末が現在キャンプオンしている上記第２セルが、上記指定されたセルの組の範囲を超えること、または、
上記端末が現在キャンプオンしている上記第２セル、および、上記第１セルが、同一の事前設定エリアもしくは同一の基地局に属さないこと、または、
上記端末が、アップリンクデータを送信する必要があること
を含む、項目１７から２１のいずれか一項に記載の方法。
（項目２３）
第１事前設定条件が満たされたときに、上記端末が、第２セルが属する第２基地局へ上記ソース識別子を報告する上記段階の前に、
上記端末が、上記第２セルのシステム情報ブロードキャストを受信して読み取る段階と、
上記システム情報ブロードキャストが、上記低オーバーヘッド状態の上記端末のアクセスが許可されるという指示を保持する場合、上記端末が、上記アクセスの指示に従って、上記ソース識別子を上記第２基地局へ送信することを決定する段階と
を備える、項目１７から２２のいずれか一項に記載の方法。
（項目２４）
第１セルにおける接続モードの端末が、上記第１セルが属する第１基地局によって割り当てられたソース識別子を受信する上記段階は、
上記端末が、上記第１セルが属する上記第１基地局によって割り当てられた短いソース識別子および長いソース識別子を受信する段階
を含む、
項目１７から２２のいずれか一項に記載の方法。
（項目２５）
第１事前設定条件が満たされたときに、上記端末が、第２セルが属する第２基地局へ上記ソース識別子を報告する上記段階の前に、
上記端末が、上記第２基地局によって送信された指示情報に従って、長いソース識別子または短いソース識別子を報告することを決定する段階
を備え、
上記長いソース識別子および上記短いソース識別子は、２つの独立したソース識別子であり得るか、または、上記短いソース識別子は、上記長いソース識別子の部分情報である、
項目１７から２２のいずれか一項に記載の方法。
（項目２６）
上記第２基地局の上記指示情報は、システムブロードキャストを使用することによって構成される指示情報であるか、もしくは、承認コマンドを使用することによって上記端末へ送信される承認情報であり、上記端末が、上記第２基地局の指示情報に従って、長いソース識別子もしくは短いソース識別子を報告することを決定する上記段階は、
上記端末が、上記システムブロードキャストを使用することによって構成された上記指示情報における指示に従って、上記ソース識別子を報告するために使用されるソース識別子の種類を決定する段階、または、
上記端末が、上記承認情報に従って、伝送できるメッセージのサイズを決定し、伝送できる上記メッセージの上記サイズに従って、上記長いソース識別子もしくは上記短いソース識別子を使用することを選択する段階
を含む、項目２５に記載の方法。
（項目２７）
第１事前設定条件が満たされたときに上記端末が、第２セルが属する第２基地局へ上記ソース識別子を報告する上記段階の前に、さらに、
上記端末が、事前設定範囲内のランダムアクセスプリアンブルを上記第２基地局へ送信する段階であって、上記事前設定範囲内の上記ランダムアクセスプリアンブルは、上記ソース識別子が上記第２基地局へ送信される必要があること、または、事前設定された長さの閾値より大きい長さのメッセージが上記第２基地局へ送信される必要があることを示すために使用される、段階と、
上記第２基地局によって割り当てられた、上記ソース識別子を伝送するために使用される事前設定サイズ伝送リソースを受信する段階と、
上記伝送リソースを使用することによって、上記ソース識別子を上記第２基地局へ送信する段階と
を備える、項目１７から２３のいずれか一項に記載の方法。
（項目２８）
上記事前設定範囲内の上記ランダムアクセスプリアンブルは、予め定義されたプリアンブルであるか、または、上記第２基地局によって構成された、受信されたプリアンブルである、項目２７に記載の方法。
（項目２９）
上記端末が、第２セルが属する第２基地局へ上記ソース識別子を報告する上記段階は、
上記端末がランダムアクセスプリアンブルを上記第２基地局へ送信する段階と、
上記第２基地局によって送信された専用端末識別子と、上記第２基地局によって送信された、上記ランダムアクセスプリアンブルに従って割り当てられた、上記ソース識別子を伝送するために使用される伝送リソースとを受信する段階であって、上記専用端末識別子は、上記第２セルにおいて上記端末を一意に識別する識別子である、段階と、
上記伝送リソースを使用することによって、上記ソース識別子を上記第２基地局へ送信する段階と、
上記第２基地局によって送信された、上記ソース識別子を含む肯定応答情報を受信する段階と、
上記肯定応答情報に従って、上記専用端末識別子を適用するかどうかを決定する段階と
を備える、項目１７から２８のいずれか一項に記載の方法。
（項目３０）
上記肯定応答情報に従って、上記専用端末識別子を適用するかどうかを決定する上記段階は、
上記端末が、上記肯定応答情報に従って上記専用端末識別子を適用することを省略する段階、または、
上記端末が、上記肯定応答情報に従って上記専用端末識別子を適用し、上記低オーバーヘッド状態から出る段階、または、
上記端末が、上記肯定応答情報に従って上記専用端末識別子を適用し、上記低オーバーヘッド状態に留まる段階、または、
上記端末が、上記低オーバーヘッド状態から出るように上記端末に命令するために使用される、上記肯定応答情報に保持される命令に従って、上記専用端末識別子を適用し、上記低オーバーヘッド状態から出る段階
を含む、項目２９に記載の方法。
（項目３１）
上記端末が上記専用端末識別子を適用する上記段階の後に、
現在キャンプオンしている上記サービングセルのセル識別子に従って、上記接続コンテキストにおける鍵を更新する段階を備える、項目２０に記載の方法。
（項目３２）
上記ソース識別子はさらに、検証情報を含み、上記検証情報は、上記ソース識別子および更新された鍵に従って、上記端末によって生成される身元認証情報である、項目３１に記載の方法。
（項目３３）
事前設定アクティベーション条件が満たされたときに上記端末が低オーバーヘッド状態に入る上記段階の後に、さらに、
上記端末が、上記ソース識別子を使用することによって、ページングのリッスンを実行する段階を備える、項目１７から２９のいずれか一項に記載の方法。
（項目３４）
上記第１基地局によって送信された無線リソース制御ＲＲＣ構成情報を受信する段階であって、上記ＲＲＣ構成情報はＲＲＣ構成インデックスを含み、上記構成インデックスは、上記ＲＲＣ構成情報を示すために使用される、段階と、
上記端末が、上記低オーバーヘッド状態において、上記ＲＲＣ構成情報を使用する段階と
をさらに備える、項目１７から３３のいずれか一項に記載の方法。
（項目３５）
第１事前設定条件が満たされたとき、上記端末が、第２セルが属する第２基地局へ上記ソース識別子を報告する上記段階は、
上記端末が、上記ＲＲＣ構成インデックスを含む上記ソース識別子を、上記第２セルが属する上記第２基地局へ報告する段階であって、上記第２基地局が、上記ＲＲＣ構成インデックスに従って、上記端末によって使用される上記ＲＲＣ構成情報を決定する、段階を含む、項目３４に記載の方法。
（項目３６）
上記第１事前設定条件は、上記端末がアップリンクデータを送信する必要があることであり、上記端末が、第２セルが属する第２基地局へ上記ソース識別子を報告する上記段階は、さらに、上記ソース識別子を報告するとき、または後に、上記端末が、上記第２セルが属する上記第２基地局へアップリンクデータ指示を報告する段階を含む、項目１７から３５のいずれか一項に記載の方法。
（項目３７）
第２セルが属する第２基地局が、低オーバーヘッド状態の端末によって報告されたソース識別子を受信する段階であって、上記端末は、上記低オーバーヘッド状態において、接続モードの上記端末の接続コンテキストを記憶し、移動中にセル再選択基準に従ってセルにキャンプオンし、上記第１セルは、上記端末が上記低オーバーヘッド状態に入ったときのサービングセルであり、上記第２セルは、上記端末の現在のサービングセルであり、上記ソース識別子は、上記第１セルが属する第１基地局において、上記端末を識別する第１端末識別子を含む、段階と、
上記ソース識別子に従って、上記第１端末識別子を上記第１基地局へ送信し、上記端末の上記現在のサービングセルが上記第２セルであることを上記第１基地局に通知する段階と
を備える移動性管理の方法。
（項目３８）
上記ソース識別子は、上記第１セルを識別する第１セル識別子と、上記第１セルにおいて上記端末を一意に識別する上記第１端末識別子とを含み、上記第１セル識別子は、セルグローバル識別子ＥＣＧＩ、物理セル識別子ＰＣＩ、もしくは、エリアの識別子と上記エリアにおける上記第１セルの識別子とを含むセル識別子のうちの少なくとも１つを含み、または、
上記ソース識別子は、上記第１基地局を一意に識別する第１基地局識別子と、上記第１基地局において上記端末を一意に識別する上記第１端末識別子とを含む、
項目３７に記載の方法。
（項目３９）
上記ソース識別子はさらに、指示情報を含み、上記指示情報は、上記端末が上記低オーバーヘッド状態にあることを上記第２基地局に通知するために使用される、項目３７または３８に記載の方法。
（項目４０）
第２セルが属する第２基地局が、低オーバーヘッド状態の端末によって報告されたソース識別子を受信する上記段階の前に、
上記第２基地局がシステム情報ブロードキャストを送信する段階であって、上記システム情報は、上記低オーバーヘッド状態における上記端末のアクセスが許可されるという指示を保持し、上記端末は、上記アクセスの指示に従って、上記ソース識別子を上記第２基地局へ送信するかどうかを決定する、段階を備える、項目３７から３９のいずれか一項に記載の方法。
（項目４１）
第２セルが属する第２基地局が、低オーバーヘッド状態の端末によって報告されたソース識別子を受信する上記段階の前に、さらに、
上記端末によって送信されたランダムアクセスプリアンブルを受信する段階と、
上記ランダムアクセスプリアンブルが事前設定範囲内に属するとき、事前設定サイズ伝送リソースを上記端末に割り当てる段階であって、上記端末は、上記伝送リソースを使用することによって上記ソース識別子を送信する、段階と
を備える、項目３７から４０のいずれか一項に記載の方法。
（項目４２）
上記事前設定範囲内の上記ランダムアクセスプリアンブルは、予め定義されたプリアンブルであるか、または、上記第２基地局によって構成された、受信されたプリアンブルである、項目４１に記載の方法。
（項目４３）
第２セルが属する第２基地局が、低オーバーヘッド状態の端末によって報告されたソース識別子を受信する上記段階は、
上記第２セルが属する上記第２基地局が、上記低オーバーヘッド状態における上記端末によって送信されたランダムアクセスプリアンブルを受信する段階と、
上記ランダムアクセスプリアンブルに従って、専用端末識別子と、上記ソース識別子を伝送するために使用される伝送リソースとを上記端末に割り当てる段階であって、上記専用端末識別子は、上記第２セルにおいて、上記端末を一意に識別する識別子である、段階と、
上記伝送リソースを使用することによって上記ソース識別子を受信する段階と、
上記ソース識別子を含む肯定応答情報を上記端末へ送信する段階と
を備える、項目３７から４０のいずれか一項に記載の方法。
（項目４４）
上記ソース識別子を含む肯定応答情報を上記端末へ送信する上記段階は、
上記低オーバーヘッド状態から出るように上記端末に命令するために使用される命令を保持する、上記ソース識別子を含む肯定応答メッセージを上記端末へ送信する段階であって、上記端末は上記命令に従って、上記専用端末識別子を適用し、上記低オーバーヘッド状態から出る、段階を含む、項目４３に記載の方法。
（項目４５）
上記ソース識別子に従って、上記第１端末識別子を上記第１基地局へ送信する上記段階は、
上記ソース識別子に従って、通知メッセージを上記第１基地局へ送信する段階であって、上記通知メッセージは、上記端末の上記ソース識別子、および、上記端末が現在所在する上記第２セルの第２セル識別子を保持し、上記第１基地局は、上記ソース識別子、および、上記第２セル識別子に従って、上記端末が現在キャンプオンしている上記サービングセルが上記第２セルであると決定する、段階を含む、項目３７から４４のいずれか一項に記載の方法。
（項目４６）
上記ソース識別子に従って、上記第１端末識別子を上記第１基地局へ送信する上記段階の後に、さらに、
上記端末によって送信された、上記ソース識別子を含むアップリンクデータ指示を受信する段階と、
上記第２基地局が、上記接続コンテキストのための転送要求を上記第１基地局へ送信する段階であって、上記接続コンテキストは、上記端末が上記低オーバーヘッド状態に入るときに上記第１基地局によって記憶される、上記接続モードの上記端末の接続コンテキストであり、上記コンテキスト転送要求は、上記端末の上記ソース識別子を保持する、段階と、
上記第１基地局によって転送された上記接続コンテキストを受信し、上記接続コンテキストに従って、上記端末との接続を確立する段階と
を備える、項目３７から４３のいずれか一項に記載の方法。
（項目４７）
上記第１基地局によって転送された上記接続コンテキストを受信する上記段階の後に、さらに、
再割り当てされたソース識別子を上記端末へ送信する段階であって、上記再割り当てされたソース識別子は、上記第２基地局において上記端末を識別する第２端末識別子を含む、段階と、
命令を上記端末へ送信し、上記低オーバーヘッド状態から出るように上記端末に命令する段階と
を備える、項目３７に記載の方法。
（項目４８）
上記ソース識別子に従って、上記第１端末識別子を上記第１基地局へ送信する上記段階の後に、さらに、
上記第１基地局によって送信された、上記接続コンテキストと、上記端末の上記ソース識別子とを受信する段階と、
受信された上記接続コンテキストおよび上記ソース識別子に従って、上記端末の構成情報を決定し、上記ソース識別子に従って、上記端末のアップリンクアクセスを引き起こす段階と、
を備える、項目３７から４７のいずれか一項に記載の方法。
（項目４９）
上記ソース識別子に従って上記端末のアップリンクアクセスを引き起こす上記段階は、
上記ソース識別子を使用することによって上記端末をページングする段階、または、
上記ソース識別子に従って、上記端末の上記専用端末識別子を決定し、上記専用端末識別子を使用することによって、上記端末へアップリンクアクセスコマンドを送信する段階、または、
上記ソース識別子に従って、上記端末の上記専用端末識別子を決定し、上記専用端末識別子を使用することによって、上記端末をページングする段階
を含む、項目４８に記載の方法。
（項目５０）
上記ソース識別子はさらに、無線リソース制御ＲＲＣ構成インデックスを含み、第２セルが属する第２基地局が、低オーバーヘッド状態の端末によって報告されたソース識別子を受信する上記段階の後に、上記方法はさらに、
上記第２基地局が上記ＲＲＣ構成インデックスに従って、上記端末によって使用されるＲＲＣ構成情報を決定する段階を備える、項目３７から４９のいずれか一項に記載の方法。
（項目５１）
上記ソース識別子に従って、上記第１端末識別子を上記第１基地局へ送信する上記段階は、
上記第２基地局と上記第１基地局との間のインタフェースを使用することによって、上記ソース識別子に従って、上記ソース識別子を上記第１基地局へ送信する段階、または、
コアネットワークを使用することによって、上記ソース識別子に従って、上記ソース識別子を上記第１基地局へ送信する段階
を含む、項目３７から５０のいずれか一項に記載の方法。
（項目５２）
基地局であって、
上記基地局は第１基地局であり、上記第１基地局は、出力ユニット、記憶ユニットおよび処理ユニットを備え、
上記記憶ユニットは、プログラムコードを記憶するように構成され、上記処理ユニットは、上記記憶ユニットに記憶されている上記プログラムコードを呼び出して、
上記出力ユニットを使用することによって、上記第１セルにおける接続モードの端末にソース識別子を割り当てるステップであって、上記ソース識別子は、上記第１基地局において上記端末を識別する第１端末識別子を含む、ステップと、
上記端末が低オーバーヘッド状態に入ったと決定した後に、上記接続モードの上記端末の接続コンテキストを記憶するステップであって、上記端末は、事前設定アクティベーション条件が満たされたときに上記低オーバーヘッド状態に入り、上記低オーバーヘッド状態において、上記端末は上記接続コンテキストを記憶し、移動中にセル再選択基準に従ってセルにキャンプオンする、ステップと
を実行するように構成されている、
基地局。
（項目５３）
上記ソース識別子は、上記第１セルを識別する第１セル識別子と、上記第１セルにおいて上記端末を一意に識別する上記第１端末識別子とを含み、上記第１セル識別子は、セルグローバル識別子ＥＣＧＩ、物理セル識別子ＰＣＩ、もしくは、エリアの識別子と上記エリアにおける上記第１セルの識別子とを含むセル識別子のうちの少なくとも１つを含み、
または、上記ソース識別子は、上記第１基地局を一意に識別する第１基地局識別子、および、上記第１基地局において上記端末を一意に識別する上記第１端末識別子を含む、
項目５２に記載の基地局。
（項目５４）
上記処理ユニットが、上記出力ユニットを使用することによって、上記第１セルにおける接続モードの端末にソース識別子を割り当てるように構成されていることは、具体的には、
上記出力ユニットによって出力された、セルブロードキャストメッセージもしくは専用メッセージを使用することによって、または、ランダムアクセスチャネルＲＡＣＨ手順において、上記第１セルにおける上記接続モードの上記端末に上記ソース識別子を割り当てることを含む、
項目５２または５３に記載の基地局。
（項目５５）
上記事前設定アクティベーション条件は、
上記第１基地局が、上記低オーバーヘッド状態に入るように上記端末に命令するために使用される制御命令を上記端末へ送信すること、
第１事前設定期間内に上記第１基地局と上記端末との間でデータが伝送されなかったこと、
上記第１基地局が、上記端末のタイミングアドバンスタイマであるＴＡタイマが満了したと決定するか、もしくは、上記第１基地局が、上記端末のＴＡタイマが満了し、かつ、上記ＴＡタイマが第２事前設定期間内に再度作動しなかったと決定すること、または、
上記第１基地局が、上記端末が間欠受信ＤＲＸ状態に入り、かつ、第３事前設定期間内に上記ＤＲＸ状態から出なかったと決定すること
のうちの少なくとも１つの条件を含む、項目５２から５４のいずれか一項に記載の基地局。
（項目５６）
上記処理ユニットが、上記出力ユニットを使用することによって、上記第１セルにおける接続モードの端末にソース識別子を割り当てるように構成されていることは、具体的には、
上記第１セルにおける上記接続モードの上記端末へ短いソース識別子および長いソース識別子を割り当てることである、項目５２から５５のいずれか一項に記載の基地局。
（項目５７）
上記処理ユニットはさらに、上記端末が上記低オーバーヘッド状態に入ったと決定した後に、
上記出力ユニットを使用することによって、上記端末が上記低オーバーヘッド状態において使用する、無線リソース制御ＲＲＣ構成情報を上記端末へ送信するように構成されている、項目５２から５５のいずれか一項に記載の基地局。
（項目５８）
上記ＲＲＣ構成情報は、ＲＲＣ構成インデックスを含み、上記構成インデックスは、上記ＲＲＣ構成情報を示すために使用される、項目５７に記載の基地局。
（項目５９）
上記処理ユニットはさらに、
上記低オーバーヘッド状態の上記端末のアクセスが許可されるという指示を上記端末へ送信すること、または、
上記低オーバーヘッド状態の上記端末が報告することを許可されているソース識別子の種類を上記端末へ送信することであって、上記ソース識別子の種類は、上記短いソース識別子もしくは上記長いソース識別子を含む、こと
を行うように構成されている、項目５２から５８のいずれか一項に記載の方法。
（項目６０）
上記端末が上記低オーバーヘッド状態に入ったと決定した後に、上記処理ユニットはさらに、
上記端末のダウンリンクデータが上記第１基地局に到達したとき、または、コアネットワークからの第１ページングメッセージが受信された後に、第２ページングメッセージを第３基地局へ送信するように構成されている、項目５２から５８のいずれか一項に記載の方法。
（項目６１）
上記端末の上記ダウンリンクデータが上記第１基地局に到達するか、または、上記コアネットワークからの上記ページングメッセージが受信される前に、上記処理ユニットはさらに、
上記コアネットワークによって送信された、ページングパラメータについての情報を受信することであって、上記ページングパラメータは、上記端末のページングインデックス、または、上記端末のＤＲＸサイクルを含み、上記ページングは、上記端末のページングオフセットを計算するために使用される、ことを行うように構成されている、項目６０に記載の方法。
（項目６２）
上記基地局は入力ユニットを備え、上記処理ユニットはさらに、
上記端末が上記低オーバーヘッド状態に入ったと決定した後に、上記入力ユニットを使用することによって、上記第２セルが属する第２基地局によって送信された通知メッセージを受信することであって、上記通知メッセージは、上記端末の上記ソース識別子、および、上記端末が現在所在する上記第２セルの第２セル識別子を保持し、上記第２セルは、上記端末が現在キャンプオンしているサービングセルである、こと、ならびに、
上記ソース識別子および上記第２セル識別子に従って、上記端末が現在キャンプオンしている上記サービングセルが上記第２セルであると決定すること
を行うように構成されている、項目５２から５７のいずれか一項に記載の基地局。
（項目６３）
上記処理ユニットはさらに、
上記ソース識別子および上記第２セル識別子に従って、上記端末が現在キャンプオンしている上記サービングセルが上記第２セルであると決定した後に、上記端末のダウンリンクデータが上記第１基地局に到達したときに、上記出力ユニットを使用することによって、上記接続コンテキスト、および、上記端末の上記ソース識別子を上記第２基地局へ送信することであって、上記第２基地局は、上記第２セルが属する基地局である、ことを行うように構成されている、項目６２に記載の基地局。
（項目６４）
上記基地局はさらに、上記入力ユニットを備え、上記通知メッセージは、上記端末の検証情報を保持し、上記検証情報は、上記ソース識別子、および、上記接続コンテキストに含まれる鍵に従って、上記端末によって生成される身元認証情報であり、
上記処理ユニットはさらに、
上記入力ユニットを使用することによって、上記第２基地局によって送信された上記通知メッセージを受信した後に、上記ソース識別子および上記検証情報に従って、上記端末が有効な端末かどうかを決定するように構成されている、項目６２または６３に記載の基地局。
（項目６５）
上記基地局はさらに、上記入力ユニットを備え、上記処理ユニットはさらに、
上記端末が上記低オーバーヘッド状態に入ったと決定した後に、上記入力ユニットを使用することによって、上記第２セルが属する上記第２基地局によって送信された、上記接続コンテキストのための転送要求を受信することであって、上記転送要求は、上記端末の上記ソース識別子を保持し、上記第２セルは、上記端末が現在キャンプオンしている上記セルである、こと、および、
上記出力ユニットを使用することによって、上記転送要求に保持される上記ソース識別子に従って、上記接続コンテキストを上記第２基地局へ送信すること
を行うように構成されている、項目５２から５７のいずれか一項に記載の基地局。
（項目６６）
入力ユニット、出力ユニット、記憶ユニットおよび処理ユニットを備えるユーザ機器端末であって、
上記記憶ユニットは、プログラムコードを記憶するように構成され、上記処理ユニットは、上記記憶ユニットに記憶されている上記プログラムコードを呼び出して、
上記入力ユニットを使用することによって、上記第１セルが属する第１基地局によって割り当てられたソース識別子を受信するステップであって、上記ソース識別子は、上記第１基地局のセルにおいて上記端末を一意に識別する第１端末識別子を含む、ステップと、
事前設定アクティベーション条件が満たされたとき、上記端末が低オーバーヘッド状態に入ることを可能にするステップであって、上記端末は、上記低オーバーヘッド状態において、接続モードの上記端末の接続コンテキストを記憶し、移動中にセル再選択基準に従って、セルにキャンプオンする、ステップと、
第１事前設定条件が満たされたとき、上記出力ユニットを使用することによって、第２セルが属する第２基地局へ上記ソース識別子を報告するステップであって、上記第２セルは、上記端末が現在キャンプオンしているサービングセルである、ステップと
を実行するように構成されている、
ユーザ機器端末。
（項目６７）
上記ソース識別子は、上記第１セルを識別する第１セル識別子と、上記第１セルにおいて上記端末を一意に識別する上記第１端末識別子とを含み、上記第１セル識別子は、セルグローバル識別子ＥＣＧＩ、物理セル識別子ＰＣＩ、もしくは、エリアの識別子と上記エリアにおける上記第１セルの識別子とを含むセル識別子のうちの少なくとも１つを含み、
または、上記ソース識別子は、上記第１基地局を一意に識別する第１基地局識別子、および、上記第１基地局において上記端末を一意に識別する上記第１端末識別子を含む、
項目６６に記載のユーザ機器。
（項目６８）
上記事前設定アクティベーション条件は、
上記端末が、上記低オーバーヘッド状態に入るように命令するために使用される制御命令を上記第１基地局から受信すること、
上記端末が上記第１セルから去ること、
第１事前設定期間内に上記端末と上記第１基地局との間でデータが伝送されなかったこと、
上記端末のタイミングアドバンスタイマであるＴＡタイマが満了するか、もしくは、上記端末のＴＡタイマが満了し、かつ、上記ＴＡタイマが第２事前設定期間内に再度作動しなかったこと、または、
上記端末が間欠受信ＤＲＸ状態に入り、かつ、第３事前設定期間内に上記ＤＲＸ状態から出なかったこと
のうちの少なくとも１つの条件を含む、項目６６または６７に記載のユーザ機器。
（項目６９）
上記処理ユニットはさらに、上記事前設定アクティベーション条件が満たされたときに上記端末が上記低オーバーヘッド状態に入った後に、第２事前設定条件が満たされたときに上記端末が上記低オーバーヘッド状態から出ることを可能にするように構成され、
上記第２事前設定条件は、
上記端末が現在キャンプオンしている上記サービングセルが変化したこと、または、
上記端末が現在キャンプオンしている上記サービングセルが、指定されたセルの組の範囲を超えたこと、または、
上記端末が現在キャンプオンしている上記サービングセル、および、上記第１セルが、同一の事前設定エリアもしくは同一の基地局に属さないこと、または、
上記端末が、上記ソース識別子を上記第２基地局へ送信し、上記ソース識別子についてのアクセス拒否指示を上記第２基地局から受信すること、または、
上記端末が、上記第２セルのシステム情報ブロードキャストを読み取り、上記システム情報ブロードキャストは、上記低オーバーヘッド状態の上記端末のアクセスが許可されるという指示を保持しないこと、または、
上記端末はアップリンクデータを送信する必要があること
を含む、
項目６６から６８のいずれか一項に記載のユーザ機器。
（項目７０）
上記処理ユニットが、第２事前設定条件が満たされたとき、上記端末が上記低オーバーヘッド状態から出ることを可能にするように構成されていることは、具体的には、上記第２事前設定条件が満たされたとき、上記接続コンテキストを消去し、上記端末がアイドルモードに入ることを可能にすることを含む、項目６９に記載のユーザ機器。
（項目７１）
上記処理ユニットはさらに、
上記第１セルが属する上記第１基地局によって割り当てられた短いソース識別子および長いソース識別子を受信するように構成されている、項目６６から６９のいずれか一項に記載のユーザ機器。
（項目７２）
上記端末が、上記第２セルが属する上記第２基地局へ上記ソース識別子を報告する前に、上記処理ユニットはさらに、
上記第２基地局によって送信された指示情報に従って、長いソース識別子または短いソース識別子を報告することを決定するように構成されている、項目６６から６９のいずれか一項に記載のユーザ機器。
（項目７３）
上記第１事前設定条件は、上記端末が現在キャンプオンしている上記サービングセルが変化すること、または、
上記端末が現在キャンプオンしている上記第２セルが、上記指定されたセルの組の範囲を超えること、または、
上記端末が現在キャンプオンしている上記第２セル、および、上記第１セルが、同一の事前設定エリアもしくは同一の基地局に属さないこと、または、
上記端末がアップリンクデータを送信する必要があること
を含む、項目６６から７２のいずれか一項に記載のユーザ機器。
（項目７４）
上記処理ユニットはさらに、
上記第１事前設定条件が満たされたときに、上記出力ユニットを使用することによって、上記第２セルが属する上記第２基地局へ上記ソース識別子を報告する前に、上記入力ユニットを使用することによって、上記第２セルのシステム情報ブロードキャストを受信して読み取り、上記システム情報ブロードキャストが、上記低オーバーヘッド状態の上記端末のアクセスが許可されるという指示を保持している場合、上記出力ユニットを使用することによって、上記アクセスの指示に従って、上記ソース識別子を上記第２基地局へ送信することを決定するように構成されている、項目６６から７３のいずれか一項に記載のユーザ機器。
（項目７５）
上記処理ユニットはさらに、上記第１事前設定条件が満たされたとき、上記出力ユニットを使用することによって、上記第２セルが属する上記第２基地局へ上記ソース識別子を報告する前に、
上記出力ユニットを使用することによって、事前設定範囲内のランダムアクセスプリアンブルを上記第２基地局へ送信することであって、上記事前設定範囲内の上記ランダムアクセスプリアンブルは、上記ソース識別子が上記第２基地局へ送信される必要があること、または、事前設定された長さの閾値より大きい長さのメッセージが上記第２基地局へ送信される必要があることを示すために使用される、こと、
上記入力ユニットを使用することによって、上記第２基地局によって割り当てられた、上記ソース識別子を伝送するために使用される事前設定サイズ伝送リソースを受信すること、および、
上記出力ユニットを使用することによって、上記伝送リソースを使用することによって上記ソース識別子を上記第２基地局へ送信すること
を行うように構成されている、項目６６から７４のいずれか一項に記載のユーザ機器。
（項目７６）
上記事前設定範囲内の上記ランダムアクセスプリアンブルは、予め定義されたプリアンブルであるか、または、上記第２基地局によって構成された、受信されたプリアンブルである、項目７５に記載のユーザ機器。
（項目７７）
上記処理ユニットが、第２セルが属する第２基地局へ上記ソース識別子を報告するように構成されていることは、具体的には、
上記出力ユニットを使用することによって、ランダムアクセスプリアンブルを上記第２基地局へ送信すること、
上記入力ユニットを使用することによって、上記第２基地局によって送信された専用端末識別子と、上記第２基地局によって送信された、上記ランダムアクセスプリアンブルに従って割り当てられた、上記ソース識別子を伝送するために使用される伝送リソースとを受信することであって、上記専用端末識別子は、上記第２セルにおいて上記端末を一意に識別する識別子である、こと、
上記出力ユニットを使用することによって、上記伝送リソースを使用することによって上記ソース識別子を上記第２基地局へ送信すること、
上記入力ユニットを使用することによって、上記第２基地局によって送信された、上記ソース識別子を含む肯定応答情報を受信すること、および、
上記肯定応答情報に従って、上記専用端末識別子を適用するかどうかを決定すること
である、項目６６から７６のいずれか一項に記載のユーザ機器。
（項目７８）
上記処理ユニットが、上記肯定応答情報に従って、上記専用端末識別子を適用するかどうかを決定するように構成されていることは、具体的には、
上記処理ユニットが、上記肯定応答情報に従って上記専用端末識別子を適用することを省略すること、または、
上記処理ユニットが、上記肯定応答情報に従って、上記専用端末識別子を適用し、上記低オーバーヘッド状態から出ること、または、
上記処理ユニットが、上記肯定応答情報に従って、上記専用端末識別子を適用し、上記低オーバーヘッド状態に留まること、または、
上記処理ユニットが、上記低オーバーヘッド状態から出るように上記端末に命令するために使用される、上記肯定応答情報に保持される命令に従って、上記専用端末識別子を適用し、上記低オーバーヘッド状態から出ること
である、項目７７に記載のユーザ機器。
（項目７９）
上記処理ユニットはさらに、
上記端末が上記専用端末識別子を適用した後に、現在キャンプオンしている上記サービングセルのセル識別子に従って、上記接続コンテキストにおける鍵を更新するように構成されている、項目７８に記載のユーザ機器。
（項目８０）
上記ソース識別子はさらに、検証情報を含み、上記検証情報は、上記ソース識別子および更新された鍵に従って、上記端末によって生成される身元認証情報である、項目７９に記載のユーザ機器。
（項目８１）
上記処理ユニットはさらに、
上記事前設定アクティベーション条件が満たされたときに上記端末が上記低オーバーヘッド状態に入った後に、上記ソース識別子を使用することによって、ページングのリッスンを実行するように構成されている、項目６６から８０のいずれか一項に記載のユーザ機器。
（項目８２）
上記処理ユニットはさらに、
上記事前設定アクティベーション条件が満たされたときに上記端末が上記低オーバーヘッド状態に入った後に、上記入力ユニットを使用することによって、上記第１基地局によって送信された無線リソース制御ＲＲＣ構成情報を受信することであって、上記ＲＲＣ構成情報は、ＲＲＣ構成インデックスを含み、上記構成インデックスは、上記ＲＲＣ構成情報を示すために使用される、こと、および、
上記端末が上記低オーバーヘッド状態において上記ＲＲＣ構成情報を使用することを可能にすること
を行うように構成されている、項目６６から８０のいずれか一項に記載のユーザ機器。
（項目８３）
上記処理ユニットが、第１事前設定条件が満たされたとき、第２セルが属する第２基地局へ上記ソース識別子を報告するように構成されていることは、具体的には、
上記出力ユニットを使用することによって、上記ＲＲＣ構成インデックスを含む上記ソース識別子を、上記第２セルが属する上記第２基地局へ報告し、上記第２基地局が、上記ＲＲＣ構成インデックスに従って、上記端末によって使用される上記ＲＲＣ構成情報を決定することである、項目８２に記載のユーザ機器。
（項目８４）
基地局であって、
上記基地局は第２基地局であり、上記第２基地局は、入力ユニット、出力ユニット、記憶ユニットおよび処理ユニットを備え、
上記記憶ユニットは、プログラムコードを記憶するように構成され、上記処理ユニットは、上記記憶ユニットに記憶された上記プログラムコードを呼び出して、
上記入力ユニットを使用することによって、低オーバーヘッド状態の端末によって報告されたソース識別子を受信するステップであって、上記端末は、上記低オーバーヘッド状態において、接続モードの上記端末の接続コンテキストを記憶し、移動中にセル再選択基準に従って、セルにキャンプオンし、上記第１セルは、上記端末が上記低オーバーヘッド状態に入ったときのサービングセルであり、第２セルは、上記端末の現在のサービングセルであり、上記ソース識別子は、上記第１セルが属する第１基地局において上記端末を識別する第１端末識別子を含む、ステップと、
上記出力ユニットを使用することによって、上記ソース識別子に従って、上記第１端末識別子を上記第１基地局へ送信し、上記端末の上記現在のサービングセルが上記第２セルであると上記第１基地局に通知するステップと
を実行するように構成されている、
基地局。
（項目８５）
上記ソース識別子は、上記第１セルを識別する第１セル識別子と、上記第１セルにおいて上記端末を一意に識別する上記第１端末識別子とを含み、上記第１セル識別子は、セルグローバル識別子ＥＣＧＩ、物理セル識別子ＰＣＩ、もしくは、エリアの識別子と上記エリアにおける上記第１セルの識別子とを含むセル識別子のうちの少なくとも１つを含み、または、
上記ソース識別子は、上記第１基地局を一意に識別する第１基地局識別子、および、上記第１基地局において上記端末を一意に識別する上記第１端末識別子を含む、
項目８４に記載の基地局。
（項目８６）
上記ソース識別子はさらに、指示情報を含み、上記指示情報は、上記端末が上記低オーバーヘッド状態にあることを上記第２基地局に通知するために使用される、項目８４または８５に記載の基地局。
（項目８７）
上記処理ユニットはさらに、上記入力ユニットを使用することによって、上記低オーバーヘッド状態の上記端末によって報告された上記ソース識別子を受信する前に、上記出力ユニットを使用することによって、システム情報ブロードキャストを送信することであって、上記システム情報は、上記低オーバーヘッド状態の上記端末のアクセスが許可されるという指示を保持し、上記端末は、上記アクセスの指示に従って、上記ソース識別子を上記第２基地局へ送信するかどうかを決定する、ことを行うように構成されている、項目８４から８６のいずれか一項に記載の基地局。
（項目８８）
上記処理ユニットはさらに、
上記入力ユニットを使用することによって、上記低オーバーヘッド状態の上記端末によって報告された上記ソース識別子を受信する前に、上記出力ユニットを使用することによって、システム情報ブロードキャストを送信することであって、上記システム情報は、上記低オーバーヘッド状態の上記端末が報告することを許可されているソース識別子の種類を保持し、上記端末は、上記ソース識別子の種類に従って、短いソース識別子もしくは長いソース識別子を使用することを決定すること、または、
上記入力ユニットを使用することによって、上記低オーバーヘッド状態の上記端末によって報告された上記ソース識別子を受信する前に、上記出力ユニットを使用することによって、短いソース識別子および長いソース識別子を上記端末に割り当てること
を行うように構成されている、項目８４から８６のいずれか一項に記載の基地局。
（項目８９）
上記処理ユニットはさらに、
上記入力ユニットを使用することによって受信されるダウンリンクデータが上記第１基地局に到達したとき、または、上記入力ユニットを使用することによってコアネットワークからの第１ページングメッセージが受信された後に、上記出力ユニットを使用することによって、第２ページングメッセージを第３基地局へ送信するように構成され、上記第３基地局および上記第１基地局は同一のページングエリアに属する、項目８４から８６のいずれか一項に記載の基地局。
（項目９０）
上記処理ユニットはさらに、
上記入力ユニットを使用することによって受信された上記ダウンリンクデータが上記第１基地局に到達する前に、上記入力ユニットを使用することによって、上記コアネットワークによって送信された、ページングパラメータについての情報を受信することであって、上記ページングパラメータは、上記端末のページングインデックス、または、上記端末のＤＲＸサイクルを含み、上記ページングは、上記端末のページングオフセットを計算するために使用される、ことを行うように構成されている、項目８９に記載の基地局。
（項目９１）
上記処理ユニットはさらに、上記入力ユニットを使用することによって、上記低オーバーヘッド状態の上記端末によって報告された上記ソース識別子を受信する前に、
上記入力ユニットを使用することによって、上記端末によって送信されたランダムアクセスプリアンブルを受信すること、および、
上記ランダムアクセスプリアンブルが事前設定範囲内に属するとき、上記出力ユニットを使用することによって、事前設定サイズ伝送リソースを上記端末に割り当てることであって、上記端末が上記伝送リソースを使用することによって上記ソース識別子を送信する、こと
を行うように構成されている、項目８４から８７のいずれか一項に記載の基地局。
（項目９２）
上記事前設定範囲内の上記ランダムアクセスプリアンブルは、予め定義されたプリアンブル、または、上記第２基地局によって構成された、受信されたプリアンブルである、項目９１に記載の方法。
（項目９３）
上記処理ユニットが、上記入力ユニットを使用することによって、低オーバーヘッド状態の端末によって報告されたソース識別子を受信するように構成されていることは、具体的には、
上記入力ユニットを使用することによって、上記低オーバーヘッド状態の上記端末によって送信されたランダムアクセスプリアンブルを受信すること、
上記出力ユニットを使用することによって、上記ランダムアクセスプリアンブルに従って、専用端末識別子と、上記ソース識別子を伝送するために使用される伝送リソースとを上記端末に割り当てることであって、上記専用端末識別子は、上記第２セルにおいて上記端末を一意に識別する識別子である、こと、
上記入力ユニットを使用することによって、上記伝送リソースを使用することによって上記ソース識別子を受信すること、および、
上記出力ユニットを使用することによって、上記ソース識別子を含む肯定応答情報を上記端末へ送信すること
である、項目８４から８７のいずれか一項に記載の基地局。
（項目９４）
上記処理ユニットが上記出力ユニットを使用することによって、上記ソース識別子を含む肯定応答情報を上記端末へ送信することは、具体的には、
上記出力ユニットを使用することによって、上記低オーバーヘッド状態から出るように上記端末に命令するために使用される命令を保持する、上記ソース識別子を含む肯定応答メッセージを上記端末へ送信することであって、上記端末は、上記命令に従って、上記専用端末識別子を適用し、上記低オーバーヘッド状態から出る、ことを含む、項目９３に記載の基地局。
（項目９５）
上記処理ユニットが上記出力ユニットを使用することによって、上記ソース識別子に従って、上記第１端末識別子を上記第１基地局へ送信することは、具体的には、
上記出力ユニットを使用することによって、上記ソース識別子に従って、通知メッセージを上記第１基地局へ送信することであって、上記通知メッセージは、上記端末の上記ソース識別子、および、上記端末が現在所在する上記第２セルの第２セル識別子を保持し、上記第１基地局は、上記ソース識別子および上記第２セル識別子に従って、上記端末が現在キャンプオンしている上記サービングセルが上記第２セルであると決定する、ことである、項目８４から９４のいずれか一項に記載の基地局。
（項目９６）
上記処理ユニットはさらに、
上記出力ユニットを使用することによって、上記ソース識別子に従って上記第１端末識別子を上記第１基地局へ送信した後に、上記端末によって送信された、上記ソース識別子を含むアップリンクデータ指示を受信すること、
上記出力ユニットを使用することによって、上記接続コンテキストのための転送要求を上記第１基地局へ送信することであって、上記接続コンテキストは、上記端末が上記低オーバーヘッド状態に入ったときに上記第１基地局によって記憶される、上記接続モードの上記端末の接続コンテキストであり、上記コンテキスト転送要求は、上記端末の上記ソース識別子を保持する、こと、および、
上記入力ユニットを使用することによって、上記第１基地局によって転送された上記接続コンテキストを受信し、上記接続コンテキストに従って、上記端末との接続を確立すること
を行うように構成されている、項目８４から９５のいずれか一項に記載の基地局。
（項目９７）
上記処理ユニットはさらに、上記入力ユニットを使用することによって、上記第１基地局によって転送された上記接続コンテキストを受信した後に、
上記出力ユニットを使用することによって、再割り当てされたソース識別子を上記端末へ送信することであって、上記再割り当てされたソース識別子は、上記第２基地局において上記端末を識別する第２端末識別子を含む、こと、および、
上記出力ユニットを使用することによって、命令を上記端末へ送信し、上記低オーバーヘッド状態から出るように上記端末に命令する、こと
を行うように構成されている、項目９６に記載の基地局。
（項目９８）
上記処理ユニットはさらに、
上記出力ユニットを使用することによって、上記ソース識別子に従って、上記第１端末識別子を上記第１基地局へ送信した後に、上記出力ユニットを使用することによって、上記第１基地局によって送信された、上記接続コンテキスト、および、上記端末の上記ソース識別子を受信すること、ならびに、
受信された上記接続コンテキストおよび上記ソース識別子に従って、上記端末の構成情報を決定し、上記ソース識別子に従って、上記端末のアップリンクアクセスを引き起こすこと
を行うように構成されている、項目８４から９７のいずれか一項に記載の基地局。
（項目９９）
上記処理ユニットが、上記ソース識別子に従って、上記端末のアップリンクアクセスを引き起こすように構成されていることは、具体的には、
上記ソース識別子を使用することによって上記端末をページングすること、または、
上記ソース識別子に従って、上記端末の上記専用端末識別子を決定し、上記専用端末識別子を使用することによって、上記端末へアップリンクアクセスコマンドを送信すること、または、
上記ソース識別子に従って、上記端末の上記専用端末識別子を決定し、上記専用端末識別子を使用することによって、上記端末をページングすること
である、項目９８に記載の基地局。
（項目１００）
上記ソース識別子はさらに、無線リソース制御ＲＲＣ構成インデックスを含み、上記処理ユニットはさらに、
上記出力ユニットを使用することによって、上記低オーバーヘッド状態の上記端末によって報告された上記ソース識別子を受信した後に、上記ＲＲＣ構成インデックスに従って、上記端末によって使用されるＲＲＣ構成情報を決定するように構成されている、項目８４から９９のいずれか一項に記載の基地局。
（項目１０１）
上記処理ユニットが、上記出力ユニットを使用することによって、上記ソース識別子に従って、上記第１端末識別子を上記第１基地局へ送信するように構成されていることは、具体的には、
上記出力ユニットを使用することによって、上記第２基地局と上記第１基地局の間のインタフェースを使用することによって、上記ソース識別子に従って、上記ソース識別子を上記第１基地局へ送信すること、または、
上記出力ユニットを使用することによって、コアネットワークを使用することによって、上記ソース識別子に従って、上記ソース識別子を上記第１基地局へ送信すること
である、項目８４から１００のいずれか一項に記載の基地局。
【国際調査報告】
2019500804.tif 000014
2019500804.tif 000015
2019500804.tif 000016
2019500804.tif 000017
2019500804.tif 000018